(57)【特許請求の範囲】
【請求項１】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
貫通穴が筒本体の内部と外部とを連通させるよう折り線近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて取っ手と一緒に握ると、折り線近傍部分が引き上げられた状態を保持できる、収納具。
【請求項２】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
貫通穴が筒本体の内部と外部とを連通させるよう折り線近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて、
折り線近傍部分が引き上げられた状態を保持できる、線材又は帯材を係止する係止手段を有するものであり、
係止手段は、線材又は帯材を係止するフック部分が形成された筒本体とは別体の筒本体の外側に取り付けられたフック部材を含んでなる、収納具。
【請求項３】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
線材又は帯材の一部を、折り線近傍部分よりも筒本体の他端側に保持する引き上げ材保持手段が、
線材又は帯材を貫通させる貫通穴が形成された貫通穴形成部材を筒本体の内側に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて取っ手と一緒に握ると、折り線近傍部分が引き上げられた状態を保持できる、収納具。
【請求項４】
中空の筒本体と、筒本体の一端を閉じる底部と、を含んでなる有底の収納具であって、底部が略長方形であり、２組の対辺のうち、長い方の１組の対辺によって、第１線分縁及
び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
線材又は帯材の一部を、折り線近傍部分よりも筒本体の他端側に保持する引き上げ材保
持手段が、
線材又は帯材を貫通させる貫通穴が形成された貫通穴形成部材を筒本体の内側に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて、
折り線近傍部分が引き上げられた状態を保持できる、線材又は帯材を係止する係止手段を有するものであり、
係止手段は、線材又は帯材を係止するフック部分が形成された筒本体とは別体の筒本体の内側に取り付けられたフック部材を含んでなる、収納具を使用者が手で下げるための取っ手を有する、収納具。
【請求項５】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
収納具を使用者が手で下げるための筒本体の他端から突出する取っ手を有し、 筒本体の他端から突出する取っ手に線材又は帯材を引っかけることで、取っ手が引き上げ材保持手段として機能するものであり、
使用者の手で、取っ手に引っかけられた線材又は帯材を引き上げて取っ手と一緒に握ると、折り線近傍部分が引き上げられた状態を保持できる、収納具。
【請求項６】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
線材又は帯材を貫通させる貫通穴が形成された貫通穴形成部材を筒本体の外側に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて取っ手と一緒に握ると、線分縁近傍部分が引き上げられた状態を保持できる、収納具。
【請求項７】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
線材又は帯材を貫通させる貫通穴が形成された貫通穴形成部材を筒本体の外側に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて、
線分縁近傍部分が引き上げられた状態を保持できる、線材又は帯材を係止する係止手段を有するものであり、
係止手段は、線材又は帯材を係止するフック部分が形成された筒本体とは別体の筒本体の外側に取り付けられたフック部材を含んでなる、収納具を使用者が手で下げるための取っ手を有する、収納具。
【請求項８】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
貫通穴が筒本体の内部と外部とを連通させるよう線分縁近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて取っ手と一緒に握ると、線分縁近傍部分が引き上げられた状態を保持できる、収納具。
【請求項９】
中空の筒本体と、筒本体の一端を閉じる底部と、を含んでなる有底の収納具であって、底部が略長方形であり、２組の対辺のうち、長い方の１組の対辺によって、第１線分縁及び第２線分縁からなる２の線分縁が該略長方形の対辺に形成されるものであり、
筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
貫通穴が筒本体の内部と外部とを連通させるよう線分縁近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて、
線分縁近傍部分が引き上げられた状態を保持できる、線材又は帯材を係止する係止手段を有するものであり、
係止手段は、線材又は帯材を係止するフック部分が形成された筒本体とは別体の筒本体の内側に取り付けられたフック部材を含んでなる、収納具を使用者が手で下げるための取っ手を有する、収納具。
【発明の詳細な説明】
【技術分野】
【０００１】
本発明は、収納具に関し、より詳細には、中空の筒本体と、筒本体の一端を閉じる底部と、を含んでなる有底の収納具に関する。
【背景技術】
【０００２】
中空の筒本体と、筒本体の一端を閉じる底部と、を含んでなる有底の収納具は、様々な分野で使用されてきた（例えば、特許文献１）。
特許文献１には、「中央部に配置した底部５の前後方向の外側にそれぞれ折筋６，７を介して前胴部８と後胴部９を一連に設けるとともに、底部５の左右方向の外側にもそれぞれ折筋１０，１１を介して左襠部１２と右襠部１３を一連に設け」（特許文献１、考案の詳細な説明中、段落番号００１１）、「底部５、左襠部１２及び右襠部１３のそれぞれの前後方向の中央部にも左右方向の折筋５１，５２，５３を設け」（特許文献１、考案の詳細な説明中、段落番号００１３）ていることで「袋本体２は、上記のように底部５、左襠部１２及び右襠部１３にそれぞれ設けた折筋５１，５２，５３で折り畳むことにより扁平になすことができる」（特許文献１、考案の詳細な説明中、段落番号００１４）ものが開示されている。
【０００３】
特許文献２には、「運搬時には、ほぼ完全な形で封緘でき、運搬後は、簡易手提バッグとしてきれいな形で再利用できるようにした、封緘可能なバッグを提供」（特許文献２、考案の詳細な説明中、段落番号０００４）するためになされたもので「図１に示すように、袋体１は、通常の単純な襠付きの袋体の形状で製造され、そのまま、宅送便用などに使用される。運搬に際しては、図２に示すように、袋体１内に所要の物品を挿入し、封緘シート２の各固着部の剥離シートを剥がし、その接着面を、袋体１の開口部両側に接着し、封緘するのである。そして、宅送などの運搬後、開封部２Ａのミシン目を破り、開封するとともに折返し部２Ｄ、２Ｅを上方に折り返して、プルトップの雄・雌嵌合部３Ａ，３Ｂを嵌合することで、図３に示すように、手提把手３を上向きとした簡易手提バッグとして再利用できる」（特許文献２、考案の詳細な説明中、段落番号０００９）ものが開示されている。
【先行技術文献】
【特許文献】
【０００４】
【特許文献１】実用新案登録第３０５２９０９号公報
【特許文献２】実開平６−７５２２０号公報
【発明の概要】
【発明が解決しようとする課題】
【０００５】
特許文献１に開示された収納具（特許文献１では手提げ袋）は、上述のように、底部５、左襠部１２及び右襠部１３のそれぞれの前後方向の中央部にも左右方向の折筋５１，５２，５３を設け、底部５、左襠部１２及び右襠部１３をそれぞれ折筋５１，５２，５３で折り畳むことにより扁平になすことができるが、その折り畳み状態を保持する手段を設けていないため、取っ手３，４を把持した場合に前胴部８と後胴部９との間が不必要に拡がることで、手提げ袋の見栄えが悪くなったり取り扱いが面倒になるといった問題があった。
特許文献２に開示された収納具（特許文献２ではバッグ）も、袋体１は通常の単純な襠付きの袋体によって形成されるのみであり、やはり襠が不必要に拡がることで、手提げ袋の見栄えが悪くなったり取り扱いが面倒になるといった問題があった。
【０００６】
そこで、本発明では、中空の筒本体と、筒本体の一端を閉じる底部と、を含んでなる有底の収納具が不必要に拡がることを防止又は減少させることができる収納具を提供することを目的とする。
【課題を解決するための手段】
【０００７】
本発明の収納具（以下、「本収納具」という。）は、中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、第１線分縁と第２線分縁との間の底部上に存する線分である底部折り線に沿って底部を筒本体内部から見て山折りする底部折りが可能、及び／又は、第１線分縁に略平行な第１本体部上に存する第１折り線に沿って第１本体部を筒本体内部から見て山折りすると共に第２線分縁に略平行な第２本体部上に存する第２折り線に沿って第２本体部を筒本体内部から見て山折りする本体折りが可能であり、底部折り可能な場合には、底部折り線又はその近傍の底部の部分である折り線近傍部分を引き上げることで折り線近傍部分の筒本体に対する筒本体の一端方向への変位を制限することで底部折り状態を保持し、及び／又は、本体折り可能な場合には、第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものである、収納具である。
【０００８】
本収納具は、背景技術で説明したような、中空の筒本体と、筒本体の一端を閉じる底部と、を含んでなる有底の収納具である。この中空の筒本体の内部（中空の筒本体の内面と、底部の内面と、によって取り囲まれる）に被収納物を収納することができる。
底部の外縁は、線分に沿った少なくとも２の線分縁（該２の線分縁は第１線分縁と第２線分縁とを有する。）を有する。
筒本体は、第１本体部と、第２本体部と、を有してなる。第１本体部は、該２の線分縁のうちの第１線分縁の両端から筒本体の他端（底部が取り付けられる一端とは反対の端）まで延びる一対の略直線（なお、該一対の略直線は互いに交わらない。）に挟まれた筒本体の部分（筒本体の一端側の縁と、筒本体の他端側の縁と、該一対の略直線と、によって囲まれる部分）である。同様に、第２本体部は、該２の線分縁のうちの第２線分縁の両端から筒本体の他端（底部が取り付けられる一端とは反対の端）まで延びる一対の略直線（なお、該一対の略直線は互いに交わらない。）に挟まれた筒本体の部分（筒本体の一端側の縁と、筒本体の他端側の縁と、該一対の略直線と、によって囲まれる部分）である。
そして、第１本体部と底部とが第１線分縁の周りになす第１角度と、第２本体部と底部とが第２線分縁の周りになす第２角度と、が変化し得るよう両本体部（第１本体部及び第２本体部）と底部とが連結されている。
本収納具においては、底部折りが可能、及び／又は、本体折りが可能であり、詳述すれば、底部折りが可能であるが本体折りが不可能である場合、底部折りが不可能であるが本体折りが可能である場合、そして底部折りが可能であると共に本体折りが可能である場合の３つの場合を含む。ここに「底部折り」とは、第１線分縁と第２線分縁との間の底部上に存する線分（第１線分縁及び第２線分縁と交わらない底部を横断する線分）である底部折り線に沿って底部を筒本体内部から見て山折り（底部折り線の底部の部分が筒本体内部に向けて突出する方向に折ること）することをいう。「本体折り」とは、第１線分縁に略平行な第１本体部上に存する第１折り線（第１本体部を横断する線分）に沿って第１本体部を筒本体内部から見て山折り（第１折り線の第１本体部の部分が筒本体内部に向けて突出する方向に折ること）すると共に第２線分縁に略平行な第２本体部上に存する第２折り線（第２本体部を横断する線分）に沿って第２本体部を筒本体内部から見て山折り（第２折り線の第２本体部の部分が筒本体内部に向けて突出する方向に折ること）することをいう。
本収納具は引き上げ手段を有する。引き上げ手段は、底部折り可能な場合に底部折り状態を保持し、及び／又は、本体折り可能な場合に第１折り線に沿った第１本体部の該山折り状態を保持する。詳述すれば、引き上げ手段は、底部折り可能な場合に底部折り状態を保持するが、本体折り可能か否かは問わず第１折り線に沿った第１本体部の該山折り状態を保持しない場合、底部折り可能か否かは問わず底部折り状態を保持せず、本体折り可能な場合に第１折り線に沿った第１本体部の該山折り状態を保持する場合、そして底部折り可能な場合に底部折り状態を保持すると共に、本体折り可能な場合に第１折り線に沿った第１本体部の該山折り状態を保持する場合の３つの場合を含む。引き上げ手段が底部折り状態を保持することは、底部折り線又はその近傍の底部の部分である折り線近傍部分を筒本体に対して引き上げる（筒本体の他端方向に引っ張る）ことで折り線近傍部分の筒本体に対する筒本体の一端（底部が取り付けられる端）方向への変位を制限することで底部折り状態を保持する。引き上げ手段が第１折り線に沿った第１本体部の該山折り状態を保持することは、第１線分縁又はその近傍の底部の部分である線分縁近傍部分を筒本体に対して引き上げる（筒本体の他端方向に引っ張る）ことで線分縁近傍部分の筒本体に対する筒本体の一端（底部が取り付けられる端）方向への変位を制限することで第１折り線に沿った第１本体部の該山折り状態を保持する。
以上のようにして、本収納具においては、引き上げ手段により底部折り状態を保持し、及び／又は、第１折り線に沿った第１本体部の該山折り状態を保持することで、中空の筒本体と、筒本体の一端を閉じる底部と、を含んでなる有底の収納具が不必要に拡がること（第１本体部と第２本体部との間の距離が大きくなること）を防止又は減少させることができる。なお、収納具の拡がりは、引き上げ手段が折り線近傍部分及び／又は線分縁近傍部分を筒本体に対してどの程度引き上げる（筒本体の他端方向にどの程度引っ張る）かによって調節することができる。
【０００９】
本収納具においては、底部が略長方形であり、第１線分縁及び第２線分縁が該略長方形の対辺に形成されるものであってもよい。
中空の筒本体と、筒本体の一端を閉じる底部と、を含んでなる有底の収納具は、その取り扱いの容易さや筒本体内部に被収納物を容易に収納できることから、略長方形の底部とされることが多い。そして、略長方形の底部の場合、第１線分縁及び第２線分縁が該略長方形の対辺（通常は該略長方形の一対の長辺）に形成されれば、底部折り及び／又は本体折りによって本収納具をうまく折りたたむことができる。
【００１０】
本収納具においては、第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであってもよい。
筒本体は第１本体部と第２本体部とを有しているが、第１本体部と第２本体部との間に第１本体部と第２本体部とを連結する筒本体の部分が一対存在している。これら両本体部（第１本体部、第２本体部）を連結する一対の筒本体部分は、第１本体部と第２本体部との間の距離が変化した際、該距離の変化を吸収しうるものであってもよく、例えば、一対の筒本体部分を蛇腹状にしたり、一対の筒本体部分を伸縮自在な材質で形成したり、そして一対の筒本体部分を一対のまち部としてもよい。とりわけ一対のまち部とすれば、本収納具を底部折り及び／又は本体折りによってうまく折りたたむことができる。なお、一対のまち部を構成する各々のまち部は、いずれも第１本体部と第２本体部とを連結するように配設され、筒本体の他端（底部が取り付けられる端とは反対の端）側の該まち部の縁に存する点である他縁点と、筒本体の一端（底部が取り付けられる端）側の該まち部の縁に存する点である一縁点と他縁点とを結ぶ線分上に存する折り基準点と、を結ぶ線分（他縁点と折り基準点とを結ぶ線分）であるまち部折り線に沿って筒本体内部から見て山折り（まち部折り線のまち部の部分が筒本体内部に向けて突出する方向に折ること）又は谷折り（まち部折り線のまち部の部分が筒本体内部から見て遠ざかる方向に折ること）が可能なものである。このような第１本体部と第２本体部とを連結する一対のまち部は、各々がまち部折り線に沿って筒本体内部から見て山折り又は谷折りされることで、第１本体部と第２本体部との間の距離が増減してもその変化をうまく吸収することができる。
【００１１】
本収納具においては、引き上げ手段が、折り線近傍部分又は線分縁近傍部分に両端が直接又は間接に取り付けられた線材又は帯材を含んでなるもの（以下、「線材等本収納具」という。）であってもよい。
上述したように、引き上げ手段は、折り線近傍部分を筒本体に対して引き上げる（筒本体の他端方向に引っ張る）ことで折り線近傍部分の筒本体に対する筒本体の一端（底部が取り付けられる端）方向への変位を制限することで底部折り状態を保持するか、線分縁近傍部分を筒本体に対して引き上げる（筒本体の他端方向に引っ張る）ことで線分縁近傍部分の筒本体に対する筒本体の一端（底部が取り付けられる端）方向への変位を制限することで第１折り線に沿った第１本体部の山折り状態を保持するので、引き上げ手段が、折り線近傍部分又は線分縁近傍部分に両端が直接又は間接に取り付けられた線材又は帯材を含むようにすれば、この線材又は帯材を容易に引き上げることで折り線近傍部分又は線分縁近傍部分を筒本体に対して引き上げる（筒本体の他端方向に引っ張る）ことができ、底部折り状態を保持するか、第１折り線に沿った第１本体部の山折り状態を保持することができる。
【００１２】
線材等本収納具の場合、底部折り可能な場合であり、引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるもの（以下、「底補強部材本収納具」という。）であってもよい。
底部折り可能な場合において、底補強部材が、底部の内面の少なくとも一部に沿うように底部折り線に跨る（底部が底部折り線に沿って折られておらず平面をなす状態において該平面に対して垂直方向から見たときに底部折り線によって底補強部材が２の部分に分割される）よう配設されると共に、底部の折り線近傍部分に取り付けられる。
そして、引き上げ手段が含む前記の線材又は帯材の両端が底補強部材の底部折り線から離れた位置（底部が底部折り線に沿って折られておらず平面をなす状態において該平面に対して垂直方向から見たときに底部折り線から離れた底補強部材の位置）に取り付けられることで該両端が底補強部材を介して折り線近傍部分に間接に取り付けられる。
こうすることで、引き上げ手段が含む前記の線材又は帯材の両端が取り付けられた底補強部材の底部折り線から離れた位置が、この線材又は帯材を引き上げることで引き上げられ、底補強部材が「テコ」として作用することで、底補強部材が取り付けられた底部の折り線近傍部分を円滑かつ容易に筒本体に対して引き上げる（筒本体の他端方向に引っ張る）ことにより底部折り状態をうまく保持することができる。
【００１３】
底補強部材本収納具の場合、底補強部材の外縁が、第１線分縁に略沿った第１外縁部と、第２線分縁に略沿った第２外縁部と、を備えてなり、線材又は帯材の前記両端が第２外縁部に取り付けられるものであってもよい。
こうすることで底補強部材の外縁が、第１線分縁に略沿う（第１外縁部）と共に第２線分縁に略沿う（第２外縁部）ので、ほぼ第１線分縁と第２線分縁との間で底補強部材が底部を補強し、底部が破損することを防止又は減少させることができる。
そして、底補強部材が作用する「テコ」の力点（線材又は帯材の前記両端が取り付けられる第２外縁部）と作用点（底補強部材が取り付けられる底部の折り線近傍部分）との距離が大きくなることで、底部の折り線近傍部分を引き上げる（筒本体の他端方向に引っ張る）力を増加させることができ、底部折り状態を容易に保持することができる。
【００１４】
１１                  第１袋
２１                  第２袋
３１                  第３袋
４１                  第４袋
５１                  第５袋
６１                  第６袋
７１                  第７袋
８１                  第８袋
９１                  第９袋
９２                  第１０袋
７３                  底補強部材
７３ａ                横材
７３ｂ                縦材
７３ｆ１、７３ｆ２    外縁
７４ａ                一方側切り欠き部
７４ｂ                他方側切り欠き部
７６                  固定位置
１００                  第１の袋本体
１０１                  収容部
１０１ｎ                内部
１０３                  開口
１１１、１１３          本体部
１１３ｂ                折り線
１１３ｈ１、１１３ｈ２  紐通し穴
１１３ｈ１ａ、１１３ｈ２ａ  ハトメ部材
１１５                  底部
１１５ｂ                折り線
１１７、１１９          まち部
１１７ｂ、１１９ｂ      折り線
１１７ｂ１、１１９ｂ１  他縁点
１１７ｂ２、１１９ｂ２  一縁点
１１７ｃ１、１１７ｃ２  折り線
１１７ｐ、１１９ｐ      所定位置（折り基準点）
１１９ｃ１、１１９ｃ２  折り線
１２１                  持ち手
１３１                  吊り下げ紐
１３１ａ、１３１ｂ      端
１４１                  フック部材
１４１ａ、１４１ｂ      フック形状部分
１５１                  紐係止板
１５１ｈ１、１５１ｈ２  紐通し穴
１５１ｈ１ａ、１５１ｈ２ａ  ハトメ部材
１５４                  固定板
１５５                  フック部材
１５５ａ、１５５ｂ      フック形状部分
２００                  第２の袋本体
２０１                  収容部
２１７、２１９          まち部
２１７ｂ、２１９ｂ      折り線
２１７ｂ１、２１９ｂ１  他縁点
２１７ｂ２、２１９ｂ２  一縁点
２１７ｃ１、２１７ｃ２  折り線
２１７ｐ、２１９ｐ      所定位置
２１９ｃ１、２１９ｃ２  折り線
３５１                  紐係止具
３５３                  基板部
３５３ａ、３５３ｂ      主表面
３５５ａ、３５５ｂ      紐貫通穴
３５７ａ、３５７ｂ      筒部
３５９ａ、３５９ｂ、３５９ｃ  取付穴
４５１                  紐係止具
４５３                  帯材
４５５                  リング部材
４５６                  紐嵌入部分  
【表１】
0005243564.tif 000002
【表２】
0005243564.tif 000003
【００１５】
線材等本収納具の場合、線材又は帯材が、折り線近傍部分又は線分縁近傍部分に両端が直接又は間接に取り付けられてもよい。
折り線近傍部分又は線分縁近傍部分に線材又は帯材の両端が直接又は間接に取り付けられることで、線材又は帯材がその両端間が閉じられる（Ｕの字状のループ）ので、その閉じられた部分に手をかけて線材又は帯材を容易に引き上げたり、その閉じられた部分を他の物（例えば、フック等）に容易に係合させることができ、底部折り状態を保持するか、第１折り線に沿った第１本体部の山折り状態を保持することを容易に行うことができる。
【００１６】
線材等本収納具の場合、線材又は帯材の少なくとも一部を、折り線近傍部分又は線分縁近傍部分よりも筒本体の他端側に保持する引き上げ材保持手段を有するもの（以下、「引き上げ材保持本収納具」という。）であってもよい。
こうすることで引き上げ材保持手段が、線材又は帯材の少なくとも一部を、折り線近傍部分又は線分縁近傍部分よりも筒本体の他端（底部が取り付けられる端とは反対の端）側に保持するので、筒本体の他端側に通常存在する本収納具の使用者が、線材又は帯材の少なくとも一部を手で把持する等の線材又は帯材の操作開始を容易ならしめる（例えば、線材又は帯材が、本収納具の外部で下方に垂れ下がった状態や、下側に位置する底部の内面に置かれた状態であれば、線材又は帯材を使用者が容易に手に取ることができない場合がある。）。
【００１７】
引き上げ材保持本収納具の場合、貫通穴が筒本体の内部と外部とを連通させるよう折り線近傍部分又は線分縁近傍部分よりも筒本体の他端側に一対形成され、線材又は帯材が、筒本体の内部及び外部のうち線材又は帯材の両端が存する一方とは反対の他方の側において一対の貫通穴の間に架け渡されることで、該一対の貫通穴が形成された筒本体が引き上げ材保持手段として機能するものであってもよい。
折り線近傍部分又は線分縁近傍部分よりも筒本体の他端（底部が取り付けられる端とは反対の端）側の筒本体に、筒本体の内部と外部とを連通させるよう一対の貫通穴が形成される。そして、線材又は帯材が、筒本体の内部及び外部のうち線材又は帯材の両端が存する一方（通常、折り線近傍部分に両端が直接に取り付けられている場合であれば筒本体の内部であり、線分縁近傍部分に両端が直接に取り付けられている場合であれば筒本体の外部である。）とは反対の他方（通常、折り線近傍部分に両端が直接に取り付けられている場合であれば筒本体の外部であり、線分縁近傍部分に両端が直接に取り付けられている場合であれば筒本体の内部である。）の側において一対の貫通穴の間に架け渡される（換言すれば、筒本体の内部及び外部のうち一方には線材又は帯材の両端を含む両部分が存在すると共に該両部分の間に存する線材又は帯材の部分は該一方とは反対の他方の側に存する。）。これによって該一対の貫通穴が形成された筒本体が、引き上げ材保持手段として機能することができ、これにより引き上げ材保持手段を筒本体とは別個に形成する必要がない。
【００１８】
引き上げ材保持本収納具の場合、線材又は帯材を貫通させる貫通穴が形成された筒本体に取り付けられた筒本体とは別体の貫通穴形成部材を引き上げ材保持手段が有するものであってもよい。
このように引き上げ材保持手段が有する貫通穴形成部材を筒本体とは別体とすると共に、貫通穴形成部材が線材又は帯材を貫通させる貫通穴を有し、そしてこの貫通穴形成部材を筒本体に取り付けるようにすれば、線材又は帯材を貫通させる貫通穴を筒本体に対して高い自由度で配置することができるので、線材又は帯材の少なくとも一部を保持する位置を便利な位置とすることができる。
【００１９】
引き上げ材保持本収納具の場合、収納具を使用者が手で下げるための筒本体の他端から突出する取っ手を有し、筒本体の他端から突出する取っ手に線材又は帯材を引っかけることで、取っ手が引き上げ材保持手段として機能するものであってもよい。
本収納具は、内部に被収納物を収納すると共に可搬性を持たせるため、使用者が手で下げるための筒本体の他端（底部が取り付けられる端とは反対の端）から突出する取っ手を有するようにしてもよい。このような筒本体の他端（底部が取り付けられる端とは反対の端）から突出する取っ手を有する場合、その取っ手に線材又は帯材を引っかけることで、その取っ手を引き上げ材保持手段として機能させることができ、そうすれば引き上げ材保持手段を別個に形成する必要がない。
【００２０】
線材等本収納具の場合、収納具を使用者が手で下げるための取っ手を有し、使用者の手で、取っ手と一緒に線材又は帯材を握ると、折り線近傍部分又は線分縁近傍部分が引き上げられるものであってもよい。
こうすることで本収納具を搬送する際、使用者が手で取っ手を把持することで、容易に本収納具を使用者が手で下げることができ、さらに使用者の手で、取っ手と一緒に線材又は帯材を握ると、折り線近傍部分又は線分縁近傍部分が引き上げられるので、搬送中、底部折り状態を保持するか、第１折り線に沿った第１本体部の山折り状態を容易に保持することができる。
【００２１】
線材等本収納具の場合、折り線近傍部分又は線分縁近傍部分が引き上げられた状態で線材又は帯材を係止する係止手段を有するもの（以下、「線材等係止手段本収納具」という。）であってもよい。
こうすることで折り線近傍部分又は線分縁近傍部分が引き上げられ、底部折り又は第１折り線に沿った第１本体部の山折りの状態を、線材又は帯材を係止手段に係止させることで確実かつ容易に保持することができる。
【００２２】
線材等係止手段本収納具の場合、係止手段は、線材又は帯材を係止するフック部分が形成された筒本体とは別体の筒本体に取り付けられたフック部材を含んでなるものであってもよい。
線材又は帯材を係止するフック部分を有するフック部材を、筒本体とは別体に形成し、それを筒本体に取り付けることで、線材又は帯材を係止する位置を筒本体に対して高い自由度で選択できるので、本収納具を便利に使用できるよう線材又は帯材を高い自由度で配置できる。
【図面の簡単な説明】
【００２３】
【図１】本発明の第１実施形態の袋（第１袋）を示す図である。
【図２】第１袋の一部拡大図である。
【図３】吊り下げ紐を引き上げることで底部の折り線が上方向に引き上げられた状態の第１袋を示す図である。
【図４】底部の折り線が上方向に引き上げられた状態（図３）の第１袋の一部拡大図である。
【図５】本発明の第２実施形態の袋（第２袋）を示す図である。
【図６】吊り下げ紐を引き上げることで底部の折り線が上方向に引き上げられた状態の第２袋を示す図である。
【図７】本発明の第３実施形態の袋（第３袋）を示す図である。
【図８】吊り下げ紐を引き上げることで底部の折り線が上方向に引き上げられた状態の第３袋を示す図である。
【図９】本発明の第４実施形態の袋（第４袋）を示す図である。
【図１０】吊り下げ紐を引き上げることで底部の折り線が上方向に引き上げられた状態の第４袋を示す図である。
【図１１】本発明の第５実施形態の袋（第５袋）を示す図である。
【図１２】吊り下げ紐を引き上げることで底部の折り線が上方向に引き上げられた状態の第５袋を示す図である。
【図１３】本発明の第６実施形態の袋（第６袋）を示す図である。
【図１４】吊り下げ紐を引き上げることで底部の折り線が上方向に引き上げられた状態の第６袋６１を示す図である。
【図１５】本発明の第７実施形態の袋（第７袋）を示す図である。
【図１６】第７袋の一部拡大図である。
【図１７】吊り下げ紐を引き上げることで底部の折り線が上方向に引き上げられた状態の第７袋を示す図である。
【図１８】底部の折り線が上方向に引き上げられた状態（図１７）の第７袋の一部拡大図である。
【図１９】底補強部材を示す平面図である。
【図２０】本発明の第８実施形態の袋（第８袋）を示す図である。
【図２１】吊り下げ紐を引き上げることで底部の折り線が上方向に引き上げられた状態の第８袋を示す図である。
【図２２】第７袋及び第８袋の第１変形例を示す図である。
【図２３】第７袋及び第８袋の第１変形例の袋において、吊り下げ紐を引き上げることで底部の折り線が上方向に引き上げられた状態を示す図である。
【図２４】第７袋及び第８袋の第２変形例を示す図である。
【図２５】第７袋及び第８袋の第２変形例の袋において、吊り下げ紐を引き上げることで底部の折り線が上方向に引き上げられた状態を示す図である。
【図２６】第７袋及び第８袋の第３変形例を示す図である。
【図２７】第７袋及び第８袋の第３変形例の袋において、吊り下げ紐を引き上げることで底部の折り線が上方向に引き上げられた状態を示す図である。
【図２８】第７袋及び第８袋の第４変形例を示す図である。
【図２９】第７袋及び第８袋の第４変形例の袋において、吊り下げ紐を引き上げることで底部の折り線が上方向に引き上げられた状態を示す図である。
【図３０】本発明の第９実施形態の袋（第９袋）を示す図である。
【図３１】第９袋の一部拡大図である。
【図３２】吊り下げ紐を引き上げることで底部が回動されると共に本体部が折り線によって折り曲げられた状態の第９袋を示す図である。
【図３３】底部が回動されると共に本体部が折り線によって折り曲げられた状態（図３２）の第９袋の一部拡大図である。
【図３４】本発明の第１０実施形態の袋（第１０袋）を示す図である。
【図３５】吊り下げ紐を引き上げることで底部が回動されると共に本体部が折り線によって折り曲げられた状態の第１０袋を示す図である。
【図３６】第９袋及び第１０袋の第１変形例を示す図である。
【図３７】吊り下げ紐を引き上げることで底部が回動されると共に本体部が折り線によって折り曲げられた状態の第９袋及び第１０袋の第１変形例を示す図である。
【図３８】第９袋及び第１０袋の第２変形例を示す図である。
【図３９】吊り下げ紐を引き上げることで底部が回動されると共に本体部が折り線によって折り曲げられた状態の第９袋及び第１０袋の第２変形例を示す図である。
【図４０】第９袋及び第１０袋の第３変形例を示す図である。
【図４１】吊り下げ紐を引き上げることで底部が回動されると共に本体部が折り線によって折り曲げられた状態の第９袋及び第１０袋の第３変形例を示す図である。
【図４２】紐係止具を示す図である。
【図４３】紐係止具を示す図である。
【発明を実施するための形態】
【００２４】
本発明の実施の形態を図面を参照して詳述するが、本発明はこれに限定されるものではない。
【００２５】
（第１実施形態）
図１は、本発明の第１実施形態の袋（以下、「第１袋」という）１１を示す図であり、詳細には、図１（ａ）は第１袋１１を示す斜視図であり、図１（ｂ）は図１（ａ）のＡ−Ａ断面図である。図２は第１袋１１の一部拡大図であり、詳細には、図２（ａ）は図１（ａ）中の点線Ｂによって囲まれた部分の一部拡大図であり、図２（ｂ）は図２（ａ）のＣ−Ｃ断面図である。そして、図３は、後述するように、吊り下げ紐１３１を引き上げることで底部１１５の折り線１１５ｂが上方向に引き上げられた状態の第１袋１１を示す図であり、詳細には、図３（ａ）は底部１１５の折り線１１５ｂが上方向に引き上げられた状態の第１袋１１を示す斜視図であり、図３（ｂ）は図３（ａ）のＡ−Ａ断面図である。図４は底部１１５の折り線１１５ｂが上方向に引き上げられた状態（図３）の第１袋１１の一部拡大図であり、詳細には、図４（ａ）は図３（ａ）中の点線Ｂによって囲まれた部分の一部拡大図であり、図４（ｂ）は図４（ａ）のＣ−Ｃ断面図である。図１乃至図４を参照して、第１袋１１について説明する。
【００２６】
第１袋１１は、第１の袋本体１００と、吊り下げ紐１３１と、を含んで構成されている。
第１の袋本体１００は、有底無蓋の中空の直方体を略形成する紙製の収容部１０１と、収容部１０１の開口１０３を規定する開口縁近傍に取り付けられた一対の持ち手１２１と、を有してなる。
収容部１０１は、互いに対向する一対の本体部１１１、１１３（本体部１１１、１１３のいずれも同じ長方形を略なす）と、一対の本体部１１１、１１３の下縁を連結する底部１１５（長方形を略なす）と、一対の本体部１１１、１１３の間を連結し下縁が底部１１５に取り付けられる一対のまち部１１７、１１９（まち部１１７、１１９のいずれも同じ長方形を略なす）と、を含む。まち部１１７、１１９いずれも、本体部１１１、１１３に連なる両辺（ここではまち部１１７、１１９がなす長方形の一対の長辺）に平行かつ等しい距離に折り線１１７ｂ、１１９ｂが形成されている。そして、底部１１５には、折り線１１７ｂ、１１９ｂを結ぶように折り線１１５ｂが形成されている（ここでは底部１１５がなす長方形の一対の長辺（本体部１１１、１１３に連なる辺）に平行かつ等しい距離に折り線１１５ｂが形成されている。）。加えて、まち部１１７と底部１１５とが連なる辺の両端に向けて折り線１１７ｂの所定位置１１７ｐから一対の折り線１１７ｃ１、１１７ｃ２が形成されると共に、まち部１１９と底部１１５とが連なる辺の両端に向けて折り線１１９ｂの所定位置１１９ｐから一対の折り線１１９ｃ１、１１９ｃ２が形成されている（ここでは所定位置１１７ｐ及び所定位置１１９ｐは、底部１１５からの距離が等しい位置に存在している。）。
一対の持ち手１２１いずれも、両端が収容部１０１の開口１０３を規定する開口縁近傍に取り付けられたプラスチック製の紐状部材によって形成されており、一対の持ち手１２１を手で把持することで第１の袋本体１００（第１袋１１）を吊り下げて持つことができる。
なお、このような第１の袋本体１００は、手提げ紙製バック等として、これまで数多く用いられてきた。
【００２７】
収容部１０１の本体部１１３には、底部１１５からの高さがほぼ等しい位置に一対の紐通し穴１１３ｈ１、１１３ｈ２が穿設されている。紐通し穴１１３ｈ１、１１３ｈ２のいずれも、穴の周囲を補強するためのハトメ部材１１３ｈ１ａ、１１３ｈ２ａが取り付けられている（図２及び図４を参照されたい。図示を容易にするため、図１及び図３においてはハトメ部材１１３ｈ１ａ、１１３ｈ２ａの図示を省略している。）。
そして、吊り下げ紐１３１は、両端が底部１１５の折り線１１５ｂ近傍に取り付けられると共に、一部が紐通し穴１１３ｈ１、１１３ｈ２の間から収容部１０１の外部に露出（一対の紐通し穴１１３ｈ１、１１３ｈ２に掛け渡された状態）するよう吊り下げ紐１３１が取り付けられている。
このため図３及び図４に示すように、一対の持ち手１２１と一緒に一対の紐通し穴１１３ｈ１、１１３ｈ２に掛け渡された吊り下げ紐１３１を使用者が手（不図示）で把持することで、吊り下げ紐１３１の両端が取り付けられた底部１１５の折り線１１５ｂが上方向（一対の持ち手１２１に近づく方向）に引き上げられることによって、底部１１５の折り線１１５ｂが山折り（収容部１０１の内部１０１ｎから見て山折り）される。
底部１１５の折り線１１５ｂが山折り（収容部１０１の内部１０１ｎから見て山折り）されることで、まち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部１０１の内部１０１ｎから見て山折り）されることによって、一対の本体部１１１、１１３互いが近づき、第１袋１１の幅Ｗ（図１（ｂ）及び図２（ｂ）の寸法Ｗ→図３（ｂ）及び図４（ｂ）の寸法Ｗ）が小さくなる。
なお、収容部１０１の内部１０１ｎに物を収容する等のために、第１袋１１の幅Ｗを広げる必要がある場合には、一対の持ち手１２１と一緒に把持している吊り下げ紐１３１を放せば、図１及び図２のような状態に戻すことができる（図３（ｂ）及び図４（ｂ）の寸法Ｗ→図１（ｂ）及び図２（ｂ）の寸法Ｗ）。このように第１袋１１によれば、一対の紐通し穴１１３ｈ１、１１３ｈ２に掛け渡された吊り下げ紐１３１を手で把持するか否かによって、第１袋１１の幅Ｗを大きくするか（図１、図２）又は第１袋１１の幅を小さくするか（図３、図４）を自由に選択することができる。
【００２８】
以上の通り、第１袋１１は、両端（開口１０３を規定する開口縁と、底部１１５が取り付けられた縁）を有する中空の筒本体（本体部１１１、１１３とまち部１１７、１１９とを含んでなる）と、筒本体（本体部１１１、１１３とまち部１１７、１１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３とまち部１１７、１１９）が、２の線分縁（底部１１５がなす略長方形の一対の長辺）のうちの第１線分縁（該一対の長辺のうち本体部１１１に連なる辺）の両端から筒本体（本体部１１１、１１３とまち部１１７、１１９）の他端（底部１１５が取り付けられる一端とは反対の上端（持ち手１２１側の端））まで延びる一対の略直線（ここでは本体部１１１がなす略長方形の４の辺のうちまち部１１７、１１９に連なる一対の対辺）に挟まれた筒本体（本体部１１１、１１３とまち部１１７、１１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３とまち部１１７、１１９）の他端（底部１１５が取り付けられる一端とは反対の上端（持ち手１２１側の端））まで延びる一対の略直線（ここでは本体部１１３がなす略長方形の４の辺のうちまち部１１７、１１９に連なる一対の対辺）に挟まれた筒本体（本体部１１１、１１３とまち部１１７、１１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３とまち部１１７、１１９）内部（内部１０１ｎ）から見て山折りする底部折り（図３、図４）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３とまち部１１７、１１９）に対する筒本体（本体部１１１、１１３とまち部１１７、１１９）の一端（底部１１５が取り付けられる端。ここでは下端）方向への変位を制限することで底部折り状態（図３、図４）を保持する引き上げ手段（ここでは吊り下げ紐１３１）を有するものである、収納具である。
【００２９】
第１袋１１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第１袋１１においては、第１本体部（本体部１１１）と第２本体部（本体部１１３）との間を連結する一対のまち部１１７、１１９であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１（図１（ａ）参照）と、筒本体（本体部１１１、１１３とまち部１１７、１１９）の一端（底部１１５が取り付けられる一端である下端）側の縁に存する点である一縁点１１７ｂ２、１１９ｂ２（図１（ａ）参照）と他縁点１１７ｂ１、１１９ｂ１とを結ぶ線分上に存する折り基準点（所定位置１１７ｐ、１１９ｐ）と、を結ぶ線分であるまち部折り線（他縁点１１７ｂ１、１１９ｂ１と所定位置１１７ｐ、１１９ｐとの間の線分）に沿って筒本体（本体部１１１、１１３とまち部１１７、１１９）内部（内部１０１ｎ）から見て山折りが可能な一対のまち部１１７、１１９を筒本体（本体部１１１、１１３とまち部１１７、１１９）が備えるものである。
【００３０】
第１袋１１においては、引き上げ手段（吊り下げ紐１３１）が、折り線近傍部分に両端が直接に取り付けられた線材又は帯材（ここでは紐）を含んでなる。そして、線材又は帯材が、折り線近傍部分に両端が直接に取り付けられている。  第１袋１１においては、線材又は帯材（吊り下げ紐１３１）の少なくとも一部を、折り線近傍部分よりも筒本体（本体部１１１、１１３とまち部１１７、１１９）の他端（底部１１５が取り付けられる一端とは反対の上端（持ち手１２１側の端））側に保持する引き上げ材保持手段（ここでは一対の紐通し穴１１３ｈ１、１１３ｈ２が形成された本体部１１３を含んで構成される）を有するものである。
第１袋１１においては、貫通穴（ここでは一対の紐通し穴１１３ｈ１、１１３ｈ２）が筒本体（本体部１１１、１１３とまち部１１７、１１９）の内部（内部１０１ｎ）と外部とを連通させるよう折り線近傍部分よりも筒本体（本体部１１１、１１３とまち部１１７、１１９）の他端（底部１１５が取り付けられる一端とは反対の上端（持ち手１２１側の端））側に一対形成され、線材又は帯材（吊り下げ紐１３１）が、筒本体（本体部１１１、１１３とまち部１１７、１１９）の内部１０１ｎ及び外部のうち線材又は帯材（吊り下げ紐１３１）の両端１３１ａ、１３１ｂが存する一方（ここでは内部１０１ｎ）とは反対の他方（ここでは外部）の側において一対の貫通穴（一対の紐通し穴１１３ｈ１、１１３ｈ２）の間に架け渡されることで、該一対の貫通穴（一対の紐通し穴１１３ｈ１、１１３ｈ２）が形成された筒本体（本体部１１１、１１３とまち部１１７、１１９）が引き上げ材保持手段として機能する。
第１袋１１においては、収納具（第１袋１１）を使用者が手で下げるための取っ手（持ち手１２１）を有し、使用者の手で、取っ手（持ち手１２１）と一緒に線材又は帯材（吊り下げ紐１３１）を握ると、折り線近傍部分が引き上げられる（図３、図４）。
【００３１】
（第２実施形態）
図５は、本発明の第２実施形態の袋（以下、「第２袋」という）２１を示す図であり、詳細には、図５（ａ）は第２袋２１を示す斜視図であり、図５（ｂ）は図５（ａ）のＡ−Ａ断面図である。図６は、後述するように、吊り下げ紐１３１を引き上げることで底部１１５の折り線１１５ｂが上方向に引き上げられた状態の第２袋２１を示す図であり、詳細には、図６（ａ）は底部１１５の折り線１１５ｂが上方向に引き上げられた状態の第２袋２１を示す斜視図であり、図６（ｂ）は図６（ａ）のＡ−Ａ断面図である。なお、第１実施形態の説明に用いた図２及び図４が示す状態は、第２実施形態においても同様であるので（図２は図５の第２袋２１の一部拡大図に、そして図４は図６の第２袋２１のように底部１１５の折り線１１５ｂが上方向に引き上げられた状態の一部拡大図に該当する。）、第２袋１１について図２、図４、図５及び図６を参照しつつ説明する（第２袋２１は第１袋１１に比し、後述するように、まち部２１７、２１９の折り方向が異なるのみである）。
第２袋２１は、第２の袋本体２００と、吊り下げ紐１３１と、を含んで構成されている。
第２の袋本体２００は、有底無蓋の中空の直方体を略形成する紙製の収容部２０１と、収容部２０１の開口１０３を規定する開口縁近傍に取り付けられた一対の持ち手１２１と、を有してなる。
収容部２０１は、互いに対向する一対の本体部１１１、１１３（本体部１１１、１１３のいずれも同じ長方形を略なす）と、一対の本体部１１１、１１３の下縁を連結する底部１１５（長方形を略なす）と、一対の本体部１１１、１１３の間を連結し下縁が底部１１５に取り付けられる一対のまち部２１７、２１９（まち部２１７、２１９のいずれも同じ長方形を略なす）と、を含む。まち部２１７、２１９いずれも、本体部１１１、１１３に連なる辺（ここではまち部２１７、２１９がなす長方形の一対の長辺（本体部１１１、１１３に連なる辺）に平行かつ等しい距離に折り線２１７ｂ、２１９ｂが形成されている。そして、底部１１５には、折り線２１７ｂ、２１９ｂを結ぶように折り線１１５ｂが形成されている（ここでは底部１１５がなす長方形の一対の長辺（本体部１１１、１１３に連なる辺）に平行かつ等しい距離に折り線１１５ｂが形成されている。）。加えて、まち部２１７と底部１１５とが連なる辺の両端に向けて折り線２１７ｂの所定位置２１７ｐから一対の折り線２１７ｃ１、２１７ｃ２が形成されると共に、まち部２１９と底部１１５とが連なる辺の両端に向けて折り線２１９ｂの所定位置２１９ｐから一対の折り線２１９ｃ１、２１９ｃ２が形成されている（ここでは所定位置２１７ｐ及び所定位置２１９ｐは、底部１１５からの距離が等しい位置に存在している。）。
一対の持ち手１２１いずれも、両端が収容部２０１の開口１０３を規定する開口縁近傍に取り付けられたプラスチック製の紐状部材によって形成されており、一対の持ち手１２１を手で把持することで第２の袋本体２００（第２袋２１）を吊り下げて持つことができる。
なお、このような第２の袋本体２００は、手提げ紙製バック等として、これまで数多く用いられてきたものであり、上述の第１の袋本体１００に比して、図６に示されるようにまち部２１７、２１９いずれも折り線２１７ｂ、２１９ｂが谷折り（収容部２０１の内部１０１ｎから見て谷折り）されることが異なるのみで、それ以外の点は同様である。
【００３２】
収容部２０１の本体部１１３には、底部１１５からの高さがほぼ等しい位置に一対の紐通し穴１１３ｈ１、１１３ｈ２が穿設されている。なお、紐通し穴１１３ｈ１、１１３ｈ２のいずれも、穴の周囲を補強するためのハトメ部材１１３ｈ１ａ、１１３ｈ２ａ（図２、図４参照）が取り付けられている（図示を容易にするため、図５及び図６においてはハトメ部材１１３ｈ１ａ、１１３ｈ２ａの図示を省略している）。
そして、吊り下げ紐１３１は、両端が底部１１５の折り線１１５ｂ近傍に取り付けられると共に、一部が紐通し穴１１３ｈ１、１１３ｈ２の間から収容部２０１の外部に露出（一対の紐通し穴１１３ｈ１、１１３ｈ２に掛け渡された状態）するよう取り付けられている。
このため図６に示すように、一対の持ち手１２１と一緒に一対の紐通し穴１１３ｈ１、１１３ｈ２に掛け渡された吊り下げ紐１３１を第２袋２１の使用者が手（不図示）で把持することで、吊り下げ紐１３１の両端が取り付けられた底部１１５の折り線１１５ｂが上方向（一対の持ち手１２１に近づく方向）に引き上げられることによって、底部１１５の折り線１１５ｂが山折り（収容部２０１の内部１０１ｎから見て山折り）される。
底部１１５の折り線１１５ｂが山折り（収容部２０１の内部１０１ｎから見て山折り）されることで、まち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部２０１の内部１０１ｎから見て谷折り）されることによって、一対の本体部１１１、１１３互いが近づき、第２袋２１の幅Ｗ（図５（ｂ）及び図２（ｂ）の寸法Ｗ→図６（ｂ）及び図４（ｂ）の寸法Ｗ）が小さくなる。
なお、収容部２０１の内部に物を収容する等のために、第２袋２１の幅Ｗを広げる必要がある場合には、一対の持ち手１２１と一緒に把持している吊り下げ紐１３１を放せば、図５のような状態に戻すことができる（図６（ｂ）及び図４（ｂ）の寸法Ｗ→図５（ｂ）及び図２（ｂ）の寸法Ｗ）。このように第２袋２１によれば、一対の紐通し穴１１３ｈ１、１１３ｈ２に掛け渡された吊り下げ紐１３１を手で把持するか否かによって、第２袋２１の幅Ｗを大きくするか（図５）又は第２袋２１の幅Ｗを小さくするか（図６）を自由に選択することができる。
【００３３】
以上説明した通り、第２袋２１は、両端（開口１０３を規定する開口縁と、底部１１５が取り付けられた縁）を有する中空の筒本体（本体部１１１、１１３とまち部２１７、２１９とを含んでなる）と、筒本体（本体部１１１、１１３とまち部２１７、２１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３とまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３とまち部２１７、２１９）の他端（底部１１５が取り付けられる一端とは反対の上端（持ち手１２１側の端））まで延びる一対の略直線（ここでは本体部１１１がなす略長方形の４の辺のうちまち部２１７、２１９に連なる一対の対辺）に挟まれた筒本体（本体部１１１、１１３とまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３とまち部２１７、２１９）の他端（底部１１５が取り付けられる一端とは反対の上端（持ち手１２１側の端））まで延びる一対の略直線（ここでは本体部１１３がなす略長方形の４の辺のうちまち部２１７、２１９に連なる一対の対辺）に挟まれた筒本体（本体部１１１、１１３とまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３とまち部２１７、２１９）内部（内部１０１ｎ）から見て山折りする底部折り（図６、図４）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３とまち部２１７、２１９）に対する筒本体（本体部１１１、１１３とまち部２１７、２１９）の一端（底部１１５が取り付けられる端。ここでは下端）方向への変位を制限することで底部折り状態（図６、図４）を保持する引き上げ手段（ここでは吊り下げ紐１３１）を有するものである、収納具である。
【００３４】
第２袋２１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第２袋２１においては、第１本体部（本体部１１１）と第２本体部（本体部１１３）との間を連結する一対のまち部２１７、２１９であって、筒本体（本体部１１１、１１３とまち部２１７、２１９）の他端（底部１１５が取り付けられる一端とは反対の上端（持ち手１２１側の端））側の縁に存する点である他縁点２１７ｂ１、２１９ｂ１（図５（ａ）参照）と、筒本体（本体部１１１、１１３とまち部２１７、２１９）の一端（底部１１５が取り付けられる一端である下端）側の縁に存する点である一縁点２１７ｂ２、２１９ｂ２（図５（ａ）参照）と他縁点２１７ｂ１、２１９ｂ１とを結ぶ線分上に存する折り基準点（所定位置２１７ｐ、２１９ｐ）と、を結ぶ線分であるまち部折り線（他縁点２１７ｂ１、２１９ｂ１と所定位置２１７ｐ、２１９ｐとの間の線分）に沿って筒本体（本体部１１１、１１３とまち部２１７、２１９）内部（内部１０１ｎ）から見て谷折りが可能な一対のまち部２１７、２１９を筒本体（本体部１１１、１１３とまち部２１７、２１９）が備えるものである。
【００３５】
第２袋２１においては、引き上げ手段（吊り下げ紐１３１）が、折り線近傍部分に両端が直接に取り付けられた線材又は帯材（ここでは紐）を含んでなる。そして、線材又は帯材が、折り線近傍部分に両端が直接に取り付けられている。  第２袋２１においては、線材又は帯材（吊り下げ紐１３１）の少なくとも一部を、折り線近傍部分よりも筒本体（本体部１１１、１１３とまち部２１７、２１９）の他端（底部１１５が取り付けられる一端とは反対の上端（持ち手１２１側の端））側に保持する引き上げ材保持手段（ここでは一対の紐通し穴１１３ｈ１、１１３ｈ２が形成された本体部１１３を含んで構成される）を有するものである。
第２袋２１においては、貫通穴（ここでは一対の紐通し穴１１３ｈ１、１１３ｈ２）が筒本体（本体部１１１、１１３とまち部２１７、２１９）の内部（内部１０１ｎ）と外部とを連通させるよう折り線近傍部分よりも筒本体（本体部１１１、１１３とまち部２１７、２１９）の他端（底部１１５が取り付けられる一端とは反対の上端（持ち手１２１側の端））側に一対形成され、線材又は帯材（吊り下げ紐１３１）が、筒本体（本体部１１１、１１３とまち部２１７、２１９）の内部１０１ｎ及び外部のうち線材又は帯材（吊り下げ紐１３１）の両端１３１ａ、１３１ｂが存する一方（ここでは内部１０１ｎ）とは反対の他方（ここでは外部）の側において一対の貫通穴（一対の紐通し穴１１３ｈ１、１１３ｈ２）の間に架け渡されることで、該一対の貫通穴（一対の紐通し穴１１３ｈ１、１１３ｈ２）が形成された筒本体（本体部１１１、１１３とまち部２１７、２１９）が引き上げ材保持手段として機能する。
第２袋２１においては、収納具（第２袋２１）を使用者が手で下げるための取っ手（持ち手１２１）を有し、使用者の手で、取っ手（持ち手１２１）と一緒に線材又は帯材（吊り下げ紐１３１）を握ると、折り線近傍部分が引き上げられる（図６、図４）。
【００３６】
（第３実施形態）
図７は、本発明の第３実施形態の袋（以下、「第３袋」という）３１を示す図であり、第１袋１１及び第２袋２１を示す図２と同様の図である。具体的には、図７（ａ）は図２（ａ）と同様の位置を示す一部拡大斜視図であり、図７（ｂ）は図７（ａ）のＣ−Ｃ断面図である（図２（ｂ）と同様である）。図８は、後述する
ように、吊り下げ紐１３１を引き上げることで底部１１５の折り線１１５ｂが上方向に引き上げられた状態の第３袋３１を示す図（図４と同様の図である）であり、詳細には、図８（ａ）は底部１１５の折り線１１５ｂが上方向に引き上げられた状態の第３袋３１を示す一部拡大斜視図（図４（ａ）と同様の図である）であり、図８（ｂ）は図８（ａ）のＣ−Ｃ断面図（図４（ｂ）と同様の図である）である。
第３実施形態の第３袋３１は、第１の袋本体１００及び第２の袋本体２００のいずれにも（まち部の折り線が山折りか谷折りかの別を問わず）適用できるものであり、これら第１の袋本体１００及び第２の袋本体２００は既に詳しく説明したのでここでは説明を省略する（換言すれば、第３袋３１として示す実施形態は、第１の袋本体１００に適用することもできるし、第２の袋本体２００に適用することもできる。）。
【００３７】
第３袋３１においても、本体部１１３には、底部１１５からの高さがほぼ等しい位置に一対の紐通し穴１１３ｈ１、１１３ｈ２が穿設されている。紐通し穴１１３ｈ１、１１３ｈ２のいずれも、穴の周囲を補強するためのハトメ部材１１３ｈ１ａ、１１３ｈ２ａが取り付けられている。
そして、吊り下げ紐１３１は、両端１３１ａ、１３１ｂが底部１１５の折り線１１５ｂ近傍に取り付けられると共に、一部が紐通し穴１１３ｈ１、１１３ｈ２の間から外部に露出（一対の紐通し穴１１３ｈ１、１１３ｈ２に掛け渡された状態）するよう取り付けられている。
加えて、紐通し穴１１３ｈ１、１１３ｈ２よりも上方向（持ち手１２１に近づく方向）の本体部１１３の外面側（内部１０１ｎとは反対側）には、フック部材１４１（吊り下げ紐１３１を引っかけて係止できるようフック形状部分１４１ａ、１４１ｂを有する。）が取り付けられている。
このため図８に示すように、紐通し穴１１３ｈ１、１１３ｈ２に掛け渡された吊り下げ紐１３１を上方向（持ち手１２１に近づく方向）に引き上げ吊り下げ紐１３１をフック部材１４１（フック形状部分１４１ａ、１４１ｂ）に係止させることで、吊り下げ紐１３１の両端１３１ａ、１３１ｂが取り付けられた底部１１５の折り線１１５ｂが上方向（一対の持ち手１２１に近づく方向）に引き上げられることによって、底部１１５の折り線１１５ｂが山折り（収容部の内部１０１ｎから見て山折り）される。
底部１１５の折り線１１５ｂが山折り（内部１０１ｎから見て山折り）されることで、第１の袋本体１００に適用された場合であれば、まち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、又は第２の袋本体２００に適用された場合であれば、まち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第３袋３１の幅Ｗ（図７（ｂ）の寸法Ｗ→図８（ｂ）の寸法Ｗ）が小さくなる。
なお、収容部の内部１０１ｎに物を収容する等のために、第３袋３１の幅Ｗを広げる必要がある場合には、フック部材１４１（フック形状部分１４１ａ、１４１ｂ）に係止された吊り下げ紐１３１をフック部材１４１から解放すれば、図７のような状態に戻すことができる（図８（ｂ）の寸法Ｗ→図７（ｂ）の寸法Ｗ）。このように第３袋３１によれば、一対の紐通し穴１１３ｈ１、１１３ｈ２に掛け渡された吊り下げ紐１３１をフック部材１４１に係止するか否かによって、第３袋３１の幅Ｗを大きくするか（図７）又は第３袋３１の幅を小さくするか（図８）を自由に選択することができる。
【００３８】
以上説明したように、第３袋３１は、両端（開口１０３を規定する開口縁と、底部１１５が取り付けられた縁）を有する中空の筒本体（第１の袋本体１００に適用された場合であれば本体部１１１、１１３とまち部１１７、１１９とを含んでなり、第２の袋本体２００に適用された場合であれば本体部１１１、１１３とまち部２１７、２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図８）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図８）を保持する引き上げ手段（ここでは吊り下げ紐１３１）を有するものである、収納具である。
【００３９】
第３袋３１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第３袋３１においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第１の袋本体１００に適用された場合）又は谷折り（第２の袋本体２００に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００４０】
第３袋３１においては、引き上げ手段（吊り下げ紐１３１）が、折り線近傍部分に両端が直接に取り付けられた線材又は帯材（ここでは紐）を含んでなる。そして、線材又は帯材（吊り下げ紐１３１）が、折り線近傍部分に両端が直接に取り付けられている。
第３袋３１においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１１３ｈ１、１１３ｈ２が形成された本体部１１３を含んで構成される）を有するものである。
第３袋３１においては、貫通穴（ここでは一対の紐通し穴１１３ｈ１、１１３ｈ２）が筒本体（本体部１１１、１１３と、まち部１１７、１１９又はまち部２１７、２１９）の内部（内部１０１ｎ）と外部とを連通させるよう折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に一対形成され、線材又は帯材（吊り下げ紐１３１）が、筒本体（本体部１１１、１１３と、まち部１１７、１１９又はまち部２１７、２１９）の内部１０１ｎ及び外部のうち線材又は帯材（吊り下げ紐１３１）の両端１３１ａ、１３１ｂが存する一方（ここでは内部１０１ｎ）とは反対の他方（ここでは外部）の側において一対の貫通穴（一対の紐通し穴１１３ｈ１、１１３ｈ２）の間に架け渡されることで、該一対の貫通穴（一対の紐通し穴１１３ｈ１、１１３ｈ２）が形成された筒本体（本体部１１１、１１３と、まち部１１７、１１９又はまち部２１７、２１９）が引き上げ材保持手段として機能する。
第３袋３１においては、折り線近傍部分が引き上げられた状態（図８）で線材又は帯材（吊り下げ紐１３１）を係止する係止手段（ここではフック部材１４１）を有するものである。
第３袋３１においては、係止手段（フック部材１４１）は、線材又は帯材（吊り下げ紐１３１）を係止するフック部分（ここではフック形状部分１４１ａ、１４１ｂ）が形成された筒本体（本体部１１１、１１３と、まち部１１７、１１９又はまち部２１７、２１９）とは別体の筒本体（本体部１１１、１１３と、まち部１１７、１１９又はまち部２１７、２１９）に取り付けられたフック部材（フック部材１４１）を含んでなる。
【００４１】
（第４実施形態）
図９は、本発明の第４実施形態の袋（以下、「第４袋」という）４１を示す図であり、第１袋１１及び第２袋２１を示す図２と同様の図である。具体的には、図９（ａ）は図２（ａ）と同様の位置を示す一部拡大斜視図であり、図９（ｂ）は図９（ａ）のＣ−Ｃ断面図である（図２（ｂ）と同様である）。図１０は、後述するように、吊り下げ紐１３１を引き上げることで底部１１５の折り線１１５ｂが上方向に引き上げられた状態の第４袋４１を示す図（図４と同様の図である）であり、詳細には、図１０（ａ）は底部１１５の折り線１１５ｂが上方向に引き上げられた状態の第４袋４１を示す一部拡大斜視図（図４（ａ）と同様の図である）であり、図１０（ｂ）は図１０（ａ）のＣ−Ｃ断面図（図４（ｂ）と同様の図である）である。
第４実施形態の第４袋４１は、第１の袋本体１００及び第２の袋本体２００のいずれにも（まち部の折り線が山折りか谷折りかの別を問わず）適用できるものであり、これら第１の袋本体１００及び第２の袋本体２００は既に詳しく説明したのでここでは説明を省略する（換言すれば、第４袋４１として示す実施形態は、第１の袋本体１００に適用することもできるし、第２の袋本体２００に適用することもできる。）。
【００４２】
第４袋４１においては、本体部１１３の裏面側（収容部の内部１０１ｎに面する側）には、紐係止板１５１が取り付けられている。紐係止板１５１は、両主表面が略長方形をなす紙製の板状部材によって形成されており、ここでは本体部１１３に取り付ける持ち手１２１の固定板１５４（紙製）と一体に形成されている。なお、ここでは紐係止板１５１は、それが取り付けられる本体部１１３の材質と同じ材質によって形成されており、本体部１１３の材質が紙であれば紙製とされ、本体部１１３の材質が布であれば布製とされ、そして本体部１１３の材質が皮（合成、天然）であれば皮（合成、天然）製とされる。持ち手１２１の固定板１５４は、持ち手１２１の両端が本体部１１３の裏面に確実に固定されるよう本体部１１３の裏面に接着され（持ち手１２１の両端は本体部１１３の裏面と固定板１５４との間に挟まれた状態で接着される）、固定板１５４に対して紐係止板１５１は該略長方形の長辺（ここでは底部１１５に対して該長辺が略平行になっている）に沿って該長辺を軸として回動可能に本体部１１３の裏面に取り付けられている。紐係止板１５１には、底部１１５からの高さがほぼ等しい位置（紐係止板１５１の両主表面がなす略長方形の一対の長辺と略平行な線分に沿った位置）に一対の紐通し穴１５１ｈ１、１５１ｈ２が穿設されている。紐通し穴１５１ｈ１、１５１ｈ２のいずれも、穴の周囲を補強するためのハトメ部材１５１ｈ１ａ、１５１ｈ２ａが取り付けられている。
そして、吊り下げ紐１３１は、両端１３１ａ、１３１ｂが底部１１５の折り線１１５ｂ近傍に取り付けられると共に、紐通し穴１５１ｈ１、１５１ｈ２を通過（一対の紐通し穴１５１ｈ１、１５１ｈ２に掛け渡された状態）するよう取り付けられている。詳述すれば、吊り下げ紐１３１の両端１３１ａ、１３１ｂの間に存する一部が紐係止板１５１の両主表面のうち一面側にて紐通し穴１５１ｈ１、１５１ｈ２に掛け渡されていると共に、吊り下げ紐１３１の両端１３１ａ、１３１ｂを含む部分は紐係止板１５１の両主表面のうち他面側に突出しており、該両端１３１ａ、１３１ｂが底部１１５の折り線１１５ｂ近傍に取り付けられている。
このため図１０に示すように、一対の持ち手１２１と一緒に一対の紐通し穴１５１ｈ１、１５１ｈ２に掛け渡された吊り下げ紐１３１を使用者が手（不図示）で把持することで、吊り下げ紐１３１の両端１３１ａ、１３１ｂが取り付けられた底部１１５の折り線１１５ｂが上方向（一対の持ち手１２１に近づく方向）に引き上げられることによって、底部１１５の折り線１１５ｂが山折り（収容部の内部１０１ｎから見て山折り）される。
底部１１５の折り線１１５ｂが山折り（内部１０１ｎから見て山折り）されることで、第１の袋本体１００に適用された場合であれば、まち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、又は第２の袋本体２００に適用された場合であれば、まち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第４袋４１の幅Ｗ（図９（ｂ）の寸法Ｗ→図１０（ｂ）の寸法Ｗ）が小さくなる。
なお、収容部の内部１０１ｎに物を収容する等のために、第４袋４１の幅Ｗを広げる必要がある場合には、一対の持ち手１２１と一緒に把持している吊り下げ紐１３１を放せば、図９のような状態に戻すことができる（図１０（ｂ）の寸法Ｗ→図９（ｂ）の寸法Ｗ）。このように第４袋４１によれば、一対の紐通し穴１５１ｈ１、１５１ｈ２に掛け渡された吊り下げ紐１３１を手で把持するか否かによって、第４袋４１の幅Ｗを大きくするか（図９）又は第４袋４１の幅Ｗを小さくするか（図１０）を自由に選択することができる。
【００４３】
以上説明したように、第４袋４１は、両端（開口１０３を規定する開口縁と、底部１１５が取り付けられた縁）を有する中空の筒本体（第１の袋本体１００に適用された場合であれば本体部１１１、１１３とまち部１１７、１１９とを含んでなり、第２の袋本体２００に適用された場合であれば本体部１１１、１１３とまち部２１７、２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図１０）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図１０）を保持する引き上げ手段（ここでは吊り下げ紐１３１）を有するものである、収納具である。
【００４４】
第４袋４１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第４袋４１においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第１の袋本体１００に適用された場合）又は谷折り（第２の袋本体２００に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００４５】
第４袋４１においては、引き上げ手段（吊り下げ紐１３１）が、折り線近傍部分に両端が直接に取り付けられた線材又は帯材（ここでは紐）を含んでなる。そして、線材又は帯材（吊り下げ紐１３１）が、折り線近傍部分に両端が直接に取り付けられている。
第４袋４１においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
第４袋４１においては、線材又は帯材（吊り下げ紐１３１）を貫通させる貫通穴（一対の紐通し穴１５１ｈ１、１５１ｈ２）が形成された筒本体（本体部１１１、１１３と、まち部１１７、１１９又はまち部２１７、２１９）に取り付けられた筒本体（本体部１１１、１１３と、まち部１１７、１１９又はまち部２１７、２１９）とは別体の貫通穴形成部材（ここでは紐係止板１５１）を引き上げ材保持手段が有するものである。
第４袋４１においては、収納具（第４袋４１）を使用者が手で下げるための取っ手（持ち手１２１）を有し、使用者の手で、取っ手（持ち手１２１）と一緒に線材又は帯材（吊り下げ紐１３１）を握ると（図１０）、折り線近傍部分が引き上げられる。
【００４６】
（第５実施形態）
図１１は、本発明の第５実施形態の袋（以下、「第５袋」という）５１を示す図であり、第１袋１１及び第２袋２１を示す図２と同様の図である。具体的には、図１１（ａ）は図２（ａ）と同様の位置を示す一部拡大斜視図であり、図１１（ｂ）は図１１（ａ）のＣ−Ｃ断面図である（図２（ｂ）と同様である）。図１２は、後述するように、吊り下げ紐１３１を引き上げることで底部１１５の折り線１１５ｂが上方向に引き上げられた状態の第５袋５１を示す図（図４と同様の図である）であり、詳細には、図１２（ａ）は底部１１５の折り線１１５ｂが上方向に引き上げられた状態の第５袋５１を示す一部拡大斜視図（図４（ａ）と同様の図である）であり、図１２（ｂ）は図１２（ａ）のＣ−Ｃ断面図（図４（ｂ）と同様の図である）である。
第５実施形態の第５袋５１は、第１の袋本体１００及び第２の袋本体２００のいずれにも（まち部の折り線が山折りか谷折りかの別を問わず）適用できるものであり、これら第１の袋本体１００及び第２の袋本体２００は既に詳しく説明したのでここでは説明を省略する（換言すれば、第５袋５１として示す実施形態は、第１の袋本体１００に適用することもできるし、第２の袋本体２００に適用することもできる。）。
【００４７】
第５袋５１においても、第４袋４１と同様、本体部１１３の裏面側（収容部の内部１０１ｎに面する側）には、紐係止板１５１が取り付けられている。紐係止板１５１は、両主表面が略長方形をなす紙製の板状部材によって形成されており、ここでは本体部１１３に取り付ける持ち手１２１の固定板１５４（紙製）と別体に形成されている。なお、ここでは紐係止板１５１は、それが取り付けられる本体部１１３の材質と同じ材質によって形成されており、本体部１１３の材質が紙であれば紙製とされ、本体部１１３の材質が布であれば布製とされ、そして本体部１１３の材質が皮（合成、天然）であれば皮（合成、天然）製とされる。持ち手１２１の固定板１５４は、持ち手１２１の両端が本体部１１３の裏面に確実に固定されるよう本体部１１３の裏面に接着される（持ち手１２１の両端は本体部１１３の裏面と固定板１５４との間に挟まれた状態で接着される）。紐係止板１５１は該略長方形の長辺（ここでは底部１１５に対して該長辺が略平行になっている）に沿って該長辺を軸として回動可能に本体部１１３の裏面に取り付け（接着）られている。紐係止板１５１には、底部１１５からの高さがほぼ等しい位置（紐係止板１５１の両主表面がなす略長方形の一対の長辺と略平行な線分に沿った位置）に一対の紐通し穴１５１ｈ１、１５１ｈ２が穿設されている。紐通し穴１５１ｈ１、１５１ｈ２のいずれも、穴の周囲を補強するためのハトメ部材１５１ｈ１ａ、１５１ｈ２ａが取り付けられている。
そして、吊り下げ紐１３１は、両端１３１ａ、１３１ｂが底部１１５の折り線１１５ｂ近傍に取り付けられると共に、紐通し穴１５１ｈ１、１５１ｈ２を通過（一対の紐通し穴１５１ｈ１、１５１ｈ２に掛け渡された状態）するよう取り付けられている。詳述すれば、吊り下げ紐１３１の両端１３１ａ、１３１ｂの間に存する一部が紐係止板１５１の両主表面のうち一面側にて紐通し穴１５１ｈ１、１５１ｈ２に掛け渡されていると共に、吊り下げ紐１３１の両端１３１ａ、１３１ｂを含む部分は紐係止板１５１の両主表面のうち他面側に突出しており、該両端１３１ａ、１３１ｂが底部１１５の折り線１１５ｂ近傍に取り付けられている。
加えて、紐係止板１５１よりも上方向（持ち手１２１に近づく方向）の本体部１１３の裏面側（収容部の内部１０１ｎに面する側）には、フック部材１５５（吊り下げ紐１３１を引っかけて係止できるようフック形状部分１５５ａ、１５５ｂを有する。）が取り付けられている。
このため図１２に示すように、紐通し穴１５１ｈ１、１５１ｈ２に掛け渡された吊り下げ紐１３１を上方向（持ち手１２１に近づく方向）に引き上げ吊り下げ紐１３１をフック部材１５５（フック形状部分１５５ａ、１５５ｂ）に係止させることで、吊り下げ紐１３１の両端１３１ａ、１３１ｂが取り付けられた底部１１５の折り線１１５ｂが上方向（一対の持ち手１２１に近づく方向）に引き上げられることによって、底部１１５の折り線１１５ｂが山折り（収容部の内部１０１ｎから見て山折り）される。
底部１１５の折り線１１５ｂが山折り（内部１０１ｎから見て山折り）されることで、まち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、又は第２の袋本体２００に適用された場合であれば、まち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第５袋５１の幅Ｗ（図１１（ｂ）の寸法Ｗ→図１２（ｂ）の寸法Ｗ）が小さくなる。
なお、収容部の内部１０１ｎに物を収容する等のために、第５袋５１の幅Ｗを広げる必要がある場合には、フック部材１５５（フック形状部分１５５ａ、１５５ｂ）に係止された吊り下げ紐１３１をフック部材１５５から解放すれば、図１１のような状態に戻すことができる（図１２（ｂ）の寸法Ｗ→図１１（ｂ）の寸法Ｗ）。このように第５袋５１によれば、一対の紐通し穴１５１ｈ１、１５１ｈ２に掛け渡された吊り下げ紐１３１をフック部材１５５（フック形状部分１５５ａ、１５５ｂ）に係止するか否かによって、第５袋５１の幅Ｗを大きくするか（図１１）又は第５袋５１の幅を小さくするか（図１２）を自由に選択することができる。
【００４８】
以上のように、第５袋５１は、両端（開口１０３を規定する開口縁と、底部１１５が取り付けられた縁）を有する中空の筒本体（第１の袋本体１００に適用された場合であれば本体部１１１、１１３とまち部１１７、１１９とを含んでなり、第２の袋本体２００に適用された場合であれば本体部１１１、１１３とまち部２１７、２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図１２）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図１２）を保持する引き上げ手段（ここでは吊り下げ紐１３１）を有するものである、収納具である。
【００４９】
第５袋５１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第５袋５１においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第１の袋本体１００に適用された場合）又は谷折り（第２の袋本体２００に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００５０】
第５袋５１においては、引き上げ手段（吊り下げ紐１３１）が、折り線近傍部分に両端が直接に取り付けられた線材又は帯材（ここでは紐）を含んでなる。そして、線材又は帯材（吊り下げ紐１３１）が、折り線近傍部分に両端が直接に取り付けられている。
第５袋５１においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
第５袋５１においては、線材又は帯材（吊り下げ紐１３１）を貫通させる貫通穴（一対の紐通し穴１５１ｈ１、１５１ｈ２）が形成された筒本体（本体部１１１、１１３と、まち部１１７、１１９又はまち部２１７、２１９）に取り付けられた筒本体（本体部１１１、１１３と、まち部１１７、１１９又はまち部２１７、２１９）とは別体の貫通穴形成部材（ここでは紐係止板１５１）を引き上げ材保持手段が有するものである。
第５袋５１においては、折り線近傍部分が引き上げられた状態（図１２）で線材又は帯材（吊り下げ紐１３１）を係止する係止手段（ここではフック部材１５５）を有するものである。
第５袋５１においては、係止手段（フック部材１５５）は、線材又は帯材（吊り下げ紐１３１）を係止するフック部分（ここではフック形状部分フック形状部分１５５ａ、１５５ｂ）が形成された筒本体（本体部１１１、１１３と、まち部１１７、１１９又はまち部２１７、２１９）とは別体の筒本体（本体部１１１、１１３と、まち部１１７、１１９又はまち部２１７、２１９）に取り付けられたフック部材（フック部材１５５）を含んでなる。
【００５１】
（第６実施形態）
図１３は、本発明の第６実施形態の袋（以下、「第６袋」という）６１を示す図であり、第１袋１１及び第２袋２１を示す図２と同様の図である。具体的には、図１３（ａ）は図２（ａ）と同様の位置を示す一部拡大斜視図であり、図１３（ｂ）は図１３（ａ）のＣ−Ｃ断面図である（図２（ｂ）と同様である）。図１４は、後述するように、吊り下げ紐１３１を引き上げることで底部１１５の折り線１１５ｂが上方向に引き上げられた状態の第６袋６１を示す図（図４と同様の図である）であり、詳細には、図１４（ａ）は底部１１５の折り線１１５ｂが上方向に引き上げられた状態の第６袋６１を示す一部拡大斜視図（図４（ａ）と同様の図である）であり、図１４（ｂ）は図１４（ａ）のＣ−Ｃ断面図（図４（ｂ）と同様の図である）である。
第６実施形態の第６袋６１は、第１の袋本体１００及び第２の
袋本体２００のいずれにも（まち部の折り線が山折りか谷折りかの別を問わず）適用できるものであり、これら第１の袋本体１００及び第２の袋本体２００は既に詳しく説明したのでここでは説明を省略する（換言すれば、第６袋６１として示す実施形態は、第１の袋本体１００に適用することもできるし、第２の袋本体２００に適用することもできる。）。
【００５２】
第６袋６１においては、吊り下げ紐１３１は、両端１３１ａ、１３１ｂが底部１１５の折り線１１５ｂ近傍に取り付けられると共に、本体部１１３に取り付けられた持ち手１２１に引っかけられるよう（内部１０１ｎ側から持ち手１２１の外側を通過することで、持ち手１２１によって支持されている）取り付けられている。
このため図１４に示すように、持ち手１２１に引っかけられた吊り下げ紐１３１を一対の持ち手１２１と一緒に使用者が手（不図示）で把持することで、吊り下げ紐１３１の両端１３１ａ、１３１ｂが取り付けられた底部１１５の折り線１１５ｂが上方向（一対の持ち手１２１に近づく方向）に引き上げられることによって、底部１１５の折り線１１５ｂが山折り（収容部の内部１０１ｎから見て山折り）される。
底部１１５の折り線１１５ｂが山折り（内部１０１ｎから見て山折り）されることで、まち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、又は第２の袋本体２００に適用された場合であれば、まち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第６袋６１の幅Ｗ（図１３（ｂ）の寸法Ｗ→図１４（ｂ）の寸法Ｗ）が小さくなる。
なお、収容部の内部１０１ｎに物を収容する等のために、第６袋６１の幅Ｗを広げる必要がある場合には、一対の持ち手１２１と一緒に把持している吊り下げ紐１３１を放せば（本体部１１３に取り付けられた持ち手１２１に引っかける）、図１３のような状態に戻すことができる（図１４（ｂ）の寸法Ｗ→図１３（ｂ）の寸法Ｗ）。このように第６袋６１によれば、持ち手１２１に引っかけられた吊り下げ紐１３１を手で把持するか否かによって、第６袋６１の幅Ｗを大きくするか（図１３）又は第６袋６１の幅Ｗを小さくするか（図１４）を自由に選択することができる。
【００５３】
以上のように、第６袋６１は、両端（開口１０３を規定する開口縁と、底部１１５が取り付けられた縁）を有する中空の筒本体（第１の袋本体１００に適用された場合であれば本体部１１１、１１３とまち部１１７、１１９とを含んでなり、第２の袋本体２００に適用された場合であれば本体部１１１、１１３とまち部２１７、２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図１４）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図１４）を保持する引き上げ手段（ここでは吊り下げ紐１３１）を有するものである、収納具である。
【００５４】
第６袋６１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第６袋６１においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第１の袋本体１００に適用された場合）又は谷折り（第２の袋本体２００に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００５５】
第６袋６１においては、引き上げ手段（吊り下げ紐１３１）が、折り線近傍部分に両端が直接に取り付けられた線材又は帯材（ここでは紐）を含んでなる。そして、線材又は帯材（吊り下げ紐１３１）が、折り線近傍部分に両端が直接に取り付けられている。
第６袋６１においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは吊り下げ紐１３１が引っかけられる持ち手１２１を含んで構成される）を有するものである。
第６袋６１においては、収納具（第６袋６１）を使用者が手で下げるための筒本体（本体部１１１、１１３と、まち部１１７、１１９又はまち部２１７、２１９）の他端（底部１１５が取り付けられる一端とは反対の上端（持ち手１２１側の端））から突出する取っ手（持ち手１２１）を有し、筒本体（本体部１１１、１１３と、まち部１１７、１１９又はまち部２１７、２１９）の他端（底部１１５が取り付けられる一端とは反対の上端（持ち手１２１側の端））から突出する取っ手（持ち手１２１）に線材又は帯材（吊り下げ紐１３１）を引っかけることで、取っ手（持ち手１２１）が引き上げ材保持手段として機能するものである。
第６袋６１においては、収納具（第６袋６１）を使用者が手で下げるための取っ手（持ち手１２１）を有し、使用者の手で、取っ手（持ち手１２１）と一緒に線材又は帯材（吊り下げ紐１３１）を握ると（図１４）、折り線近傍部分が引き上げられる。
【００５６】
（第７実施形態）
図１５は、本発明の第７実施形態の袋（以下、「第７袋」という）７１を示す図であり、詳細には、図１５（ａ）は第７袋７１を示す斜視図であり、図１５（ｂ）は図１５（ａ）のＡ−Ａ断面図である。図１６は第７袋７１の一部拡大図であり、詳細には、図１６（ａ）は図１５（ａ）中の点線Ｂによって囲まれた部分の一部拡大図であり、図１６（ｂ）は図１６（ａ）のＣ−Ｃ断面図である。そして、図１７は、後述するように、吊り下げ紐１３１を引き上げることで底部１１５の折り線１１５ｂが上方向に引き上げられた状態の第７袋７１を示す図であり、詳細には、図１７（ａ）は底部１１５の折り線１１５ｂが上方向に引き上げられた状態の第７袋７１を示す斜視図であり、図１７（ｂ）は図１７（ａ）のＡ−Ａ断面図である。図１８は底部１１５の折り線１１５ｂが上方向に引き上げられた状態（図１７）の第７袋７１の一部拡大図であり、詳細には、図１８（ａ）は図１７（ａ）中の点線Ｂによって囲まれた部分の一部拡大図であり、図１８（ｂ）は図１８（ａ）のＣ−Ｃ断面図である。そして、図１９（ａ）は、後述の底補強部材７３を示す平面図である。図１５乃至図１９（ａ）を参照して、第７袋７１について説明する。なお、第７実施形態の第７袋７１は、第４実施形態の第４袋４１を第１の袋本体１００に適用したものに、図１９（ａ）に示す底補強部材７３を配設したものである。
底補強部材７３は、表面が塗装された金属製の平面に沿った網状をなしており、具体的には、真っ直ぐな金属製（表面は塗装されている）の線材により形成され互いに略平行かつ等間隔に配置された複数の横材７３ａと、真っ直ぐな金属製（表面は塗装されている）の線材により形成され互いに略平行かつ等間隔に配置された複数の縦材７３ｂと、を含んでおり、横材７３ａと縦材７３ｂとは互いに略直交するように配置された状態で横材７３ａと縦材７３ｂとの交差部分は互いに溶接され固定されている。そして、底補強部材７３は、全体として、底部１１５がなす長方形とほぼ相似でやや小さな形状の長方形から、該長方形の一長辺の両端に形成される２の角の一方の角を１の角とする長方形である一方側切り欠き部７４ａと、該２の角の他方の角を１の角とする長方形である他方側切り欠き部７４ｂと、を切り取った形状を形成している。
【００５７】
かかる底補強部材７３は、第７袋７１の内部１０１ｎに挿入され、底部１１５の上面（内部１０１ｎに面する面）に載置されている。具体的には、底補強部材７３の一方側切り欠き部７４ａ及び他方側切り欠き部７４ｂが、本体部１１３の内面（内部１０１ｎに面する面）に面し、底部１１５の折り線１１５ｂに沿って底補強部材７３と底部１１５とが固定（図１５〜図１８においては固定位置７６を黒丸にて示した。）されている。底補強部材７３の一方側切り欠き部７４ａ及び他方側切り欠き部７４ｂ側の外縁７３ｆ１は、本体部１１３の内面（内部１０１ｎに面する面）に近接すると共に、底補強部材７３の外縁７３ｆ１とは反対の外縁７３ｆ２は、本体部１１１の内面（内部１０１ｎに面する面）に近接している。
吊り下げ紐１３１は、両端が底補強部材７３の外縁７３ｆ１近傍に取り付けられると共に、紐係止板１５１の紐通し穴１５１ｈ１、１５１ｈ２を通過（一対の紐通し穴１５１ｈ１、１５１ｈ２に掛け渡された状態）するよう取り付けられている。詳述すれば、吊り下げ紐１３１の両端の間に存する一部が紐係止板１５１の両主表面のうち一面側にて紐通し穴１５１ｈ１、１５１ｈ２に掛け渡されていると共に、吊り下げ紐１３１の両端を含む部分は紐係止板１５１の両主表面のうち他面側に突出しており、該両端が底補強部材７３の外縁７３ｆ１近傍に取り付けられている。
このため図１７に示すように、一対の持ち手１２１と一緒に一対の紐通し穴１５１ｈ１、１５１ｈ２に掛け渡された吊り下げ紐１３１を使用者が手（不図示）で把持することで、吊り下げ紐１３１の両端が取り付けられた底補強部材７３の外縁７３ｆ１が上方向（一対の持ち手１２１に近づく方向）に引き上げられることで、底補強部材７３は外縁７３ｆ２近傍を中心に回動する。底補強部材７３が外縁７３ｆ２近傍を中心に外縁７３ｆ１が上方向に引き上げられるよう回動することで、固定位置７６が上方向（一対の持ち手１２１に近づく方向）に引き上げられ、底部１１５の折り線１１５ｂが上方向（一対の持ち手１２１に近づく方向）に引き上げられ、底部１１５の折り線１１５ｂが山折り（収容部の内部１０１ｎから見て山折り）される。
底部１１５の折り線１１５ｂが山折り（内部１０１ｎから見て山折り）されることで、まち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）され、一対の本体部１１１、１１３互いが近づき、第７袋７１の幅Ｗ（図１５（ｂ）及び図１６（ｂ）の寸法Ｗ→図１７（ｂ）及び図１８（ｂ）の寸法Ｗ）が小さくなる。なお、底補強部材７３の一方側切り欠き部７４ａ及び他方側切り欠き部７４ｂは、折り線１１７ｂ、１１９ｂに沿って内部１０１ｎから見て山折りされるまち部１１７、１１９が底補強部材７３と干渉しないように形成されている。
また、収容部の内部１０１ｎに物を収容する等のために、第７袋７１の幅Ｗを広げる必要がある場合には、一対の持ち手１２１と一緒に把持している吊り下げ紐１３１を放せば、図１５及び図１６のような状態に戻すことができる（図１７（ｂ）及び図１８（ｂ）の寸法Ｗ→図１５（ｂ）及び図１６（ｂ）の寸法Ｗ）。このように第７袋７１によれば、一対の紐通し穴１５１ｈ１、１５１ｈ２に掛け渡された吊り下げ紐１３１を手で把持するか否かによって、第７袋７１の幅Ｗを大きくするか（図１５及び図１６）又は第７袋７１の幅Ｗを小さくするか（図１７及び図１８）を自由に選択することができる。
このように底補強部材７３を用いることで、底部１１５を補強することができるので収容部の内部１０１ｎに重たい物や堅い物を収容しても底部１１５が破損することを防止又は減少させると共に、吊り下げ紐１３１によって底補強部材７３の外縁７３ｆ１を上方向に引き上げて底部１１５の折り線１１５ｂを上方向に引き上げることで底補強部材７３がテコとして機能し、小さな力で円滑に底部１１５の折り線１１５ｂを上方向に引き上げることができる。
【００５８】
以上のように、第７袋７１は、両端（開口１０３を規定する開口縁と、底部１１５が取り付けられた縁）を有する中空の筒本体（本体部１１１、１１３とまち部１１７、１１９とを含んでなる。）と、筒本体（本体部１１１、１１３とまち部１１７、１１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３とまち部１１７、１１９）が、２の線分縁（底部１１５がなす略長方形の一対の長辺）のうちの第１線分縁（該一対の長辺のうち本体部１１１に連なる辺）の両端から筒本体（本体部１１１、１１３とまち部１１７、１１９）の他端（底部１１５が取り付けられる一端とは反対の上端（持ち手１２１側の端））まで延びる一対の略直線（ここでは本体部１１１がなす略長方形の４の辺のうちまち部１１７、１１９に連なる一対の対辺）に挟まれた筒本体（本体部１１１、１１３とまち部１１７、１１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３とまち部１１７、１１９）の他端（底部１１５が取り付けられる一端とは反対の上端（持ち手１２１側の端））まで延びる一対の略直線（ここでは本体部１１３がなす略長方形の４の辺のうちまち部１１７、１１９に連なる一対の対辺）に挟まれた筒本体（本体部１１１、１１３とまち部１１７、１１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３とまち部１１７、１１９）内部（内部１０１ｎ）から見て山折りする底部折り（図１７、図１８）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３とまち部１１７、１１９）に対する筒本体（本体部１１１、１１３とまち部１１７、１１９）の一端（底部１１５が取り付けられる端。ここでは下端）方向への変位を制限することで底部折り状態（図１７、図１８）を保持する引き上げ手段（ここでは吊り下げ紐１３１及び底補強部材７３を有してなる）を有するものである、収納具である。
【００５９】
第７袋７１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第７袋７１においては、第１本体部（本体部１１１）と第２本体部（本体部１１３）との間を連結する一対のまち部（まち部１１７、１１９）であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１と、筒本体（本体部１１１、１１３とまち部１１７、１１９）の一端（底部１１５が取り付けられる一端である下端）側の縁に存する点である一縁点１１７ｂ２、１１９ｂ２と他縁点１１７ｂ１、１１９ｂ１とを結ぶ線分上に存する折り基準点（所定位置１１７ｐ、１１９ｐ）と、を結ぶ線分であるまち部折り線（他縁点１１７ｂ１、１１９ｂ１と所定位置１１７ｐ、１１９ｐとの間の線分）に沿って筒本体（本体部１１１、１１３とまち部１１７、１１９）内部（内部１０１ｎ）から見て山折りが可能な一対のまち部（まち部１１７、１１９）を筒本体（本体部１１１、１１３とまち部１１７、１１９）が備えるものである。
【００６０】
第７袋７１においては、引き上げ手段（吊り下げ紐１３１及び底補強部材７３を含んでなる）が、折り線近傍部分に両端が（底補強部材７３を介して）間接に取り付けられた線材又は帯材（ここでは吊り下げ紐１３１）を含んでなる。そして、線材又は帯材（吊り下げ紐１３１）が、折り線近傍部分に両端が（底補強部材７３を介して）間接に取り付けられている。
第７袋７１においては、底部折り可能（図１７、図１８）な場合であり、引き上げ手段（吊り下げ紐１３１及び底補強部材７３を含んでなる）が、底部折り線（折り線１１５ｂ）に跨るよう底部１１５の内面（上面）の少なくとも一部に沿って配設され折り線近傍部分に取り付けられる底補強部材７３を含んでなり、線材又は帯材（吊り下げ紐１３１）の両端が底補強部材７３の底部折り線（折り線１１５ｂ）から離れた位置に取り付けられることで該両端が底補強部材７３を介して折り線近傍部分（固定位置７６）に間接に取り付けられるものである。
第７袋７１においては、底補強部材７３の外縁が、第１線分縁（底部１１５がなす略長方形の一対の長辺のうち本体部１１１に連なる辺）に略沿った第１外縁部（外縁７３ｆ２）と、第２線分縁（底部１１５がなす略長方形の一対の長辺のうち本体部１１３に連なる辺）に略沿った第２外縁部（外縁７３ｆ１）と、を備えてなり、線材又は帯材（吊り下げ紐１３１）の前記両端が第２外縁部（外縁７３ｆ１）に取り付けられるものである。
第７袋７１においては、第１本体部（本体部１１１）と第２本体部（本体部１１３）との間を連結する一対のまち部（まち部１１７、１１９）であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１と、筒本体（本体部１１１、１１３とまち部１１７、１１９）の一端（底部１１５が取り付けられる一端である下端）側の縁に存する点である一縁点１１７ｂ２、１１９ｂ２と他縁点１１７ｂ１、１１９ｂ１とを結ぶ線分上に存する折り基準点（所定位置１１７ｐ、１１９ｐ）と、を結ぶ線分であるまち部折り線（他縁点１１７ｂ１、１１９ｂ１と所定位置１１７ｐ、１１９ｐとの間の線分）に沿って筒本体（本体部１１１、１１３とまち部１１７、１１９）内部（内部１０１ｎ）から見て山折りが可能な一対のまち部（まち部１１７、１１９）を筒本体（本体部１１１、１１３とまち部１１７、１１９）が備え、底補強部材７３が、筒本体（本体部１１１、１１３とまち部１１７、１１９）内部（内部１０１ｎ）から見て山折りされるまち部１１７、１１９との衝突を避けるための切り欠き部分（一方側切り欠き部７４ａ及び他方側切り欠き部７４ｂ）を有するものである。
第７袋７１においては、線材又は帯材（吊り下げ紐１３１）の少なくとも一部を、折り線近傍部分よりも筒本体（本体部１１１、１１３とまち部１１７、１１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
第７袋７１においては、線材又は帯材（吊り下げ紐１３１）を貫通させる貫通穴（一対の紐通し穴１５１ｈ１、１５１ｈ２）が形成された筒本体（本体部１１１、１１３とまち部１１７、１１９）に取り付けられた筒本体（本体部１１１、１１３とまち部１１７、１１９）とは別体の貫通穴形成部材（ここでは紐係止板１５１）を引き上げ材保持手段が有するものである。
第７袋７１においては、収納具（第７袋７１）を使用者が手で下げるための取っ手（持ち手１２１）を有し、使用者の手で、取っ手（持ち手１２１）と一緒に線材又は帯材（吊り下げ紐１３１）を握ると（図１７、図１８）、折り線近傍部分が引き上げられる。
【００６１】
（第８実施形態）
図２０は、本発明の第８実施形態の袋（以下、「第８袋」という）８１を示す図であり、詳細には、図２０（ａ）は第８袋８１を示す斜視図であり、図２０（ｂ）は図２０（ａ）のＡ−Ａ断面図である。図２１は、後述するように、吊り下げ紐１３１を引き上げることで底部１１５の折り線１１５ｂが上方向に引き上げられた状態の第８袋８１を示す図であり、詳細には、図２１（ａ）は底部１１５の折り線１１５ｂが上方向に引き上げられた状態の第８袋８１を示す斜視図であり、図２１（ｂ）は図２１（ａ）のＡ−Ａ断面図である。そして、図１９（ｂ）は、後述の第８袋８１における底補強部材７３を示す平面図である。なお、第７実施形態の説明に用いた図１６及び図１８が示す状態は、第８実施形態においても同様であるので、第８袋８１について図１６、図１８、図１９（ｂ）、図２０及び図２１を参照しつつ説明する。なお、第８実施形態の第８袋８１は、第４実施形態の第４袋４１を第２の袋本体２００に適用したものに、図１９（ｂ）に示す底補強部材７３を配設したものである。
図１９（ｂ）に示すように、底補強部材７３は、表面が塗装された金属製の平面に沿った網状をなしており、具体的には、真っ直ぐな金属製（表面は塗装されている）の線材により形成され互いに略平行かつ等間隔に配置された複数の横材７３ａと、真っ直ぐな金属製（表面は塗装されている）の線材により形成され互いに略平行かつ等間隔に配置された複数の縦材７３ｂと、を含んでおり、横材７３ａと縦材７３ｂとは互いに略直交するように配置された状態で横材７３ａと縦材７３ｂとの交差部分は互いに溶接され固定されている。そして、底補強部材７３は、全体として、底部１１５がなす長方形とほぼ相似でやや小さな形状の長方形をなしている。なお、図１９（ｂ）に示す底補強部材７３は、図１９（ａ）に示す底補強部材７３に比し、一方側切り欠き部７４ａ及び他方側切り欠き部７４ｂを有していないことが異なる。
【００６２】
かかる底補強部材７３は、第８袋８１の内部１０１ｎに挿入され、底部１１５の上面（内部１０１ｎに面する面）に載置されている。具体的には、底補強部材７３が略なす長方形の一対の長辺の一方が沿った外縁７３ｆ１は、本体部１１３の内面（内部１０１ｎに面する面）に近接すると共に、該一対の長辺の他方が沿った外縁７３ｆ２は、本体部１１１の内面（内部１０１ｎに面する面）に近接している。そして底補強部材７３は、底部１１５の折り線１１５ｂに沿って底部１１５と固定（図１６、図１８、図２０及び図２１においては固定位置７６を黒丸にて示した。）されている。
吊り下げ紐１３１は、両端が底補強部材７３の外縁７３ｆ１近傍に取り付けられると共に、紐係止板１５１の紐通し穴１５１ｈ１、１５１ｈ２を通過（一対の紐通し穴１５１ｈ１、１５１ｈ２に掛け渡された状態）するよう取り付けられている。詳述すれば、吊り下げ紐１３１の両端の間に存する一部が紐係止板１５１の両主表面のうち一面側にて紐通し穴１５１ｈ１、１５１ｈ２に掛け渡されていると共に、吊り下げ紐１３１の両端を含む部分は紐係止板１５１の両主表面のうち他面側に突出しており、該両端が底補強部材７３の外縁７３ｆ１近傍に取り付けられている。
このため図２１に示すように、一対の持ち手１２１と一緒に一対の紐通し穴１５１ｈ１、１５１ｈ２に掛け渡された吊り下げ紐１３１を使用者が手で把持することで、吊り下げ紐１３１の両端が取り付けられた底補強部材７３の外縁７３ｆ１が上方向（一対の持ち手１２１に近づく方向）に引き上げられることで、底補強部材７３は外縁７３ｆ２近傍を中心に回動する。底補強部材７３が外縁７３ｆ２近傍を中心に外縁７３ｆ１が上方向に引き上げられるよう回動することで、固定位置７６が上方向（一対の持ち手１２１に近づく方向）に引き上げられ、底部１１５の折り線１１５ｂが上方向（一対の持ち手１２１に近づく方向）に引き上げられ、底部１１５の折り線１１５ｂが山折り（収容部の内部１０１ｎから見て山折り）される。
底部１１５の折り線１１５ｂが山折り（内部１０１ｎから見て山折り）されることで、まち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第８袋８１の幅Ｗ（図１６（ｂ）及び図２０（ｂ）の寸法Ｗ→図１８（ｂ）及び図２１（ｂ）の寸法Ｗ）が小さくなる。
また、収容部の内部１０１ｎに物を収容する等のために、第８袋８１の幅Ｗを広げる必要がある場合には、一対の持ち手１２１と一緒に把持している吊り下げ紐１３１を放せば、図２０のような状態に戻すことができる（図１８（ｂ）及び図２１（ｂ）の寸法Ｗ→図１６（ｂ）及び図２０（ｂ）の寸法Ｗ）。このように第８袋８１によれば、一対の紐通し穴１５１ｈ１、１５１ｈ２に掛け渡された吊り下げ紐１３１を手で把持するか否かによって、第８袋８１の幅Ｗを大きくするか（図２０）又は第８袋８１の幅Ｗを小さくするか（図２１）を自由に選択することができる。
このように底補強部材７３を用いることで、底部１１５を補強することができるので収容部の内部１０１ｎに重たい物や堅い物を収容しても底部１１５が破損することを防止又は減少させると共に、吊り下げ紐１３１によって底補強部材７３の外縁７３ｆ１を上方向に引き上げて底部１１５の折り線１１５ｂを上方向に引き上げることで底補強部材７３がテコとして機能し、小さな力で円滑に底部１１５の折り線１１５ｂを上方向に引き上げることができる。
【００６３】
以上のように、第８袋８１は、両端（開口１０３を規定する開口縁と、底部１１５が取り付けられた縁）を有する中空の筒本体（本体部１１１、１１３とまち部２１７、２１９とを含んでなる。）と、筒本体（本体部１１１、１１３とまち部２１７、２１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３とまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３とまち部２１７、２１９）の他端（底部１１５が取り付けられる一端とは反対の上端（持ち手１２１側の端））まで延びる一対の略直線（ここでは本体部１１１がなす略長方形の４の辺のうちまち部２１７、２１９に連なる一対の対辺）に挟まれた筒本体（本体部１１１、１１３とまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３とまち部２１７、２１９）の他端（底部１１５が取り付けられる一端とは反対の上端（持ち手１２１側の端））まで延びる一対の略直線（ここでは本体部１１３がなす略長方形の４の辺のうちまち部２１７、２１９に連なる一対の対辺）に挟まれた筒本体（本体部１１１、１１３とまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３とまち部２１７、２１９）内部（内部１０１ｎ）から見て山折りする底部折り（図２１）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３とまち部２１７、２１９）に対する筒本体（本体部１１１、１１３とまち部２１７、２１９）の一端（底部１１５が取り付けられる端。ここでは下端）方向への変位を制限することで底部折り状態（図２１）を保持する引き上げ手段（ここでは吊り下げ紐１３１及び底補強部材７３を有してなる）を有するものである、収納具である。
【００６４】
第８袋８１においては、底部１１５が略長方形であり、第１線分縁（本体部１１１に連なる辺）及び第２線分縁（本体部１１３に連なる辺）が該略長方形の対辺（ここでは一対の長辺）に形成されるものである。
第８袋８１においては、第１本体部（本体部１１１）と第２本体部（本体部１１３）との間を連結する一対のまち部（まち部２１７、２１９）であって、筒本体（本体部１１１、１１３とまち部２１７、２１９）の他端（底部１１５が取り付けられる一端とは反対の上端（持ち手１２１側の端））側の縁に存する点である他縁点２１７ｂ１、２１９ｂ１と、筒本体（本体部１１１、１１３とまち部２１７、２１９）の一端（底部１１５が取り付けられる一端である下端）側の縁に存する点である一縁点２１７ｂ２、２１９ｂ２と他縁点２１７ｂ１、２１９ｂ１とを結ぶ線分上に存する折り基準点（所定位置２１７ｐ、２１９ｐ）と、を結ぶ線分であるまち部折り線（他縁点２１７ｂ１、２１９ｂ１と所定位置２１７ｐ、２１９ｐとの間の線分）に沿って筒本体（本体部１１１、１１３とまち部２１７、２１９）内部（内部１０１ｎ）から見て谷折りが可能な一対のまち部（まち部２１７、２１９）を筒本体（本体部１１１、１１３とまち部２１７、２１９）が備えるものである。
【００６５】
第８袋８１においては、引き上げ手段（吊り下げ紐１３１及び底補強部材７３を含んでなる）が、折り線近傍部分に両端が（底補強部材７３を介して）間接に取り付けられた線材又は帯材（ここでは吊り下げ紐１３１）を含んでなる。そして、線材又は帯材（吊り下げ紐１３１）が、折り線近傍部分に両端が（底補強部材７３を介して）間接に取り付けられている。
第８袋８１においては、底部折り可能（図２１）な場合であり、引き上げ手段（吊り下げ紐１３１及び底補強部材７３を含んでなる）が、底部折り線（折り線１１５ｂ）に跨るよう底部１１５の内面（上面）の少なくとも一部に沿って配設され折り線近傍部分に取り付けられる底補強部材７３を含んでなり、線材又は帯材（吊り下げ紐１３１）の両端が底補強部材７３の底部折り線（折り線１１５ｂ）から離れた位置に取り付けられることで該両端が底補強部材７３を介して折り線近傍部分（固定位置７６）に間接に取り付けられるものである。
第８袋８１においては、底補強部材７３の外縁が、第１線分縁（底部１１５がなす略長方形の一対の長辺のうち本体部１１１に連なる辺）に略沿った第１外縁部（外縁７３ｆ２）と、第２線分縁（底部１１５がなす略長方形の一対の長辺のうち本体部１１３に連なる辺）に略沿った第２外縁部（外縁７３ｆ１）と、を備えてなり、線材又は帯材（吊り下げ紐１３１）の前記両端が第２外縁部（外縁７３ｆ１）に取り付けられるものである。
第８袋８１においては、線材又は帯材（吊り下げ紐１３１）の少なくとも一部を、折り線近傍部分よりも筒本体（本体部１１１、１１３とまち部２１７、２１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
第８袋８１においては、線材又は帯材（吊り下げ紐１３１）を貫通させる貫通穴（一対の紐通し穴１５１ｈ１、１５１ｈ２）が形成された筒本体（本体部１１１、１１３とまち部２１７、２１９）に取り付けられた筒本体（本体部１１１、１１３とまち部２１７、２１９）とは別体の貫通穴形成部材（ここでは紐係止板１５１）を引き上げ材保持手段が有するものである。
第８袋８１においては、収納具（第８袋８１）を使用者が手で下げるための取っ手（持ち手１２１）を有し、使用者の手で、取っ手（持ち手１２１）と一緒に線材又は帯材（吊り下げ紐１３１）を握ると（図２１）、折り線近傍部分が引き上げられる。
【００６６】
（第７実施形態及び第８実施形態の第１変形例）
図２２及び図２３は、第７袋７１及び第８袋８１の第１変形例を示す図である。図２２は、第７袋７１及び第８袋８１を示す図１６と同様の図である。具体的には、図２２（ａ）は図１６（ａ）と同様の位置を示す一部拡大斜視図であり、図２２（ｂ）は図２２（ａ）のＣ−Ｃ断面図である（図１６（ｂ）と同様である）。図２３は、後述するように、吊り下げ紐１３１を引き上げることで底部１１５の折り線１１５ｂが上方向に引き上げられた状態を示す図（図１８と同様の図である）であり、詳細には、図２３（ａ）は底部１１５の折り線１１５ｂが上方向に引き上げられた状態を示す一部拡大斜視図（図１８
（ａ）と同様の図である）であり、図２３（ｂ）は図２３（ａ）のＣ−Ｃ断面図（図１８（ｂ）と同様の図である）である。
図２２及び図２３に示す第１変形例は、第７袋７１及び第８袋８１のいずれ（まち部の折り線が山折りか谷折りかの別を問わず）の変形例としても適用できるものであり、具体的には、第７袋７１及び第８袋８１に比して第１変形例は吊り下げ紐１３１の保持状態が異なる（第１変形例の吊り下げ紐１３１の保持状態は、前述の図１〜図６と同様である）のみであり、その余りは同様である。
【００６７】
本体部１１３には、底部１１５からの高さがほぼ等しい位置に一対の紐通し穴１１３ｈ１、１１３ｈ２が穿設されている。紐通し穴１１３ｈ１、１１３ｈ２のいずれも、穴の周囲を補強するためのハトメ部材１１３ｈ１ａ、１１３ｈ２ａが取り付けられている。
そして、吊り下げ紐１３１は、両端が底補強部材７３の外縁７３ｆ１近傍に取り付けられると共に、一部が紐通し穴１１３ｈ１、１１３ｈ２の間から収容部１０１の外部に露出（一対の紐通し穴１１３ｈ１、１１３ｈ２に掛け渡された状態）するよう吊り下げ紐１３１が取り付けられている（なお、底補強部材７３としては、第１変形例が第７袋７１に適用される場合には図１９（ａ）のものが、そして第１変形例が第８袋８１に適用される場合には図１９（ｂ）のものが、それぞれ用いられる。）。
このため図２３に示すように、一対の持ち手１２１と一緒に一対の紐通し穴１１３ｈ１、１１３ｈ２に掛け渡された吊り下げ紐１３１を使用者が手（不図示）で把持することで、吊り下げ紐１３１の両端が取り付けられた底補強部材７３の外縁７３ｆ１が上方向（一対の持ち手１２１に近づく方向）に引き上げられることで、底補強部材７３は外縁７３ｆ２近傍を中心に回動する。底補強部材７３が外縁７３ｆ２近傍を中心に外縁７３ｆ１が上方向に引き上げられるよう回動することで、固定位置７６が上方向（一対の持ち手１２１に近づく方向）に引き上げられ、底部１１５の折り線１１５ｂが上方向（一対の持ち手１２１に近づく方向）に引き上げられ、底部１１５の折り線１１５ｂが山折り（収容部の内部１０１ｎから見て山折り）される。
底部１１５の折り線１１５ｂが山折り（内部１０１ｎから見て山折り）されることで、第７袋７１に適用される場合にはまち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、第８袋８１に適用される場合にはまち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第７袋７１及び第８袋８１の幅Ｗ（図２２（ｂ）の寸法Ｗ→図２３の寸法Ｗ）が小さくなる。
また、収容部の内部１０１ｎに物を収容する等のために、この幅Ｗを広げる必要がある場合には、一対の持ち手１２１と一緒に把持している吊り下げ紐１３１を放せば、図２２のような状態に戻すことができる（図２３（ｂ）の寸法Ｗ→図２２（ｂ）の寸法Ｗ）。このように図２２及び図２３の変形例によれば、一対の紐通し穴１１３ｈ１、１１３ｈ２に掛け渡された吊り下げ紐１３１を手で把持するか否かによって、袋の幅Ｗを大きくするか（図２２）又は袋の幅Ｗを小さくするか（図２３）を自由に選択することができる。
また、図２２及び図２３の第７袋７１及び第８袋８１の第１変形例においても、底補強部材７３を用いることで、底部１１５を補強することができるので収容部の内部１０１ｎに重たい物や堅い物を収容しても底部１１５が破損することを防止又は減少させると共に、吊り下げ紐１３１によって底補強部材７３の外縁７３ｆ１を上方向に引き上げて底部１１５の折り線１１５ｂを上方向に引き上げることで底補強部材７３がテコとして機能し、小さな力で円滑に底部１１５の折り線１１５ｂを上方向に引き上げることができる。
【００６８】
以上のように、図２２及び図２３に示した第７袋７１及び第８袋８１の第１変形例は、両端（開口１０３を規定する開口縁と、底部１１５が取り付けられた縁）を有する中空の筒本体（第７袋７１（第１の袋本体１００）に適用された場合であれば本体部１１１、１１３とまち部１１７、１１９とを含んでなり、第８袋８１（第２の袋本体２００）に適用された場合であれば本体部１１１、１１３とまち部２１７、２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図２３）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図２３）を保持する引き上げ手段（ここでは吊り下げ紐１３１及び底補強部材７３を有してなる）を有するものである、収納具である。
【００６９】
図２２及び図２３に示した第７袋７１及び第８袋８１の第１変形例は、底部１１５が略長方形であり、第１線分縁（本体部１１１に連なる辺）及び第２線分縁（本体部１１３に連なる辺）が該略長方形の対辺（ここでは一対の長辺）に形成されるものである。
図２２及び図２３に示した第７袋７１及び第８袋８１の第１変形例においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第７袋７１（第１の袋本体１００）に適用された場合）又は谷折り（第８袋８１（第２の袋本体２００）に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００７０】
図２２及び図２３に示した第７袋７１及び第８袋８１の第１変形例においては、引き上げ手段（吊り下げ紐１３１及び底補強部材７３を含んでなる）が、折り線近傍部分に両端が（底補強部材７３を介して）間接に取り付けられた線材又は帯材（ここでは吊り下げ紐１３１）を含んでなる。そして、線材又は帯材（吊り下げ紐１３１）が、折り線近傍部分に両端が（底補強部材７３を介して）間接に取り付けられている。
図２２及び図２３に示した第７袋７１及び第８袋８１の第１変形例においては、底部折り可能（図２３）な場合であり、引き上げ手段（吊り下げ紐１３１及び底補強部材７３を含んでなる）が、底部折り線（折り線１１５ｂ）に跨るよう底部１１５の内面（上面）の少なくとも一部に沿って配設され折り線近傍部分に取り付けられる底補強部材７３を含んでなり、線材又は帯材（吊り下げ紐１３１）の両端が底補強部材７３の底部折り線（折り線１１５ｂ）から離れた位置に取り付けられることで該両端が底補強部材７３を介して折り線近傍部分（固定位置７６）に間接に取り付けられるものである。
図２２及び図２３に示した第７袋７１及び第８袋８１の第１変形例においては、底補強部材７３の外縁が、第１線分縁（底部１１５がなす略長方形の一対の長辺のうち本体部１１１に連なる辺）に略沿った第１外縁部（外縁７３ｆ２）と、第２線分縁（底部１１５がなす略長方形の一対の長辺のうち本体部１１３に連なる辺）に略沿った第２外縁部（外縁７３ｆ１）と、を備えてなり、線材又は帯材（吊り下げ紐１３１）の前記両端が第２外縁部（外縁７３ｆ１）に取り付けられるものである。
また、図２２及び図２３に示した第１変形例が第７袋７１に適用され、図１９（ａ）に示された底補強部材７３が用いられる場合には、第１本体部（本体部１１１）と第２本体部（本体部１１３）との間を連結する一対のまち部（まち部１１７、１１９）であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１と、筒本体（本体部１１１、１１３とまち部１１７、１１９）の一端（底部１１５が取り付けられる一端である下端）側の縁に存する点である一縁点１１７ｂ２、１１９ｂ２と他縁点１１７ｂ１、１１９ｂ１とを結ぶ線分上に存する折り基準点（所定位置１１７ｐ、１１９ｐ）と、を結ぶ線分であるまち部折り線（他縁点１１７ｂ１、１１９ｂ１と所定位置１１７ｐ、１１９ｐとの間の線分）に沿って筒本体（本体部１１１、１１３とまち部１１７、１１９）内部（内部１０１ｎ）から見て山折りが可能な一対のまち部（まち部１１７、１１９）を筒本体（本体部１１１、１１３とまち部１１７、１１９）が備え、底補強部材７３が、筒本体（本体部１１１、１１３とまち部１１７、１１９）内部（内部１０１ｎ）から見て山折りされるまち部１１７、１１９との衝突を避けるための切り欠き部分（一方側切り欠き部７４ａ及び他方側切り欠き部７４ｂ）を有するものである。
図２２及び図２３に示した第７袋７１及び第８袋８１の第１変形例においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１１３ｈ１、１１３ｈ２が形成された本体部１１３を含んで構成される）を有するものである。
図２２及び図２３に示した第７袋７１及び第８袋８１の第１変形例においては、貫通穴（ここでは一対の紐通し穴１１３ｈ１、１１３ｈ２）が筒本体（本体部１１１、１１３と、まち部１１７、１１９又はまち部２１７、２１９）の内部（内部１０１ｎ）と外部とを連通させるよう折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に一対形成され、線材又は帯材（吊り下げ紐１３１）が、筒本体（本体部１１１、１１３と、まち部１１７、１１９又はまち部２１７、２１９）の内部１０１ｎ及び外部のうち線材又は帯材（吊り下げ紐１３１）の両端が存する一方（ここでは内部１０１ｎ）とは反対の他方（ここでは外部）の側において一対の貫通穴（一対の紐通し穴１１３ｈ１、１１３ｈ２）の間に架け渡されることで、該一対の貫通穴（一対の紐通し穴１１３ｈ１、１１３ｈ２）が形成された筒本体（本体部１１１、１１３と、まち部１１７、１１９又はまち部２１７、２１９）が引き上げ材保持手段として機能する。
図２２及び図２３に示した第７袋７１及び第８袋８１の第１変形例においては、収納具（第７袋７１及び第８袋８１の第１変形例）を使用者が手で下げるための取っ手（持ち手１２１）を有し、使用者の手で、取っ手（持ち手１２１）と一緒に線材又は帯材（吊り下げ紐１３１）を握ると（図２３）、折り線近傍部分が引き上げられる。
【００７１】
（第７実施形態及び第８実施形態の第２変形例）
図２４及び図２５は、第７袋７１及び第８袋８１の第２変形例を示す図である。図２４は、第７袋７１及び第８袋８１を示す図１６と同様の図である。具体的には、図２４（ａ）は図１６（ａ）と同様の位置を示す一部拡大斜視図であり、図２４（ｂ）は図２４（ａ）のＣ−Ｃ断面図である（図１６（ｂ）と同様である）。図２５は、後述するように、吊り下げ紐１３１を引き上げることで底部１１５の折り線１１５ｂが上方向に引き上げられた状態を示す図（図１８と同様の図である）であり、詳細には、図２５（ａ）は底部１１５の折り線１１５ｂが上方向に引き上げられた状態を示す一部拡大斜視図（図１８（ａ）と同様の図である）であり、図２５（ｂ）は図２５（ａ）のＣ−Ｃ断面図（図１８（ｂ）と同様の図である）である。
図２４及び図２５に示す第２変形例は、第７袋７１及び第８袋８１のいずれ（まち部の折り線が山折りか谷折りかの別を問わず）の変形例としても適用できるものであり、具体的には、第７袋７１及び第８袋８１に比して吊り下げ紐１３１の保持状態が異なる（第２変形例の吊り下げ紐１３１の保持状態は、前述の図７及び図８と同様である）のみであり、その余りは同様である。
【００７２】
本体部１１３には、底部１１５からの高さがほぼ等しい位置に一対の紐通し穴１１３ｈ１、１１３ｈ２が穿設されている。紐通し穴１１３ｈ１、１１３ｈ２のいずれも、穴の周囲を補強するためのハトメ部材１１３ｈ１ａ、１１３ｈ２ａが取り付けられている。
そして、吊り下げ紐１３１は、両端が底補強部材７３の外縁７３ｆ１近傍に取り付けられると共に、一部が紐通し穴１１３ｈ１、１１３ｈ２の間から収容部１０１の外部に露出（一対の紐通し穴１１３ｈ１、１１３ｈ２に掛け渡された状態）するよう吊り下げ紐１３１が取り付けられている。
加えて、紐通し穴１１３ｈ１、１１３ｈ２よりも上方向（持ち手１２１に近づく方向）の本体部１１３の外面側（内部１０１ｎとは反対側）には、フック部材１４１（吊り下げ紐１３１を引っかけて係止できるようフック形状部分１４１ａ、１４１ｂを有する。）が取り付けられている。
このため図２５に示すように、紐通し穴１１３ｈ１、１１３ｈ２に掛け渡された吊り下げ紐１３１を上方向（持ち手１２１に近づく方向）に引き上げ吊り下げ紐１３１をフック部材１４１（フック形状部分１４１ａ、１４１ｂ）に係止させることで、吊り下げ紐１３１の両端が取り付けられた底補強部材７３の外縁７３ｆ１が上方向（一対の持ち手１２１に近づく方向）に引き上げられることで、底補強部材７３は外縁７３ｆ２近傍を中心に回動する。底補強部材７３が外縁７３ｆ２近傍を中心に外縁７３ｆ１が上方向に引き上げられるよう回動することで、固定位置７６が上方向（一対の持ち手１２１に近づく方向）に引き上げられ、底部１１５の折り線１１５ｂが上方向（一対の持ち手１２１に近づく方向）に引き上げられ、底部１１５の折り線１１５ｂが山折り（収容部の内部１０１ｎから見て山折り）される。
底部１１５の折り線１１５ｂが山折り（内部１０１ｎから見て山折り）されることで、第７袋７１に適用される場合にはまち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、第８袋８１に適用される場合にはまち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第７袋７１及び第８袋８１の幅Ｗ（図２４（ｂ）の寸法Ｗ→図２５の寸法Ｗ）が小さくなる。
また、収容部の内部１０１ｎに物を収容する等のために、この幅Ｗを広げる必要がある場合には、フック部材１４１（フック形状部分１４１ａ、１４１ｂ）に係止した吊り下げ紐１３１を解放すれば、図２４のような状態に戻すことができる（図２５（ｂ）の寸法Ｗ→図２４（ｂ）の寸法Ｗ）。このように図２４及び図２５の変形例によれば、一対の紐通し穴１１３ｈ１、１１３ｈ２に掛け渡された吊り下げ紐１３１をフック部材１４１に係止するか否かによって、袋の幅Ｗを大きくするか（図２４）又は袋の幅Ｗを小さくするか（図２５）を自由に選択することができる。
また、図２４及び図２５の第２変形例においても、底補強部材７３を用いることで、底部１１５を補強することができるので収容部の内部１０１ｎに重たい物や堅い物を収容しても底部１１５が破損することを防止又は減少させると共に、吊り下げ紐１３１によって底補強部材７３の外縁７３ｆ１を上方向に引き上げて底部１１５の折り線１１５ｂを上方向に引き上げることで底補強部材７３がテコとして機能し、小さな力で円滑に底部１１５の折り線１１５ｂを上方向に引き上げることができる。
【００７３】
以上のように図２４及び図２５に示した第７袋７１及び第８袋８１の第２変形例は、両端（開口１０３を規定する開口縁と、底部１１５が取り付けられた縁）を有する中空の筒本体（第７袋７１（第１の袋本体１００）に適用された場合であれば本体部１１１、１１３とまち部１１７、１１９とを含んでなり、第８袋８１（第２の袋本体２００）に適用された場合であれば本体部１１１、１１３とまち部２１７、２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図２５）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図２５）を保持する引き上げ手段（ここでは吊り下げ紐１３１及び底補強部材７３を有してなる）を有するものである、収納具である。
【００７４】
図２４及び図２５に示した第７袋７１及び第８袋８１の第２変形例は、底部１１５が略長方形であり、第１線分縁（本体部１１１に連なる辺）及び第２線分縁（本体部１１３に連なる辺）が該略長方形の対辺（ここでは一対の長辺）に形成されるものである。
図２４及び図２５に示した第７袋７１及び第８袋８１の第２変形例においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第７袋７１（第１の袋本体１００）に適用された場合）又は谷折り（第８袋８１（第２の袋本体２００）に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００７５】
図２４及び図２５に示した第７袋７１及び第８袋８１の第２変形例においては、引き上げ手段（吊り下げ紐１３１及び底補強部材７３を含んでなる）が、折り線近傍部分に両端が（底補強部材７３を介して）間接に取り付けられた線材又は帯材（ここでは吊り下げ紐１３１）を含んでなる。そして、線材又は帯材（吊り下げ紐１３１）が、折り線近傍部分に両端が（底補強部材７３を介して）間接に取り付けられている。
図２４及び図２５に示した第７袋７１及び第８袋８１の第２変形例においては、底部折り可能（図２５）な場合であり、引き上げ手段（吊り下げ紐１３１及び底補強部材７３を含んでなる）が、底部折り線（折り線１１５ｂ）に跨るよう底部１１５の内面（上面）の少なくとも一部に沿って配設され折り線近傍部分に取り付けられる底補強部材７３を含んでなり、線材又は帯材（吊り下げ紐１３１）の両端が底補強部材７３の底部折り線（折り線１１５ｂ）から離れた位置に取り付けられることで該両端が底補強部材７３を介して折り線近傍部分（固定位置７６）に間接に取り付けられるものである。
図２４及び図２５に示した第７袋７１及び第８袋８１の第２変形例においては、底補強部材７３の外縁が、第１線分縁（底部１１５がなす略長方形の一対の長辺のうち本体部１１１に連なる辺）に略沿った第１外縁部（外縁７３ｆ２）と、第２線分縁（底部１１５がなす略長方形の一対の長辺のうち本体部１１３に連なる辺）に略沿った第２外縁部（外縁７３ｆ１）と、を備えてなり、線材又は帯材（吊り下げ紐１３１）の前記両端が第２外縁部（外縁７３ｆ１）に取り付けられるものである。
図２４及び図２５に示した第２変形例が第７袋７１に適用され、図１９（ａ）に示された底補強部材７３が用いられる場合には、第１本体部（本体部１１１）と第２本体部（本体部１１３）との間を連結する一対のまち部（まち部１１７、１１９）であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１と、筒本体（本体部１１１、１１３とまち部１１７、１１９）の一端（底部１１５が取り付けられる一端である下端）側の縁に存する点である一縁点１１７ｂ２、１１９ｂ２と他縁点１１７ｂ１、１１９ｂ１とを結ぶ線分上に存する折り基準点（所定位置１１７ｐ、１１９ｐ）と、を結ぶ線分であるまち部折り線（他縁点１１７ｂ１、１１９ｂ１と所定位置１１７ｐ、１１９ｐとの間の線分）に沿って筒本体（本体部１１１、１１３とまち部１１７、１１９）内部（内部１０１ｎ）から見て山折りが可能な一対のまち部（まち部１１７、１１９）を筒本体（本体部１１１、１１３とまち部１１７、１１９）が備え、底補強部材７３が、筒本体（本体部１１１、１１３とまち部１１７、１１９）内部（内部１０１ｎ）から見て山折りされるまち部１１７、１１９との衝突を避けるための切り欠き部分（一方側切り欠き部７４ａ及び他方側切り欠き部７４ｂ）を有するものである。  図２４及び図２５に示した第７袋７１及び第８袋８１の第２変形例においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１１３ｈ１、１１３ｈ２が形成された本体部１１３を含んで構成される）を有するものである。
図２４及び図２５に示した第７袋７１及び第８袋８１の第２変形例においては、貫通穴（ここでは一対の紐通し穴１１３ｈ１、１１３ｈ２）が筒本体（本体部１１１、１１３と、まち部１１７、１１９又はまち部２１７、２１９）の内部（内部１０１ｎ）と外部とを連通させるよう折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に一対形成され、線材又は帯材（吊り下げ紐１３１）が、筒本体（本体部１１１、１１３と、まち部１１７、１１９又はまち部２１７、２１９）の内部１０１ｎ及び外部のうち線材又は帯材（吊り下げ紐１３１）の両端が存する一方（ここでは内部１０１ｎ）とは反対の他方（ここでは外部）の側において一対の貫通穴（一対の紐通し穴１１３ｈ１、１１３ｈ２）の間に架け渡されることで、該一対の貫通穴（一対の紐通し穴１１３ｈ１、１１３ｈ２）が形成された筒本体（本体部１１１、１１３と、まち部１１７、１１９又はまち部２１７、２１９）が引き上げ材保持手段として機能する。
図２４及び図２５に示した第７袋７１及び第８袋８１の第２変形例においては、折り線近傍部分が引き上げられた状態（図２５）で線材又は帯材（吊り下げ紐１３１）を係止する係止手段（ここではフック部材１４１）を有するものである。
図２４及び図２５に示した第７袋７１及び第８袋８１の第２変形例においては、係止手段（フック部材１４１）は、線材又は帯材（吊り下げ紐１３１）を係止するフック部分（ここではフック形状部分１４１ａ、１４１ｂ）が形成された筒本体（本体部１１１、１１３と、まち部１１７、１１９又はまち部２１７、２１９）とは別体の筒本体（本体部１１１、１１３と、まち部１１７、１１９又はまち部２１７、２１９）に取り付けられたフック部材（フック部材１４１）を含んでなる。
【００７６】
（第７実施形態及び第８実施形態の第３変形例）
図２６及び図２７は、第７袋７１及び第８袋８１の第３変形例を示す図である。図２６は、第７袋７１及び第８袋８１を示す図１６と同様の図である。具体的には、図２６（ａ）は図１６（ａ）と同様の位置を示す一部拡大斜視図であり、図２６（ｂ）は図２６（ａ）のＣ−Ｃ断面図である（図１６（ｂ）と同様である）。図２７は、後述するように、吊り下げ紐１３１を引き上げることで底部１１５の折り線１１５ｂが上方向に引き上げられた状態を示す図（図１８と同様の図である）であり、詳細には、図２７（ａ）は底部１１５の折り線１１５ｂが上方向に引き上げられた状態を示す一部拡大斜視図（図１８（ａ）と同様の図である）であり、図２７（ｂ）は図２７（ａ）のＣ−Ｃ断面図（図１８（ｂ）と同様の図である）である。
図２６及び図２７に示す第３変形例は、第７袋７１及び第８袋８１のいずれ（まち部の折り線が山折りか谷折りかの別を問わず）の変形例としても適用できるものであり、具体的には、第７袋７１及び第８袋８１に比して吊り下げ紐１３１の保持状態が異なる（第３変形例の吊り下げ紐１３１の保持状態は、前述の図１１及び図１２と同様である）のみであり、その余りは同様である。
【００７７】
本体部１１３の裏面側（収容部の内部１０１ｎに面する側）には、紐係止板１５１が取り付けられている。紐係止板１５１は、両主表面が略長方形をなす紙製の板状部材によって形成されており、ここでは本体部１１３に取り付ける持ち手１２１の固定板１５４（紙製）と別体に形成されている。なお、ここでは紐係止板１５１は、それが取り付けられる本体部１１３の材質と同じ材質によって形成されており、本体部１１３の材質が紙であれば紙製とされ、本体部１１３の材質が布であれば布製とされ、そして本体部１１３の材質が皮（合成、天然）であれば皮（合成、天然）製とされる。持ち手１２１の固定板１５４は、持ち手１２１の両端が本体部１１３の裏面に確実に固定されるよう本体部１１３の裏面に接着される（持ち手１２１の両端は本体部１１３の裏面と固定板１５４との間に挟まれた状態で接着される）。紐係止板１５１は該略長方形の長辺（ここでは底部１１５に対して該長辺が略平行になっている）に沿って該長辺を軸として回動可能に本体部１１３の裏面に取り付け（接着）られている。紐係止板１５１には、底部１１５からの高さがほぼ等しい位置（紐係止板１５１の両主表面がなす略長方形の一対の長辺と略平行な線分に沿った位置）に一対の紐通し穴１５１ｈ１、１５１ｈ２が穿設されている。紐通し穴１５１ｈ１、１５１ｈ２のいずれも、穴の周囲を補強するためのハトメ部材１５１ｈ１ａ、１５１ｈ２ａが取り付けられている。
そして、吊り下げ紐１３１は、両端が底補強部材７３の外縁７３ｆ１近傍に取り付けられると共に、紐通し穴１５１ｈ１、１５１ｈ２を通過（一対の紐通し穴１５１ｈ１、１５１ｈ２に掛け渡された状態）するよう取り付けられている。詳述すれば、吊り下げ紐１３１の両端の間に存する一部が紐係止板１５１の両主表面のうち一面側にて紐通し穴１５１ｈ１、１５１ｈ２に掛け渡されていると共に、吊り下げ紐１３１の両端を含む部分は紐係止板１５１の両主表面のうち他面側に突出しており、該両端が底補強部材７３の外縁７３ｆ１近傍に取り付けられている。
加えて、紐係止板１５１よりも上方向（持ち手１２１に近づく方向）の本体部１１３の裏面側（収容部の内部１０１ｎに面する側）には、フック部材１５５（吊り下げ紐１３１を引っかけて係止できるようフック形状部分１５５ａ、１５５ｂを有する。）が取り付けられている。
このため図２７に示すように、紐通し穴１５１ｈ１、１５１ｈ２に掛け渡された吊り下げ紐１３１を上方向（持ち手１２１に近づく方向）に引き上げ吊り下げ紐１３１をフック部材１５５（フック形状部分１５５ａ、１５５ｂ）に係止させることで、吊り下げ紐１３１の両端が取り付けられた底補強部材７３の外縁７３ｆ１が上方向（一対の持ち手１２１に近づく方向）に引き上げられることで、底補強部材７３は外縁７３ｆ２近傍を中心に回動する。底補強部材７３が外縁７３ｆ２近傍を中心に外縁７３ｆ１が上方向に引き上げられるよう回動することで、固定位置７６が上方向（一対の持ち手１２１に近づく方向）に引き上げられ、底部１１５の折り線１１５ｂが上方向（一対の持ち手１２１に近づく方向）に引き上げられ、底部１１５の折り線１１５ｂが山折り（収容部の内部１０１ｎから見て山折り）される。
底部１１５の折り線１１５ｂが山折り（内部１０１ｎから見て山折り）されることで、第７袋７１に適用される場合にはまち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、第８袋８１に適用される場合にはまち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第７袋７１及び第８袋８１の幅Ｗ（図２６（ｂ）の寸法Ｗ→図２７の寸法Ｗ）が小さくなる。
また、収容部の内部１０１ｎに物を収容する等のために、この幅Ｗを広げる必要がある場合には、フック部材１５５（フック形状部分１５５ａ、１５５ｂ）に係止した吊り下げ紐１３１を解放すれば、図２６のような状態に戻すことができる（図２７（ｂ）の寸法Ｗ→図２６（ｂ）の寸法Ｗ）。このように図２６及び図２７の変形例によれば、紐通し穴１５１ｈ１、１５１ｈ２に掛け渡された吊り下げ紐１３１をフック部材１５５に係止するか否かによって、袋の幅Ｗを大きくするか（図２６）又は袋の幅Ｗを小さくするか（図２７）を自由に選択することができる。
また、図２６及び図２７の第３変形例においても、底補強部材７３を用いることで、底部１１５を補強することができるので収容部の内部１０１ｎに重たい物や堅い物を収容しても底部１１５が破損することを防止又は減少させると共に、吊り下げ紐１３１によって底補強部材７３の外縁７３ｆ１を上方向に引き上げて底部１１５の折り線１１５ｂを上方向に引き上げることで底補強部材７３がテコとして機能し、小さな力で円滑に底部１１５の折り線１１５ｂを上方向に引き上げることができる。
【００７８】
以上のように図２６及び図２７に示した第７袋７１及び第８袋８１の第３変形例は、両端（開口１０３を規定する開口縁と、底部１１５が取り付けられた縁）を有する中空の筒本体（第７袋７１（第１の袋本体１００）に適用された場合であれば本体部１１１、１１３とまち部１１７、１１９とを含んでなり、第８袋８１（第２の袋本体２００）に適用された場合であれば本体部１１１、１１３とまち部２１７、
２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図２７）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図２７）を保持する引き上げ手段（ここでは吊り下げ紐１３１及び底補強部材７３を有してなる）を有するものである、収納具である。
【００７９】
図２６及び図２７に示した第７袋７１及び第８袋８１の第３変形例は、底部１１５が略長方形であり、第１線分縁（本体部１１１に連なる辺）及び第２線分縁（本体部１１３に連なる辺）が該略長方形の対辺（ここでは一対の長辺）に形成されるものである。
図２６及び図２７に示した第７袋７１及び第８袋８１の第３変形例においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第７袋７１（第１の袋本体１００）に適用された場合）又は谷折り（第８袋８１（第２の袋本体２００）に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００８０】
図２６及び図２７に示した第７袋７１及び第８袋８１の第３変形例においては、引き上げ手段（吊り下げ紐１３１及び底補強部材７３を含んでなる）が、折り線近傍部分に両端が（底補強部材７３を介して）間接に取り付けられた線材又は帯材（ここでは吊り下げ紐１３１）を含んでなる。そして、線材又は帯材（吊り下げ紐１３１）が、折り線近傍部分に両端が（底補強部材７３を介して）間接に取り付けられている。
図２６及び図２７に示した第７袋７１及び第８袋８１の第３変形例においては、底部折り可能（図２７）な場合であり、引き上げ手段（吊り下げ紐１３１及び底補強部材７３を含んでなる）が、底部折り線（折り線１１５ｂ）に跨るよう底部１１５の内面（上面）の少なくとも一部に沿って配設され折り線近傍部分に取り付けられる底補強部材７３を含んでなり、線材又は帯材（吊り下げ紐１３１）の両端が底補強部材７３の底部折り線（折り線１１５ｂ）から離れた位置に取り付けられることで該両端が底補強部材７３を介して折り線近傍部分（固定位置７６）に間接に取り付けられるものである。
図２６及び図２７に示した第７袋７１及び第８袋８１の第３変形例においては、底補強部材７３の外縁が、第１線分縁（底部１１５がなす略長方形の一対の長辺のうち本体部１１１に連なる辺）に略沿った第１外縁部（外縁７３ｆ２）と、第２線分縁（底部１１５がなす略長方形の一対の長辺のうち本体部１１３に連なる辺）に略沿った第２外縁部（外縁７３ｆ１）と、を備えてなり、線材又は帯材（吊り下げ紐１３１）の前記両端が第２外縁部（外縁７３ｆ１）に取り付けられるものである。
図２６及び図２７に示した第３変形例が第７袋７１に適用され、図１９（ａ）に示された底補強部材７３が用いられる場合には、第１本体部（本体部１１１）と第２本体部（本体部１１３）との間を連結する一対のまち部（まち部１１７、１１９）であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１と、筒本体（本体部１１１、１１３とまち部１１７、１１９）の一端（底部１１５が取り付けられる一端である下端）側の縁に存する点である一縁点１１７ｂ２、１１９ｂ２と他縁点１１７ｂ１、１１９ｂ１とを結ぶ線分上に存する折り基準点（所定位置１１７ｐ、１１９ｐ）と、を結ぶ線分であるまち部折り線（他縁点１１７ｂ１、１１９ｂ１と所定位置１１７ｐ、１１９ｐとの間の線分）に沿って筒本体（本体部１１１、１１３とまち部１１７、１１９）内部（内部１０１ｎ）から見て山折りが可能な一対のまち部（まち部１１７、１１９）を筒本体（本体部１１１、１１３とまち部１１７、１１９）が備え、底補強部材７３が、筒本体（本体部１１１、１１３とまち部１１７、１１９）内部（内部１０１ｎ）から見て山折りされるまち部１１７、１１９との衝突を避けるための切り欠き部分（一方側切り欠き部７４ａ及び他方側切り欠き部７４ｂ）を有するものである。  図２６及び図２７に示した第７袋７１及び第８袋８１の第３変形例においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
図２６及び図２７に示した第７袋７１及び第８袋８１の第３変形例においては、線材又は帯材（吊り下げ紐１３１）を貫通させる貫通穴（一対の紐通し穴１５１ｈ１、１５１ｈ２）が形成された筒本体（本体部１１１、１１３と、まち部１１７、１１９又はまち部２１７、２１９）に取り付けられた筒本体（本体部１１１、１１３と、まち部１１７、１１９又はまち部２１７、２１９）とは別体の貫通穴形成部材（ここでは紐係止板１５１）を引き上げ材保持手段が有するものである。
図２６及び図２７に示した第７袋７１及び第８袋８１の第３変形例においては、折り線近傍部分が引き上げられた状態（図２７）で線材又は帯材（吊り下げ紐１３１）を係止する係止手段（ここではフック部材１５５）を有するものである。
図２６及び図２７に示した第７袋７１及び第８袋８１の第３変形例においては、係止手段（フック部材１５５）は、線材又は帯材（吊り下げ紐１３１）を係止するフック部分（ここではフック形状部分フック形状部分１５５ａ、１５５ｂ）が形成された筒本体（本体部１１１、１１３と、まち部１１７、１１９又はまち部２１７、２１９）とは別体の筒本体（本体部１１１、１１３と、まち部１１７、１１９又はまち部２１７、２１９）に取り付けられたフック部材（フック部材１５５）を含んでなる。
【００８１】
（第７実施形態及び第８実施形態の第４変形例）
図２８及び図２９は、第７袋７１及び第８袋８１の第４変形例を示す図である。図２８は、第７袋７１及び第８袋８１を示す図１６と同様の図である。具体的には、図２８（ａ）は図１６（ａ）と同様の位置を示す一部拡大斜視図であり、図２８（ｂ）は図２８（ａ）のＣ−Ｃ断面図である（図１６（ｂ）と同様である）。図２９は、後述するように、吊り下げ紐１３１を引き上げることで底部１１５の折り線１１５ｂが上方向に引き上げられた状態を示す図（図１８と同様の図である）であり、詳細には、図２９（ａ）は底部１１５の折り線１１５ｂが上方向に引き上げられた状態を示す一部拡大斜視図（図１８（ａ）と同様の図である）であり、図２９（ｂ）は図２９（ａ）のＣ−Ｃ断面図（図１８（ｂ）と同様の図である）である。
図２８及び図２９に示す第４変形例は、第７袋７１及び第８袋８１のいずれ（まち部の折り線が山折りか谷折りかの別を問わず）の変形例としても適用できるものであり、具体的には、第７袋７１及び第８袋８１に比して吊り下げ紐１３１の保持状態が異なる（第４変形例の吊り下げ紐１３１の保持状態は、前述の図１３及び図１４と同様である）のみであり、その余りは同様である。
【００８２】
図２８及び図２９に示す第４変形例においては、吊り下げ紐１３１は、両端が底補強部材７３の外縁７３ｆ１近傍に取り付けられると共に、本体部１１３に取り付けられた持ち手１２１に引っかけられるよう（内部１０１ｎ側から持ち手１２１の外側を通過することで、持ち手１２１によって支持されている）取り付けられている。
このため図２９に示すように、持ち手１２１に引っかけられた吊り下げ紐１３１を一対の持ち手１２１と一緒に使用者が手で把持することで、吊り下げ紐１３１の両端が取り付けられた底補強部材７３の外縁７３ｆ１が上方向（一対の持ち手１２１に近づく方向）に引き上げられることで、底補強部材７３は外縁７３ｆ２近傍を中心に回動する。底補強部材７３が外縁７３ｆ２近傍を中心に外縁７３ｆ１が上方向に引き上げられるよう回動することで、固定位置７６が上方向（一対の持ち手１２１に近づく方向）に引き上げられ、底部１１５の折り線１１５ｂが上方向（一対の持ち手１２１に近づく方向）に引き上げられ、底部１１５の折り線１１５ｂが山折り（収容部の内部１０１ｎから見て山折り）される。
底部１１５の折り線１１５ｂが山折り（内部１０１ｎから見て山折り）されることで、第７袋７１に適用される場合にはまち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、第８袋８１に適用される場合にはまち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第７袋７１及び第８袋８１の幅Ｗ（図２８（ｂ）の寸法Ｗ→図２９の寸法Ｗ）が小さくなる。
また、収容部の内部１０１ｎに物を収容する等のために、この幅Ｗを広げる必要がある場合には、一対の持ち手１２１と一緒に把持している吊り下げ紐１３１を放せば（本体部１１３に取り付けられた持ち手１２１に引っかける）、図２８のような状態に戻すことができる（図２９（ｂ）の寸法Ｗ→図２８（ｂ）の寸法Ｗ）。このように図２８及び図２９に示す第４変形例によれば、持ち手１２１に引っかけられた吊り下げ紐１３１を手で把持するか否かによって、袋の幅Ｗを大きくするか（図２８）又は袋の幅Ｗを小さくするか（図２９）を自由に選択することができる。
【００８３】
以上のように図２８及び図２９に示した第７袋７１及び第８袋８１の第４変形例は、両端（開口１０３を規定する開口縁と、底部１１５が取り付けられた縁）を有する中空の筒本体（第７袋７１（第１の袋本体１００）に適用された場合であれば本体部１１１、１１３とまち部１１７、１１９とを含んでなり、第８袋８１（第２の袋本体２００）に適用された場合であれば本体部１１１、１１３とまち部２１７、２１９とを含んでなる。）と、筒本体（本体部１１１、１１３と、まち部１１７、１１９又はまち部２１７、２１９と、を含む。）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３と、まち部１１７、１１９又はまち部２１７、２１９）が、２の線分縁（底部１１５がなす略長方形の一対の長辺）のうちの第１線分縁（該一対の長辺のうち本体部１１１に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第１本体部（本体部１１１）と、２の線分縁（底部１１５がなす略長方形の一対の長辺）のうちの第２線分縁（該一対の長辺のうち本体部１１３に連なる辺）の両端から筒本体（本体部１１１、１１３と、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３と、まち部１１７、１１９又はまち部２１７、２１９）の部分である第２本体部（本体部１１３）と、を有してなり、第１本体部（本体部１１１）と底部１１５とが第１線分縁（底部１１５がなす略長方形の一対の長辺のうち本体部１１１に連なる辺）の周りになす第１角度と、第２本体部（本体部１１３）と底部１１５とが第２線分縁（底部１１５がなす略長方形の一対の長辺のうち本体部１１３に連なる辺）の周りになす第２角度と、が変化し得るよう両本体部（本体部１１１、１１３）と底部１１５とが連結されており、第１線分縁（底部１１５がなす略長方形の一対の長辺のうち本体部１１１に連なる辺）と第２線分縁（底部１１５がなす略長方形の一対の長辺のうち本体部１１３に連なる辺）との間の底部１１５上に存する線分である底部折り線（折り線１１５ｂ）に沿って底部１１５を筒本体（本体部１１１、１１３と、まち部１１７、１１９又はまち部２１７、２１９）内部（内部１０１ｎ）から見て山折りする底部折り（図２９）が可能であり、底部折り可能な場合には、底部折り線（折り線１１５ｂ）又はその近傍の底部１１５の部分である折り線近傍部分を引き上げることで折り線近傍部分の筒本体（本体部１１１、１１３と、まち部１１７、１１９又はまち部２１７、２１９）に対する筒本体（本体部１１１、１１３と、まち部１１７、１１９又はまち部２１７、２１９）の一端（底部１１５が取り付けられる端。ここでは下端）方向への変位を制限することで底部折り状態（図２９）を保持する引き上げ手段（ここでは吊り下げ紐１３１及び底補強部材７３を有してなる）を有するものである、収納具である。
【００８４】
図２８及び図２９に示した第７袋７１及び第８袋８１の第４変形例は、底部１１５が略長方形であり、第１線分縁（本体部１１１に連なる辺）及び第２線分縁（本体部１１３に連なる辺）が該略長方形の対辺（ここでは一対の長辺）に形成されるものである。
図２８及び図２９に示した第７袋７１及び第８袋８１の第４変形例においては、第１本体部（本体部１１１）と第２本体部（本体部１１３）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第７袋７１（第１の袋本体１００）に適用された場合）又は谷折り（第８袋８１（第２の袋本体２００）に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【００８５】
図２８及び図２９に示した第７袋７１及び第８袋８１の第４変形例においては、引き上げ手段（吊り下げ紐１３１及び底補強部材７３を含んでなる）が、折り線近傍部分に両端が（底補強部材７３を介して）間接に取り付けられた線材又は帯材（ここでは吊り下げ紐１３１）を含んでなる。そして、線材又は帯材（吊り下げ紐１３１）が、折り線近傍部分に両端が（底補強部材７３を介して）間接に取り付けられている。
図２８及び図２９に示した第７袋７１及び第８袋８１の第４変形例においては、底部折り可能（図２９）な場合であり、引き上げ手段（吊り下げ紐１３１及び底補強部材７３を含んでなる）が、底部折り線（折り線１１５ｂ）に跨るよう底部１１５の内面（上面）の少なくとも一部に沿って配設され折り線近傍部分に取り付けられる底補強部材７３を含んでなり、線材又は帯材（吊り下げ紐１３１）の両端が底補強部材７３の底部折り線（折り線１１５ｂ）から離れた位置に取り付けられることで該両端が底補強部材７３を介して折り線近傍部分（固定位置７６）に間接に取り付けられるものである。
図２８及び図２９に示した第７袋７１及び第８袋８１の第４変形例においては、底補強部材７３の外縁が、第１線分縁（底部１１５がなす略長方形の一対の長辺のうち本体部１１１に連なる辺）に略沿った第１外縁部（外縁７３ｆ２）と、第２線分縁（底部１１５がなす略長方形の一対の長辺のうち本体部１１３に連なる辺）に略沿った第２外縁部（外縁７３ｆ１）と、を備えてなり、線材又は帯材（吊り下げ紐１３１）の前記両端が第２外縁部（外縁７３ｆ１）に取り付けられるものである。
図２８及び図２９に示した第４変形例が第７袋７１に適用され、図１９（ａ）に示された底補強部材７３が用いられる場合には、第１本体部（本体部１１１）と第２本体部（本体部１１３）との間を連結する一対のまち部（まち部１１７、１１９）であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１と、筒本体（本体部１１１、１１３とまち部１１７、１１９）の一端（底部１１５が取り付けられる一端である下端）側の縁に存する点である一縁点１１７ｂ２、１１９ｂ２と他縁点１１７ｂ１、１１９ｂ１とを結ぶ線分上に存する折り基準点（所定位置１１７ｐ、１１９ｐ）と、を結ぶ線分であるまち部折り線（他縁点１１７ｂ１、１１９ｂ１と所定位置１１７ｐ、１１９ｐとの間の線分）に沿って筒本体（本体部１１１、１１３とまち部１１７、１１９）内部（内部１０１ｎ）から見て山折りが可能な一対のまち部（まち部１１７、１１９）を筒本体（本体部１１１、１１３とまち部１１７、１１９）が備え、底補強部材７３が、筒本体（本体部１１１、１１３とまち部１１７、１１９）内部（内部１０１ｎ）から見て山折りされるまち部１１７、１１９との衝突を避けるための切り欠き部分（一方側切り欠き部７４ａ及び他方側切り欠き部７４ｂ）を有するものである。
図２８及び図２９に示した第７袋７１及び第８袋８１の第４変形例においては、線材又は帯材（吊り下げ紐１３１）の少なくとも一部を、折り線近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは吊り下げ紐１３１が引っかけられる持ち手１２１を含んで構成される）を有するものである。
図２８及び図２９に示した第７袋７１及び第８袋８１の第４変形例においては、収納具（図２８及び図２９に示した第７袋７１及び第８袋８１の第４変形例の袋）を使用者が手で下げるための筒本体（本体部１１１、１１３と、まち部１１７、１１９又はまち部２１７、２１９）の他端（底部１１５が取り付けられる一端とは反対の上端（持ち手１２１側の端））から突出する取っ手（持ち手１２１）を有し、筒本体（本体部１１１、１１３と、まち部１１７、１１９又はまち部２１７、２１９）の他端（底部１１５が取り付けられる一端とは反対の上端（持ち手１２１側の端））から突出する取っ手（持ち手１２１）に線材又は帯材（吊り下げ紐１３１）を引っかけることで、取っ手（持ち手１２１）が引き上げ材保持手段として機能するものである。
図２８及び図２９に示した第７袋７１及び第８袋８１の第４変形例においては、収納具（図２８及び図２９に示した第７袋７１及び第８袋８１の第４変形例の袋）を使用者が手で下げるための取っ手（持ち手１２１）を有し、使用者の手で、取っ手（持ち手１２１）と一緒に線材又は帯材（吊り下げ紐１３１）を握ると（図２９）、折り線近傍部分が引き上げられる。
【００８６】
（第９実施形態）
図３０は、本発明の第９実施形態の袋（以下、「第９袋」という）９１を示す図であり、詳細には、図３０（ａ）は第９袋９１を示す斜視図であり、図３０（ｂ）は図３０（ａ）のＡ−Ａ断面図である。図３１は第９袋９１の一部拡大図であり、詳細には、図３１（ａ）は図３０（ａ）中の点線Ｂによって囲まれた部分の一部拡大図であり、図３１（ｂ）は図３１（ａ）のＣ−Ｃ断面図である。そして、図３２は、後述するように、吊り下げ紐１３１を引き上げることで底部１１５が回動されると共に本体部１１３が折り線１１３ｂによって折り曲げられた状態の第９袋９１を示す図であり、詳細には、図３２（ａ）は底部１１５が回動されると共に本体部１１３が折り線１１３ｂによって折り曲げられた状態の第９袋９１を示す斜視図であり、図３２（ｂ）は図３２（ａ）のＡ−Ａ断面図である。図３３は底部１１５が回動されると共に本体部１１３が折り線１１３ｂによって折り曲げられた状態（図３２）の第９袋９１の一部拡大図であり、詳細には、図３３（ａ）は図３２（ａ）中の点線Ｂによって囲まれた部分の一部拡大図であり、図３３（ｂ）は図３３（ａ）のＣ−Ｃ断面図である。図３０乃至図３３を参照して、第９袋９１について説明する。
【００８７】
第９袋９１は、前述の第１の袋本体１００と、吊り下げ紐１３１と、を含んで構成されている。
第１の袋本体１００の基本的構成については、既に詳述したので、ここでは説明を省略する。そして、第９袋９１においては、上述の如く、収容部１０１を構成する本体部１１３が折り線１１３ｂによって折り曲げ可能に形成されている（折り線１１３ｂに沿って折り癖がつけられている。）。また、折り線１１３ｂは、本体部１１３がなす略長方形の４辺のうち、底部１１５に連なる辺（下縁）と略平行に形成されている。また、ここでは収容部１０１を構成する本体部１１１も折り線１１３ｂと略平行な折り線によって折り曲げ可能に形成されている（折り線に沿って折り癖がつけられている。）。なお、本体部１１１が折り線１１３ｂと略平行な該折り線に沿って山折り（内部１０１ｎから見て山折り）されると共に、本体部１１３が折り線１１３ｂに沿って山折り（内部１０１ｎから見て山折り）されると、本体部１１１が山折りされる該折り線と本体部１１３が山折りされる折り線１１３ｂとはほぼ平行な状態で近接し、本体部１１３がなす略長方形の４辺の底部１１５に連なる辺（下縁）と折り線１１３ｂとの間の本体部１１３の部分は底部１１５の内面に面すると共に本体部１１１がなす略長方形の４辺の底部１１５に連なる辺（下縁）と該折り線との間の本体部１１１の部分は底部１１５の内面に面する。
【００８８】
第９袋９１においては、本体部１１３の表面側（収容部の内部１０１ｎとは反対の面の側）には、紐係止板１５１が取り付けられている。紐係止板１５１は、両主表面が略長方形をなす紙製の板状部材によって形成されており、ここでは本体部１１３に取り付ける持ち手１２１の固定板１５４（紙製）と一体に形成されている。なお、ここでは紐係止板１５１は、それが取り付けられる本体部１１３の材質と同じ材質によって形成されており、本体部１１３の材質が紙であれば紙製とされ、本体部１１３の材質が布であれば布製とされ、そして本体部１１３の材質が皮（合成、天然）であれば皮（合成、天然）製とされる。持ち手１２１の固定板１５４は、持ち手１２１の両端が本体部１１３の表面に確実に固定されるよう本体部１１３の表面に接着され（持ち手１２１の両端は本体部１１３の表面と固定板１５４との間に挟まれた状態で接着される）、固定板１５４に対して紐係止板１５１は該略長方形の長辺（ここでは底部１１５に対して該長辺が略平行になっている）に沿って該長辺を軸として回動可能に本体部１１３の表面に取り付けられている。紐係止板１５１には、底部１１５からの高さがほぼ等しい位置（紐係止板１５１の両主表面がなす略長方形の一対の長辺と略平行な線分に沿った位置）に一対の紐通し穴１５１ｈ１、１５１ｈ２が穿設されている。紐通し穴１５１ｈ１、１５１ｈ２のいずれも、穴の周囲を補強するためのハトメ部材１５１ｈ１ａ、１５１ｈ２ａが取り付けられている。
そして、底部１１５（長方形）が有する４辺のうち本体部１１３に連なる辺の近傍に、吊り下げ紐１３１の両端１３１ａ、１３１ｂが取り付けられると共に、紐通し穴１５１ｈ１、１５１ｈ２を通過（一対の紐通し穴１５１ｈ１、１５１ｈ２に掛け渡された状態）するよう吊り下げ紐１３１が取り付けられている。詳述すれば、吊り下げ紐１３１の両端１３１ａ、１３１ｂの間に存する一部が紐係止板１５１の両主表面のうち一面側にて紐通し穴１５１ｈ１、１５１ｈ２に掛け渡されていると共に、吊り下げ紐１３１の両端１３１ａ、１３１ｂを含む部分は紐係止板１５１の両主表面のうち他面側に突出しており、該両端１３１ａ、１３１ｂが、底部１１５（長方形）が有する４辺のうち本体部１１３に連なる辺の近傍に取り付けられている。
このため図３２及び図３３に示すように、一対の持ち手１２１と一緒に一対の紐通し穴１５１ｈ１、１５１ｈ２に掛け渡された吊り下げ紐１３１を使用者が手で把持することで、吊り下げ紐１３１の両端１３１ａ、１３１ｂが上方向（一対の持ち手１２１に近づく方向）に引き上げられ、本体部１１３に連なる辺の近傍に両端１３１ａ、１３１ｂが取り付けられた底部１１５が回動（本体部１１３に連なる辺が上方向（一対の持ち手１２１に近づく方向）に移動する方向に回動する）することで、本体部１１３が折り線１１３ｂに沿って山折り（内部１０１ｎから見て山折り）される。
本体部１１３が折り線１１３ｂに沿って山折り（内部１０１ｎから見て山折り）されることで、まち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）され、一対の本体部１１１、１１３互いが近づき、第９袋９１の幅Ｗ（図３０（ｂ）及び図３１（ｂ）の寸法Ｗ→図３２（ｂ）及び図３３（ｂ）の寸法Ｗ）が小さくなる。
なお、収容部の内部１０１ｎに物を収容する等のために、第９袋９１の幅Ｗを広げる必要がある場合には、一対の持ち手１２１と一緒に把持している吊り下げ紐１３１を放せば、底部１１５が回動（本体部１１３に連なる辺が下方向（一対の持ち手１２１から遠ざかる方向）に移動する方向に回動する）することで、本体部１１３の折り線１１３ｂに沿った山折り（内部１０１ｎから見て山折り）が解かれ、図３０及び図３１のような状態に戻すことができる（図３２（ｂ）及び図３３（ｂ）の寸法Ｗ→図３０（ｂ）及び図３１（ｂ）の寸法Ｗ）。
このように第９袋９１によれば、一対の紐通し穴１５１ｈ１、１５１ｈ２に掛け渡された吊り下げ紐１３１を手で把持するか否かによって、第９袋９１の幅Ｗを大きくするか（図３０及び図３１）又は第９袋９１の幅Ｗを小さくするか（図３２及び図３３）を自由に選択することができる。
【００８９】
以上のように第９袋９１は、両端（開口１０３を規定する開口縁と、底部１１５が取り付けられた縁）を有する中空の筒本体（本体部１１１、１１３とまち部１１７、１１９とを含んでなる）と、筒本体（本体部１１１、１１３とまち部１１７、１１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３とまち部１１７、１１９）が、２の線分縁（底部１１５がなす略長方形の一対の長辺）のうちの第１線分縁（該一対の長辺のうち本体部１１３に連なる辺）の両端から筒本体（本体部１１１、１１３とまち部１１７、１１９）の他端（底部１１５が取り付けられる一端とは反対の上端（持ち手１２１側の端））まで延びる一対の略直線（ここでは本体部１１３がなす略長方形の４の辺のうちまち部１１７、１１９に連なる一対の対辺）に挟まれた筒本体（本体部１１１、１１３とまち部１１７、１１９）の部分である第１本体部（本体部１１３）と、２の線分縁（底部１１５がなす略長方形の一対の長辺）のうちの第２線分縁（該一対の長辺のうち本体部１１１に連なる辺）の両端から筒本体（本体部１１１、１１３とまち部１１７、１１９）の他端（底部１１５が取り付けられる一端とは反対の上端（持ち手１２１側の端））まで延びる一対の略直線（ここでは本体部１１１がなす略長方形の４の辺のうちまち部１１７、１１９に連なる一対の対辺）に挟まれた筒本体（本体部１１１、１１３とまち部１１７、１１９）の部分である第２本体部（本体部１１１）と、を有してなり、第１本体部（本体部１１３）と底部１１５とが第１線分縁（底部１１５がなす略長方形の一対の長辺のうち本体部１１３に連なる辺）の周りになす第１角度と、第２本体部（本体部１１１）と底部１１５とが第２線分縁（底部１１５がなす略長方形の一対の長辺のうち本体部１１１に連なる辺）の周りになす第２角度と、が変化し得るよう両本体部（本体部１１１、１１３）と底部１１５とが連結されており、第１線分縁（底部１１５がなす略長方形の一対の長辺のうち本体部１１３に連なる辺）に略平行な第１本体部（本体部１１３）上に存する第１折り線（折り線１１３ｂ）に沿って第１本体部（本体部１１３）を筒本体（本体部１１１、１１３とまち部１１７、１１９）内部から見て山折りすると共に第２線分縁（底部１１５がなす略長方形の一対の長辺のうち本体部１１１に連なる辺）に略平行な第２本体部（本体部１１１）上に存する第２折り線に沿って第２本体部（本体部１１１）を筒本体（本体部１１１、１１３とまち部１１７、１１９）内部１０１ｎから見て山折りする本体折りが可能であり、本体折り可能な場合に、第１線分縁（底部１１５がなす略長方形の一対の長辺のうち本体部１１３に連なる辺）又はその近傍の底部の部分である線分縁近傍部分を引き上げることで線分縁近傍部分の筒本体（本体部１１１、１１３とまち部１１７、１１９）に対する筒本体（本体部１１１、１１３とまち部１１７、１１９）の一端（底部１１５が取り付けられる端。ここでは下端）方向への変位を制限することで第１折り線（折り線１１３ｂ）に沿った第１本体部（本体部１１３）の該山折り状態（図３２）を保持する引き上げ手段（ここでは吊り下げ紐１３１）を有するものである、収納具である。
【００９０】
第９袋９１においては、底部１１５が略長方形であり、第１線分縁（底部１１５がなす略長方形の一対の長辺のうち本体部１１３に連なる辺）及び第２線分縁（底部１１５がなす略長方形の一対の長辺のうち本体部１１１に連なる辺）が該略長方形の対辺に形成されるものである。
第９袋９１においては、第１本体部（本体部１１３）と第２本体部（本体部１１１）との間を連結する一対のまち部１１７、１１９であって、筒本体（本体部１１１、１１３とまち部１１７、１１９）の他端（底部１１５が取り付けられる一端とは反対の上端（持ち手１２１側の端））側の縁に存する点である他縁点１１７ｂ１、１１９ｂ１と、筒本体（本体部１１１、１１３とまち部１１７、１１９）の一端（底部１１５が取り付けられる端。ここでは下端）側の縁に存する点である一縁点１１７ｂ２、１１９ｂ２と他縁点１１７ｂ１、１１９ｂ１とを結ぶ線分上に存する折り基準点１１７ｐ、１１９ｐと、を結ぶ線分であるまち部折り線（他縁点１１７ｂ１、１１９ｂ１と折り基準点１１７ｐ、１１９ｐとを結ぶ線分）に沿って筒本体（本体部１１１、１１３とまち部１１７、１１９）内部１０１ｎから見て山折りが可能な一対のまち部１１７、１１９を筒本体（本体部１１１、１１３とまち部１１７、１１９）が備えるものである。
【００９１】
第９袋９１においては、引き上げ手段（吊り下げ紐１３１）が、線分縁近傍部分に両端が直接に取り付けられた線材又は帯材（ここでは紐）を含んでなり、線材又は帯材（吊り下げ紐１３１）が、線分縁近傍部分に両端が直接に取り付けられる。
第９袋９１においては、線材又は帯材（吊り下げ紐１３１）の少なくとも一部を、線分縁近傍部分よりも筒本体（本体部１１１、１１３とまち部１１７、１１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
第９袋９１においては、線材又は帯材（吊り下げ紐１３１）を貫通させる貫通穴（一対の紐通し穴１５１ｈ１、１５１ｈ２）が形成された筒本体（本体部１１１、１１３とまち部１１７、１１９）に取り付けられた筒本体（本体部１１１、１１３とまち部１１７、１１９）とは別体の貫通穴形成部材（ここでは紐係止板１５１）を引き上げ材保持手段が有するものである。
第９袋９１においては、収納具（第９袋９１）を使用者が手で下げるための取っ手（持ち手１２１）を有し、使用者の手で、取っ手（持ち手１２１）と一緒に線材又は帯材（吊り下げ紐１３１）を握ると（図３２、図３３）、線分縁近傍部分が引き上げられる。
【００９２】
（第１０実施形態）
図３４及び図３５は、本発明の第１０実施形態の袋（以下、「第１０袋」という）９２を示す図である。詳細には、図３４（ａ）は第１０袋９２を示す斜視図であり、図３４（ｂ）は図３４（ａ）のＡ−Ａ断面図である。図３５は、後述するように、吊り下げ紐１３１を引き上げることで底部１１５が回動されると共に本体部１１３が折り線１１３ｂによって折り曲げら  BR>黷ス状態の第１０袋９２を示す図であり、詳細には、図３５（ａ）は底部１１５が回動されると共に本体部１１３が折り線１１３ｂによって折り曲げられた状態の第１０袋９２を示す斜視図であり、図３５（ｂ）は図３５（ａ）のＡ−Ａ断面図である。なお、第９実施形態の説明に用いた図３１及び図３３が示す状態は、第１０袋９２においても同様であるので、第１０袋９２について図３１、図３３、図３４及び図３５を参照しつつ説明する（第１０袋９２は第９袋９１に比し、後述するように、まち部２１７、２１９の折り方向が異なるのみである）。
第１０袋９２は、第２の袋本体２００と、吊り下げ紐１３１と、を含んで構成されている。
第２の袋本体２００の基本的構成については、既に詳述したので、ここでは説明を省略する。そして、第１０袋９２においては、上述の如く、収容部２０１を構成する本体部１１３が折り線１１３ｂによって折り曲げ可能に形成されている（折り線１１３ｂに沿って折り癖がつけられている。）。また、折り線１１３ｂは、本体部１１３がなす略長方形の４辺のうち、底部１１５に連なる辺（下縁）と略平行に形成されている。また、ここでは収容部２０１を構成する本体部１１１も折り線１１３ｂと略平行な折り線によって折り曲げ可能に形成されている（折り線に沿って折り癖がつけられている。）。なお、本体部１１１が折り線１１３ｂと略平行な該折り線に沿って山折り（内部１０１ｎから見て山折り）されると共に、本体部１１３が折り線１１３ｂに沿って山折り（内部１０１ｎから見て山折り）されると、本体部１１１が山折りされる該折り線と本体部１１３が山折りされる折り線１１３ｂとはほぼ平行な状態で近接し、本体部１１３がなす略長方形の４辺の底部１１５に連なる辺（下縁）と折り線１１３ｂとの間の本体部１１３の部分は底部１１５の内面に面すると共に本体部１１１がなす略長方形の４辺の底部１１５に連なる辺（下縁）と該折り線との間の本体部１１１の部分は底部１１５の内面に面する。
そして、まち部２１７には、折り線１１３ｂの底部１１５からの高さと同じ高さに折り線２１７ｄが底部１１５と略平行に形成されている（底部１１５に平行な同じ平面（所定位置２１７ｐが属する）に略属するよう折り線１１３ｂ及び折り線２１７ｄが形成されている。）。同様に、まち部２１９には、折り線１１３ｂの底部１１５からの高さと同じ高さに折り線２１９ｄが底部１１５と略平行に形成されている（底部１１５に平行な同じ平面（所定位置２１９ｐ及び所定位置２１７ｐが属する）に略属するよう折り線１１３ｂ、折り線２１９ｄ及び折り線２１７ｄが形成されている。）。
【００９３】
第１０袋９２においては、図３１及び図３３に示す通り、本体部１１３の表面側（収容部の内部１０１ｎとは反対の面の側）には、紐係止板１５１が取り付けられている。紐係止板１５１は、両主表面が略長方形をなす紙製の板状部材によって形成されており、ここでは本体部１１３に取り付ける持ち手１２１の固定板１５４（紙製）と一体に形成されている。なお、ここでは紐係止板１５１は、それが取り付けられる本体部１１３の材質と同じ材質によって形成されており、本体部１１３の材質が紙であれば紙製とされ、本体部１１３の材質が布であれば布製とされ、そして本体部１１３の材質が皮（合成、天然）であれば皮（合成、天然）製とされる。持ち手１２１の固定板１５４は、持ち手１２１の両端が本体部１１３の表面に確実に固定されるよう本体部１１３の表面に接着され（持ち手１２１の両端は本体部１１３の表面と固定板１５４との間に挟まれた状態で接着される）、固定板１５４に対して紐係止板１５１は該略長方形の長辺（ここでは底部１１５に対して該長辺が略平行になっている）に沿って該長辺を軸として回動可能に本体部１１３の表面に取り付けられている。紐係止板１５１には、底部１１５からの高さがほぼ等しい位置（紐係止板１５１の両主表面がなす略長方形の一対の長辺と略平行な線分に沿った位置）に一対の紐通し穴１５１ｈ１、１５１ｈ２が穿設されている。紐通し穴１５１ｈ１、１５１ｈ２のいずれも、穴の周囲を補強するためのハトメ部材１５１ｈ１ａ、１５１ｈ２ａが取り付けられている。
そして、底部１１５（長方形）が有する４辺のうち本体部１１３に連なる辺の近傍に、吊り下げ紐１３１の両端１３１ａ、１３１ｂが取り付けられると共に、紐通し穴１５１ｈ１、１５１ｈ２を通過（一対の紐通し穴１５１ｈ１、１５１ｈ２に掛け渡された状態）するよう吊り下げ紐１３１が取り付けられている。詳述すれば、吊り下げ紐１３１の両端１３１ａ、１３１ｂの間に存する一部が紐係止板１５１の両主表面のうち一面側にて紐通し穴１５１ｈ１、１５１ｈ２に掛け渡されていると共に、吊り下げ紐１３１の両端１３１ａ、１３１ｂを含む部分は紐係止板１５１の両主表面のうち他面側に突出しており、該両端１３１ａ、１３１ｂが、底部１１５（長方形）が有する４辺のうち本体部１１３に連なる辺の近傍に取り付けられている。
このため図３５及び図３３に示すように、一対の持ち手１２１と一緒に一対の紐通し穴１５１ｈ１、１５１ｈ２に掛け渡された吊り下げ紐１３１を使用者が手で把持することで、吊り下げ紐１３１の両端１３１ａ、１３１ｂが上方向（一対の持ち手１２１に近づく方向）に引き上げられ、本体部１１３に連なる辺の近傍に両端１３１ａ、１３１ｂが取り付けられた底部１１５が回動（本体部１１３に連なる辺が上方向（一対の持ち手１２１に近づく方向）に移動する方向に回動する）することで、本体部１１３が折り線１１３ｂに沿って山折り（内部１０１ｎから見て山折り）されることに伴い、まち部２１７が折り線２１７ｄに沿って折られると共にまち部２１９が折り線２１９ｄに沿って折られる。
本体部１１３が折り線１１３ｂに沿って山折り（内部１０１ｎから見て山折り）され、まち部２１７が折り線２１７ｄに沿って折られると共にまち部２１９が折り線２１９ｄに沿って折られることで、まち部２１７、２１９いずれも折り線２１７ｂ、２１９ｂが谷折り（収容部の内部１０１ｎから見て谷折り）されることによって、一対の本体部１１１、１１３互いが近づき、第１０袋９２の幅Ｗ（図３４（ｂ）及び図３１（ｂ）の寸法Ｗ→図３５（ｂ）及び図３３（ｂ）の寸法Ｗ）が小さくなる。
なお、収容部の内部１０１ｎに物を収容する等のために、第１０袋９２の幅Ｗを広げる必要がある場合には、一対の持ち手１２１と一緒に把持している吊り下げ紐１３１を放せば、底部１１５が回動（本体部１１３に連なる辺が下方向（一対の持ち手１２１から遠ざかる方向）に移動する方向に回動する）することで、本体部１１３が折り線１１３ｂに沿って山折り（内部１０１ｎから見て山折り）され、まち部２１７が折り線２１７ｄに沿って折られると共にまち部２１９が折り線２１９ｄに沿って折られた状態が解かれ、図３４及び図３１のような状態に戻すことができる（図３５（ｂ）及び図３３（ｂ）の寸法Ｗ→図３４（ｂ）及び図３１（ｂ）の寸法Ｗ）。
このように第１０袋９２によれば、一対の紐通し穴１５１ｈ１、１５１ｈ２に掛け渡された吊り下げ紐１３１を手で把持するか否かによって、第１０袋９２の幅Ｗを大きくするか（図３４及び図３１）又は第１０袋９２の幅Ｗを小さくするか（図３５及び図３３）を自由に選択することができる。
【００９４】
以上のように第１０袋９２は、両端（開口１０３を規定する開口縁と、底部１１５が取り付けられた縁）を有する中空の筒本体（本体部１１１、１１３とまち部２１７、２１９とを含んでなる）と、筒本体（本体部１１１、１１３とまち部２１７、２１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３とまち部２１７、２１９）が、２の線分縁（底部１１５がなす略長方形の一対の長辺）のうちの第１線分縁（該一対の長辺のうち本体部１１３に連なる辺）の両端から筒本体（本体部１１１、１１３とまち部２１７、２１９）の他端（底部１１５が取り付けられる一端とは反対の上端（持ち手１２１側の端））まで延びる一対の略直線（ここでは本体部１１３がなす略長方形の４の辺のうちまち部２１７、２１９に連なる一対の対辺）に挟まれた筒本体（本体部１１１、１１３とまち部２１７、２１９）の部分である第１本体部（本体部１１３）と、２の線分縁（底部１１５がなす略長方形の一対の長辺）のうちの第２線分縁（該一対の長辺のうち本体部１１１に連なる辺）の両端から筒本体（本体部１１１、１１３とまち部２１７、２１９）の他端（底部１１５が取り付けられる一端とは反対の上端（持ち手１２１側の端））まで延びる一対の略直線（ここでは本体部１１１がなす略長方形の４の辺のうちまち部２１７、２１９に連なる一対の対辺）に挟まれた筒本体（本体部１１１、１１３とまち部２１７、２１９）の部分である第２本体部（本体部１１１）と、を有してなり、第１本体部（本体部１１３）と底部１１５とが第１線分縁（底部１１５がなす略長方形の一対の長辺のうち本体部１１３に連なる辺）の周りになす第１角度と、第２本体部（本体部１１１）と底部１１５とが第２線分縁（底部１１５がなす略長方形の一対の長辺のうち本体部１１１に連なる辺）の周りになす第２角度と、が変化し得るよう両本体部（本体部１１１、１１３）と底部１１５とが連結されており、第１線分縁（底部１１５がなす略長方形の一対の長辺のうち本体部１１３に連なる辺）に略平行な第１本体部（本体部１１３）上に存する第１折り線（折り線１１３ｂ）に沿って第１本体部（本体部１１３）を筒本体（本体部１１１、１１３とまち部２１７、２１９）内部から見て山折りすると共に第２線分縁（底部１１５がなす略長方形の一対の長辺のうち本体部１１１に連なる辺）に略平行な第２本体部（本体部１１１）上に存する第２折り線に沿って第２本体部（本体部１１１）を筒本体（本体部１１１、１１３とまち部２１７、２１９）内部１０１ｎから見て山折りする本体折りが可能であり、本体折り可能な場合に、第１線分縁（底部１１５がなす略長方形の一対の長辺のうち本体部１１３に連なる辺）又はその近傍の底部の部分である線分縁近傍部分を引き上げることで線分縁近傍部分の筒本体（本体部１１１、１１３とまち部２１７、２１９）に対する筒本体（本体部１１１、１１３とまち部２１７、２１９）の一端（底部１１５が取り付けられる端。ここでは下端）方向への変位を制限することで第１折り線（折り線１１３ｂ）に沿った第１本体部（本体部１１３）の該山折り状態（図３５）を保持する引き上げ手段（ここでは吊り下げ紐１３１）を有するものである、収納具である。
【００９５】
第１０袋９２においては、底部１１５が略長方形であり、第１線分縁（底部１１５がなす略長方形の一対の長辺のうち本体部１１３に連なる辺）及び第２線分縁（底部１１５がなす略長方形の一対の長辺のうち本体部１１１に連なる辺）が該略長方形の対辺に形成されるものである。
第１０袋９２においては、第１本体部（本体部１１３）と第２本体部（本体部１１１）との間を連結する一対のまち部２１７、２１９であって、筒本体（本体部１１１、１１３とまち部２１７、２１９）の他端（底部１１５が取り付けられる一端とは反対の上端（持ち手１２１側の端））側の縁に存する点である他縁点２１７ｂ１、２１９ｂ１と、筒本体（本体部１１１、１１３とまち部２１７、２１９）の一端（底部１１５が取り付けられる端。ここでは下端）側の縁に存する点である一縁点２１７ｂ２、２１９ｂ２と他縁点２１７ｂ１、２１９ｂ１とを結ぶ線分上に存する折り基準点２１７ｐ、２１９ｐと、を結ぶ線分であるまち部折り線（他縁点２１７ｂ１、２１９ｂ１と折り基準点２１７ｐ、２１９ｐとを結ぶ線分）に沿って筒本体（本体部１１１、１１３とまち部２１７、２１９）内部１０１ｎから見て谷折りが可能な一対のまち部２１７、２１９を筒本体（本体部１１１、１１３とまち部２１７、２１９）が備えるものである。
【００９６】
第１０袋９２においては、引き上げ手段（吊り下げ紐１３１）が、線分縁近傍部分に両端が直接に取り付けられた線材又は帯材（ここでは紐）を含んでなり、線材又は帯材（吊り下げ紐１３１）が、線分縁近傍部分に両端が直接に取り付けられる。
第１０袋９２においては、線材又は帯材（吊り下げ紐１３１）の両端を、線分縁近傍部分よりも筒本体（本体部１１１、１１３とまち部２１７、２１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
第１０袋９２においては、線材又は帯材（吊り下げ紐１３１）を貫通させる貫通穴（一対の紐通し穴１５１ｈ１、１５１ｈ２）が形成された筒本体（本体部１１１、１１３とまち部２１７、２１９）に取り付けられた筒本体（本体部１１１、１１３とまち部２１７、２１９）とは別体の貫通穴形成部材（ここでは紐係止板１５１）を引き上げ材保持手段が有するものである。
第１０袋９２においては、収納具（第１０袋９２）を使用者が手で下げるための取っ手（持ち手１２１）を有し、使用者の手で、取っ手（持ち手１２１）と一緒に線材又は帯材（吊り下げ紐１３１）を握ると（図３５、図３３）、線分縁近傍部分が引き上げられる。
【００９７】
（第９袋９１及び第１０袋９２の第１変形例）
図３６及び図３７は、第９袋９１及び第１０袋９２の第１変形例を示す図である。図３６は、第９袋９１及び第１０袋９２を示す図３１と同様の図である。具体的には、図３６（ａ）は図３１（ａ）と同様の位置を示す一部拡大斜視図であり、図３６（ｂ）は図３６（ａ）のＣ−Ｃ断面図である（図３１（ｂ）と同様である）。図３７は、後述するように、吊り下げ紐１３１を引き上げることで底部１１５が回動されると共に本体部１１３が折り線１１３ｂによって折り曲げられた状態（図３３と同様の図である）の第９袋９１及び第１０袋９２の第１変形例を示す図であり、詳細には、図３７（ａ）は吊り下げ紐１３１を引き上げることで底部１１５が回動されると共に本体部１１３が折り線１１３ｂによって折り曲げられた状態を示す一部拡大斜視図（図３３（ａ）と同様の図である）であり、図３７（ｂ）は図３７（ａ）のＣ−Ｃ断面図（図３３（ｂ）と同様の図である）である。
図３６及び図３７に示す第１変形例は、第９袋９１及び第１０袋９２のいずれ（まち部の折り線が山折りか谷折りかの別を問わず）の変形例としても適用できるものであり、具体的には、第９袋９１及び第１０袋９２に比して吊り下げ紐１３１の保持状態が異なるのみであり、その余りは同様である。
【００９８】
図３６及び図３７に示す第１変形例においても、第９袋９１及び第１０袋９２と同様、本体部１１３の表面側（収容部の内部１０１ｎとは反対の面の側）には、紐係止板１５１が取り付けられている。紐係止板１５１は、両主表面が略長方形をなす紙製の板状部材によって形成されており、ここでは本体部１１３に取り付ける持ち手１２１の固定板１５４（紙製）と別体に形成されている。なお、ここでは紐係止板１５１は、それが取り付けられる本体部１１３の材質と同じ材質によって形成されており、本体部１１３の材質が紙であれば紙製とされ、本体部１１３の材質が布であれば布製とされ、そして本体部１１３の材質が皮（合成、天然）であれば皮（合成、天然）製とされる。持ち手１２１の固定板１５４は、持ち手１２１の両端が本体部１１３の裏面に確実に固定されるよう本体部１１３の裏面に接着される（持ち手１２１の両端は本体部１１３の裏面と固定板１５４との間に挟まれた状態で接着される）。紐係止板１５１は該略長方形の長辺（ここでは底部１１５に対して該長辺が略平行になっている）に沿って該長辺を軸として回動可能に本体部１１３の表面に取り付け（接着）られている。紐係止板１５１には、底部１１５からの高さがほぼ等しい位置（紐係止板１５１の両主表面がなす略長方形の一対の長辺と略平行な線分に沿った位置）に一対の紐通し穴１５１ｈ１、１５１ｈ２が穿設されている。紐通し穴１５１ｈ１、１５１ｈ２のいずれも、穴の周囲を補強するためのハトメ部材１５１ｈ１ａ、１５１ｈ２ａが取り付けられている。
そして、底部１１５（長方形）が有する４辺のうち本体部１１３に連なる辺の近傍に、吊り下げ紐１３１の両端１３１ａ、１３１ｂが取り付けられると共に、紐通し穴１５１ｈ１、１５１ｈ２を通過（一対の紐通し穴１５１ｈ１、１５１ｈ２に掛け渡された状態）するよう吊り下げ紐１３１が取り付けられている。詳述すれば、吊り下げ紐１３１の両端１３１ａ、１３１ｂの間に存する一部が紐係止板１５１の両主表面のうち一面側にて紐通し穴１５１ｈ１、１５１ｈ２に掛け渡されていると共に、吊り下げ紐１３１の両端１３１ａ、１３１ｂを含む部分は紐係止板１５１の両主表面のうち他面側に突出しており、該両端１３１ａ、１３１ｂが、底部１１５（長方形）が有する４辺のうち本体部１１３に連なる辺の近傍に取り付けられている。
加えて、紐通し穴１５１ｈ１、１５１ｈ２（紐係止板１５１）よりも上方向（持ち手１２１に近づく方向）の本体部１１３の表面側（内部１０１ｎとは反対側の外面側）には、フック部材１４１（吊り下げ紐１３１を引っかけて係止できるようフック形状部分１４１ａ、１４１ｂを有する。）が取り付けられている。
このため図３７に示すように、紐通し穴１５１ｈ１、１５１ｈ２に掛け渡された吊り下げ紐１３１を上方向（持ち手１２１に近づく方向）に引き上げ吊り下げ紐１３１をフック部材１４１（フック形状部分１４１ａ、１４１ｂ）に係止させることで、吊り下げ紐１３１の両端１３１ａ、１３１ｂが上方向（一対の持ち手１２１に近づく方向）に引き上げられ、本体部１１３に連なる辺の近傍に両端１３１ａ、１３１ｂが取り付けられた底部１１５が回動（本体部１１３に連なる辺が上方向（一対の持ち手１２１に近づく方向）に移動する方向に回動する）することで、本体部１１３が折り線１１３ｂに沿って山折り（内部１０１ｎから見て山折り）されることに伴い、第９袋９１（第１の袋本体１００）に適用される場合であればまち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、第１０袋９２（第２の袋本体２００）に適用される場合であればまち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第９袋９１及び第１０袋９２の第１変形例の幅Ｗ（図３６（ｂ）の寸法Ｗ→図３７（ｂ）の寸法Ｗ）が小さくなる。
なお、収容部の内部１０１ｎに物を収容する等のために、第９袋９１及び第１０袋９２の第１変形例の幅Ｗを広げる必要がある場合には、フック部材１４１（フック形状部分１４１ａ、１４１ｂ）に係止させた吊り下げ紐１３１をフック部材１４１（フック形状部分１４１ａ、１４１ｂ）から解放すれば、底部１１５が回動（本体部１１３に連なる辺が下方向（一対の持ち手１２１から遠ざかる方向）に移動する方向に回動する）することで、本体部１１３が折り線１１３ｂに沿って山折り（内部１０１ｎから見て山折り）され、まち部１１７、１１９いずれも折り線１１７ｂ、１１９ｂが山折り（収容部の内部１０１ｎから見て山折り）されるか又はまち部２１７、２１９いずれも折り線２１７ｂ、２１９ｂが谷折り（収容部の内部１０１ｎから見て谷折り）された状態が解かれ、図３６のような状態に戻すことができる（図３７（ｂ）の寸法Ｗ→図３６（ｂ）の寸法Ｗ）。
このように第９袋９１及び第１０袋９２の第１変形例によれば、一対の紐通し穴１５１ｈ１、１５１ｈ２に掛け渡された吊り下げ紐１３１をフック部材１４１（フック形状部分１４１ａ、１４１ｂ）に係止させるか否かによって、第９袋９１及び第１０袋９２の第１変形例の幅Ｗを大きくするか（図３６）又は第９袋９１及び第１０袋９２の第１変形例の幅Ｗを小さくするか（図３７）を自由に選択することができる。
【００９９】
以上のように図３６及び図３７に示す第９袋９１及び第１０袋９２の第１変形例は、両端（開口１０３を規定する開口縁と、底部１１５が取り付けられた縁）を有する中空の筒本体（第９袋９１（第１の袋本体１００）に適用された場合であれば本体部１１１、１１３とまち部１１７、１１９とを含んでなり、第１０袋９２（第２の袋本体２００）に適用された場合であれば本体部１１１、１１３とまち部２１７、２１９とを含んでなる。）と、筒本体（本体部１１１、１１３、まち部１１７、１１９又はまち部２１７、２１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３、まち部１１７、１１９又はまち部２１７、２１９）が、２の線分縁（底部１１５がなす略長方形の一対の長辺）のうちの第１線分縁（該一対の長辺のうち本体部１１３に連なる辺）の両端から筒本体（本体部１１１、１１３、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３、まち部１１７、１１９又はまち部２１７、２１９）の部分である第１本体部（本体部１１３）と、２の線分縁（底部１１５がなす略長方形の一対の長辺）のうちの第２線分縁（該一対の長辺のうち本体部１１１に連なる辺）の両端から筒本体（本体部１１１、１１３、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３、まち部１１７、１１９又はまち部２１７、２１９）の部分である第２本体部（本体部１１１）と、を有してなり、第１本体部（本体部１１３）と底部１１５とが第１線分縁（底部１１５がなす略長方形の一対の長辺のうち本体部１１３に連なる辺）の周りになす第１角度と、第２本体部（本体部１１１）と底部１１５とが第２線分縁（底部１１５がなす略長方形の一対の長辺のうち本体部１１１に連なる辺）の周りになす第２角度と、が変化し得るよう両本体部（本体部１１１、１１３）と底部１１５とが連結されており、第１線分縁（底部１１５がなす略長方形の一対の長辺のうち本体部１１３に連なる辺）に略平行な第１本体部（本体部１１３）上に存する第１折り線（折り線１１３ｂ）に沿って第１本体部（本体部１１３）を筒本体（本体部１１１、１１３、まち部１１７、１１９又はまち部２１７、２１９）内部から見て山折りすると共に第２線分縁（底部１１５がなす略長方形の一対の長辺のうち本体部１１１に連なる辺）に略平行な第２本体部（本体部１１１）上に存する第２折り線に沿って第２本体部（本体部１１１）を筒本体（本体部１１１、１１３、まち部１１７、１１９又はまち部２１７、２１９）内部１０１ｎから見て山折りする本体折りが可能であり、本体折り可能な場合に、第１線分縁（底部１１５がなす略長方形の一対の長辺のうち本体部１１３に連なる辺）又はその近傍の底部の部分である線分縁近傍部分を引き上げることで線分縁近傍部分の筒本体（本体部１１１、１１３、まち部１１７、１１９又はまち部２１７、２１９）に対する筒本体（本体部１１１、１１３、まち部１１７、１１９又はまち部２１７、２１９）の一端（底部１１５が取り付けられる端。ここでは下端）方向への変位を制限することで第１折り線（折り線１１３ｂ）に沿った第１本体部（本体部１１３）の該山折り状態（図３７）を保持する引き上げ手段（ここでは吊り下げ紐１３１）を有するものである、収納具である。
【０１００】
図３６及び図３７に示す第９袋９１及び第１０袋９２の第１変形例においては、底部１１５が略長方形であり、第１線分縁（本体部１１３に連なる辺）及び第２線分縁（本体部１１１に連なる辺）が該略長方形の対辺（ここでは一対の長辺）に形成されるものである。
図３６及び図３７に示す第９袋９１及び第１０袋９２の第１変形例においては、第１本体部（本体部１１３）と第２本体部（本体部１１１）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第９袋９１（第１の袋本体１００）に適用された場合）又は谷折り（第１０袋９２（第２の袋本体２００）に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【０１０１】
図３６及び図３７に示す第９袋９１及び第１０袋９２の第１変形例においては、引き上げ手段（吊り下げ紐１３１）が、線分縁近傍部分に両端が直接に取り付けられた線材又は帯材（ここでは紐）を含んでなり、線材又は帯材（吊り下げ紐１３１）が、線分縁近傍部分に両端が直接に取り付けられる。
図３６及び図３７に示す第９袋９１及び第１０袋９２の第１変形例においては、線材又は帯材（吊り下げ紐１３１）の両端を、線分縁近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１５１ｈ１、１５１ｈ２が形成された紐係止板１５１を含んで構成される）を有するものである。
図３６及び図３７に示す第９袋９１及び第１０袋９２の第１変形例においては、線材又は帯材（吊り下げ紐１３１）を貫通させる貫通穴（一対の紐通し穴１５１ｈ１、１５１ｈ２）が形成された筒本体（本体部１１１、１１３と、まち部１１７、１１９又はまち部２１７、２１９）に取り付けられた筒本体（本体部１１１、１１３と、まち部１１７、１１９又はまち部２１７、２１９）とは別体の貫通穴形成部材（ここでは紐係止板１５１）を引き上げ材保持手段が有するものである。
図３６及び図３７に示す第９袋９１及び第１０袋９２の第１変形例においては、線分縁近傍部分が引き上げられた状態（図３７）で線材又は帯材（吊り下げ紐１３１）を係止する係止手段（ここではフック部材１４１）を有するものである。
図３６及び図３７に示す第９袋９１及び第１０袋９２の第１変形例においては、係止手段（フック部材１４１）は、線材又は帯材（吊り下げ紐１３１）を係止するフック部分（ここではフック形状部分１４１ａ、１４１ｂ）が形成された筒本体（本体部１１１、１１３と、まち部１１７、１１９又はまち部２１７、２１９）とは別体の筒本体（本体部１１１、１１３と、まち部１１７、１１９又はまち部２１７、２１９）に取り付けられたフック部材（フック部材１４１）を含んでなる。
【０１０２】
（第９袋９１及び第１０袋９２の第２変形例）
図３８及び図３９は、第９袋９１及び第１０袋９２の第２変形例を示す図である。図３８は、第９袋９１及び第１０袋９２を示す図３１と同様の図である。具体的には、図３８（ａ）は図３１（ａ）と同様の位置を示す一部拡大斜視図であり、図３８（ｂ）は図３８（ａ）のＣ−Ｃ断面図である（図３１（ｂ）と同様である）。図３９は、後述するように、吊り下げ紐１３１を引き上げることで底部１１５が回動されると共に本体部１１３が折り線１１３ｂによって折り曲げられた状態（図３３と同様の図である）の第９袋９１及び第１０袋９２の第２変形例を示す図であり、詳細には、図３９（ａ）は吊り下げ紐１３１を引き上げることで底部１１５が回動されると共に本体部１１３が折り線１１３ｂによって折り曲げられた状態を示す一部拡大斜視図（図３３（ａ）と同様の図である）であり、図３９（ｂ）は図３９（ａ）のＣ−Ｃ断面図（図３３（ｂ）と同様の図である）である。
図３８及び図３９に示す第９袋９１及び第１０袋９２の第２変形例は、第９袋９１及び第１０袋９２のいずれ（まち部の折り線が山折りか谷折りかの別を問わず）の変形例としても適用できるものであり、具体的には、第２変形例は第９袋９１及び第１０袋９２に比して吊り下げ紐１３１の保持状態が異なるのみであり、その余りは同様である。
【０１０３】
本体部１１３には、底部１１５からの高さがほぼ等しい位置に一対の紐通し穴１１３ｈ１、１１３ｈ２が穿設されている。紐通し穴１１３ｈ１、１１３ｈ２のいずれも、穴の周囲を補強するためのハトメ部材１１３ｈ１ａ、１１３ｈ２ａが取り付けられている。
そして、底部１１５（長方形）が有する４辺のうち本体部１１３に連なる辺の近傍に、吊り下げ紐１３１の両端１３１ａ、１３１ｂが取り付けられると共に、一部が紐通し穴１１３ｈ１、１１３ｈ２の間から収容部１０１の内部１０１ｎに進入（一対の紐通し穴１１３ｈ１、１１３ｈ２の間の内部１０１ｎを吊り下げ紐１３１は通過している）するよう吊り下げ紐１３１が取り付けられている。
このため図３９に示すように、紐通し穴１１３ｈ１、１１３ｈ２に掛け渡された吊り下げ紐１３１を一対の持ち手１２１と一緒に使用者が手（不図示）で把持することで、吊り下げ紐１３１の両端１３１ａ、１３１ｂが上方向（一対の持ち手１２１に近づく方向）に引き上げられ、本体部１１３に連なる辺の近傍に両端１３１ａ、１３１ｂが取り付けられた底部１１５が回動（本体部１１３に連なる辺が上方向（一対の持ち手１２１に近づく方向）に移動する方向に回動する）することで、本体部１１３が折り線１１３ｂに沿って山折り（内部１０１ｎから見て山折り）されることに伴い、第９袋９１（第１の袋本体１００）に適用される場合であればまち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、第１０袋９２（第２の袋本体２００）に適用される場合であればまち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第９袋９１及び第１０袋９２の第２変形例の幅Ｗ（図３８（ｂ）の寸法Ｗ→図３９（ｂ）の寸法Ｗ）が小さくなる。
なお、収容部の内部１０１ｎに物を収容する等のために、第９袋９１及び第１０袋９２の第２変形例の幅Ｗを広げる必要がある場合には、一対の持ち手１２１と一緒に把持している吊り下げ紐１３１を放せば、底部１１５が回動（本体部１１３に連なる辺が下方向（一対の持ち手１２１から遠ざかる方向）に移動する方向に回動する）することで、本体部１１３が折り線１１３ｂに沿って山折り（内部１０１ｎから見て山折り）され、まち部１１７、１１９いずれも折り線１１７ｂ、１１９ｂが山折り（収容部の内部１０１ｎから見て山折り）されるか又はまち部２１７、２１９いずれも折り線２１７ｂ、２１９ｂが谷折り（収容部の内部１０１ｎから見て谷折り）された状態が解かれ、図３８のような状態に戻すことができる（図３９（ｂ）の寸法Ｗ→図３８（ｂ）の寸法Ｗ）。
このように第９袋９１及び第１０袋９２の第２変形例によれば、一対の紐通し穴１１３ｈ１、１１３ｈ２に掛け渡された吊り下げ紐１３１を手で把持するか否かによって、第９袋９１及び第１０袋９２の第２変形例の幅Ｗを大きくするか（図３８）又は第９袋９１及び第１０袋９２の第２変形例の幅Ｗを小さくするか（図３９）を自由に選択することができる。
【０１０４】
以上のように図３８及び図３９に示す第９袋９１及び第１０袋９２の第２変形例は、両端（開口１０３を規定する開口縁と、底部１１５が取り付けられた縁）を有する中空の筒本体（第９袋９１（第１の袋本体１００）に適用された場合であれば本体部１１１、１１３とまち部１１７、１１９とを含んでなり、第１０袋９２（第２の袋本体２００）に適用された場合であれば本体部１１１、１１３とまち部２１７、２１９とを含んでなる。）と、筒本体（本体部１１１、１１３、まち部１１７、１１９又はまち部２１７、２１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３、まち部１１７、１１９又はまち部２１７、２１９）が、２の線分縁（底部１１５がなす略長方形の一対の長辺）のうちの第１線分縁（該一対の長辺のうち本体部１１３に連なる辺）の両端から筒本体（本体部１１１、１１３、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３、まち部１１７、１１９又はまち部２１７、２１９）の部分である第１本体部（本体部１１３）と、２の線分縁（底部１１５がなす略長方形の一対の長辺）のうちの第２線分縁（該一対の長辺のうち本体部１１１に連なる辺）の両端から筒本体（本体部１１１、１１３、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３、まち部１１７、１１９又はまち部２１７、２１９）の部分である第２本体部（本体部１１１）と、を有してなり、第１本体部（本体部１１３）と底部１１５とが第１線分縁（底部１１５がなす略長方形の一対の長辺のうち本体部１１３に連なる辺）の周りになす第１角度と、第２本体部（本体部１１１）と底部１１５とが第２線分縁（底部１１５がなす略長方形の一対の長辺のうち本体部１１１に連なる辺）の周りになす第２角度と、が変化し得るよう両本体部（本体部１１１、１１３）と底部１１５とが連結されており、第１線分縁（底部１１５がなす略長方形の一対の長辺のうち本体部１１３に連なる辺）に略平行な第１本体部（本体部１１３）上に存する第１折り線（折り線１１３ｂ）に沿って第１本体部（本体部１１３）を筒本体（本体部１１１、１１３、まち部１１７、１１９又はまち部２１７、２１９）内部から見て山折りすると共に第２線分縁（底部１１５がなす略長方形の一対の長辺のうち本体部１１１に連なる辺）に略平行な第２本体部（本体部１１１）上に存する第２折り線に沿って第２本体部（本体部１１１）を筒本体（本体部１１１、１１３、まち部１１７、１１９又はまち部２１７、２１９）内部１０１ｎから見て山折りする本体折りが可能であり、本体折り可能な場合に、第１線分縁（底部１１５がなす略長方形の一対の長辺のうち本体部１１３に連なる辺）又はその近傍の底部の部分である線分縁近傍部分を引き上げることで線分縁近傍部分の筒本体（本体部１１１、１１３、まち部１１７、１１９又はまち部２１７、２１９）に対する筒本体（本体部１１１、１１３、まち部１１７、１１９又はまち部２１７、２１９）の一端（底部１１５が取り付けられる端。ここでは下端）方向への変位を制限することで第１折り線（折り線１１３ｂ）に沿った第１本体部（本体部１１３の該山折り状態（図３８）を保持する引き上げ手段（ここでは吊り下げ紐１３１）を有するものである、収納具である。
【０１０５】
図３８及び図３９に示す第９袋９１及び第１０袋９２の第２変形例においては、底部１１５が略長方形であり、第１線分縁（本体部１１３に連なる辺）及び第２線分縁（本体部１１１に連なる辺）が該略長方形の対辺（ここでは一対の長辺）に形成されるものである。
図３８及び図３９に示す第９袋９１及び第１０袋９２の第２変形例においては、第１本体部（本体部１１３）と第２本体部（本体部１１１）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端
とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第９袋９１（第１の袋本体１００）に適用された場合）又は谷折り（第１０袋９２（第２の袋本体２００）に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【０１０６】
図３８及び図３９に示す第９袋９１及び第１０袋９２の第２変形例においては、引き上げ手段（吊り下げ紐１３１）が、線分縁近傍部分に両端が直接に取り付けられた線材又は帯材（ここでは紐）を含んでなり、線材又は帯材（吊り下げ紐１３１）が、線分縁近傍部分に両端が直接に取り付けられる。
図３８及び図３９に示す第９袋９１及び第１０袋９２の第２変形例においては、線材又は帯材（吊り下げ紐１３１）の少なくとも一部を、線分縁近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１１３ｈ１、１１３ｈ２が形成された本体部１１３を含んで構成される）を有するものである。
図３８及び図３９に示す第９袋９１及び第１０袋９２の第２変形例においては、貫通穴（ここでは一対の紐通し穴１１３ｈ１、１１３ｈ２）が筒本体（本体部１１１、１１３と、まち部１１７、１１９又はまち部２１７、２１９）の内部（内部１０１ｎ）と外部とを連通させるよう線分縁近傍部分よりも筒本体（本体部１１１、１１３と、まち部１１７、１１９又はまち部２１７、２１９）の他端（底部１１５が取り付けられる一端とは反対の上端（持ち手１２１側の端））側に一対形成され、線材又は帯材（吊り下げ紐１３１）が、筒本体（本体部１１１、１１３と、まち部１１７、１１９又はまち部２１７、２１９）の内部１０１ｎ及び外部のうち線材又は帯材（吊り下げ紐１３１）の両端１３１ａ、１３１ｂが存する一方（ここでは外部）とは反対の他方（ここでは内部１０１ｎ）の側において一対の貫通穴（一対の紐通し穴１１３ｈ１、１１３ｈ２）の間に架け渡されることで、該一対の貫通穴（一対の紐通し穴１１３ｈ１、１１３ｈ２）が形成された筒本体（本体部１１１、１１３と、まち部１１７、１１９又はまち部２１７、２１９）が引き上げ材保持手段として機能する。
図３８及び図３９に示す第９袋９１及び第１０袋９２の第２変形例においては、収納具（第９袋９１及び第１０袋９２の第２変形例の袋）を使用者が手で下げるための取っ手（持ち手１２１）を有し、使用者の手で、取っ手（持ち手１２１）と一緒に線材又は帯材（吊り下げ紐１３１）を握ると、線分縁近傍部分が引き上げられる（図３９）。
【０１０７】
（第９袋９１及び第１０袋９２の第３変形例）
図４０及び図４１は、第９袋９１及び第１０袋９２の第３変形例を示す図である。図４０は、第９袋９１及び第１０袋９２を示す図３１と同様の図である。具体的には、図４０（ａ）は図３１（ａ）と同様の位置を示す一部拡大斜視図であり、図４０（ｂ）は図４０（ａ）のＣ−Ｃ断面図である（図３１（ｂ）と同様である）。図４１は、後述するように、吊り下げ紐１３１を引き上げることで底部１１５が回動されると共に本体部１１３が折り線１１３ｂによって折り曲げられた状態（図３３と同様の図である）の第９袋９１及び第１０袋９２の第３変形例を示す図であり、詳細には、図４１（ａ）は吊り下げ紐１３１を引き上げることで底部１１５が回動されると共に本体部１１３が折り線１１３ｂによって折り曲げられた状態を示す一部拡大斜視図（図３３（ａ）と同様の図である）であり、図４１（ｂ）は図４１（ａ）のＣ−Ｃ断面図（図３３（ｂ）と同様の図である）である。
図４０及び図４１に示す第３変形例は、第９袋９１及び第１０袋９２のいずれ（まち部の折り線が山折りか谷折りかの別を問わず）の変形例としても適用できるものであり、具体的には、第３変形例は第９袋９１及び第１０袋９２に比して吊り下げ紐１３１の保持状態が異なるのみであり、その余りは同様である。
【０１０８】
本体部１１３には、底部１１５からの高さがほぼ等しい位置に一対の紐通し穴１１３ｈ１、１１３ｈ２が穿設されている。紐通し穴１１３ｈ１、１１３ｈ２のいずれも、穴の周囲を補強するためのハトメ部材１１３ｈ１ａ、１１３ｈ２ａが取り付けられている。
そして、底部１１５（長方形）が有する４辺のうち本体部１１３に連なる辺の近傍に、吊り下げ紐１３１の両端１３１ａ、１３１ｂが取り付けられると共に、一部が紐通し穴１１３ｈ１、１１３ｈ２の間から収容部１０１の内部１０１ｎに進入（一対の紐通し穴１１３ｈ１、１１３ｈ２の間の内部１０１ｎを吊り下げ紐１３１は通過している）するよう吊り下げ紐１３１が取り付けられている。
加えて、紐通し穴１１３ｈ１、１１３ｈ２よりも上方向（持ち手１２１に近づく方向）の本体部１１３の内面側（内部１０１ｎに面する側）には、フック部材１４１（吊り下げ紐１３１を引っかけて係止できるようフック形状部分１４１ａ、１４１ｂを有する。）が取り付けられている。
このため図４１に示すように、紐通し穴１１３ｈ１、１１３ｈ２に掛け渡された吊り下げ紐１３１を上方向（持ち手１２１に近づく方向）に引き上げ吊り下げ紐１３１をフック部材１４１（フック形状部分１４１ａ、１４１ｂ）に係止させることで、吊り下げ紐１３１の両端１３１ａ、１３１ｂが上方向（一対の持ち手１２１に近づく方向）に引き上げられ、本体部１１３に連なる辺の近傍に両端１３１ａ、１３１ｂが取り付けられた底部１１５が回動（本体部１１３に連なる辺が上方向（一対の持ち手１２１に近づく方向）に移動する方向に回動する）することで、本体部１１３が折り線１１３ｂに沿って山折り（内部１０１ｎから見て山折り）されることに伴い、第９袋９１（第１の袋本体１００）に適用される場合であればまち部１１７、１１９いずれも折り線１１７ｂ、１１９ｂ（詳細には、折り線１１７ｂ、１１９ｂの上端（持ち手１２１側）から所定位置１１７ｐ、１１９ｐまでの部分）が山折り（収容部の内部１０１ｎから見て山折り）されるか、第１０袋９２（第２の袋本体２００）に適用される場合であればまち部２１７、２１９いずれも折り線２１７ｂ、２１９ｂ（詳細には、折り線２１７ｂ、２１９ｂの上端（持ち手１２１側）から所定位置２１７ｐ、２１９ｐまでの部分）が谷折り（収容部の内部１０１ｎから見て谷折り）されることによって、一対の本体部１１１、１１３互いが近づき、第９袋９１及び第１０袋９２の第３変形例の幅Ｗ（図４０（ｂ）の寸法Ｗ→図４１（ｂ）の寸法Ｗ）が小さくなる。
なお、収容部の内部１０１ｎに物を収容する等のために、第９袋９１及び第１０袋９２の第３変形例の幅Ｗを広げる必要がある場合には、フック部材１４１（フック形状部分１４１ａ、１４１ｂ）に係止させた吊り下げ紐１３１をフック部材１４１（フック形状部分１４１ａ、１４１ｂ）から解放すれば、底部１１５が回動（本体部１１３に連なる辺が下方向（一対の持ち手１２１から遠ざかる方向）に移動する方向に回動する）することで、本体部１１３が折り線１１３ｂに沿って山折り（内部１０１ｎから見て山折り）され、まち部１１７、１１９いずれも折り線１１７ｂ、１１９ｂが山折り（収容部の内部１０１ｎから見て山折り）されるか又はまち部２１７、２１９いずれも折り線２１７ｂ、２１９ｂが谷折り（収容部の内部１０１ｎから見て谷折り）された状態が解かれ、図４０のような状態に戻すことができる（図４１（ｂ）の寸法Ｗ→図４０（ｂ）の寸法Ｗ）。
このように第９袋９１及び第１０袋９２の第３変形例によれば、一対の紐通し穴１１３ｈ１、１１３ｈ２に掛け渡された吊り下げ紐１３１をフック部材１４１（フック形状部分１４１ａ、１４１ｂ）に係止させるか否かによって、第９袋９１及び第１０袋９２の第３変形例の幅Ｗを大きくするか（図４０）又は第９袋９１及び第１０袋９２の第３変形例の幅Ｗを小さくするか（図４１）を自由に選択することができる。
【０１０９】
以上のように図４０及び図４１に示す第９袋９１及び第１０袋９２の第３変形例は、両端（開口１０３を規定する開口縁と、底部１１５が取り付けられた縁）を有する中空の筒本体（第９袋９１（第１の袋本体１００）に適用された場合であれば本体部１１１、１１３とまち部１１７、１１９とを含んでなり、第１０袋９２（第２の袋本体２００）に適用された場合であれば本体部１１１、１１３とまち部２１７、２１９とを含んでなる。）と、筒本体（本体部１１１、１１３、まち部１１７、１１９又はまち部２１７、２１９）の一端を閉じる底部１１５と、を含んでなる有底の収納具であって、底部１１５の外縁（底部１１５がなす略長方形の４の辺）が、線分に沿った少なくとも２の線分縁（底部１１５がなす略長方形の該４の辺のうち一対の長辺）を有し、筒本体（本体部１１１、１１３、まち部１１７、１１９又はまち部２１７、２１９）が、２の線分縁（底部１１５がなす略長方形の一対の長辺）のうちの第１線分縁（該一対の長辺のうち本体部１１３に連なる辺）の両端から筒本体（本体部１１１、１１３、まち部１１７、１１９又はまち部２１７、２１９）の他端（底部１１５が取り付けられる一端とは反対の上端（持ち手１２１側の端））まで延びる一対の略直線（ここでは本体部１１３がなす略長方形の４の辺のうちまち部１１７、１１９、２１７、２１９に連なる一対の対辺）に挟まれた筒本体（本体部１１１、１１３、まち部１１７、１１９又はまち部２１７、２１９）の部分である第１本体部（本体部１１３）と、２の線分縁（底部１１５がなす略長方形の一対の長辺）のうちの第２線分縁（該一対の長辺のうち本体部１１１に連なる辺）の両端から筒本体（本体部１１１、１１３、まち部１１７、１１９又はまち部２１７、２１９）の他端（底部１１５が取り付けられる一端とは反対の上端（持ち手１２１側の端））まで延びる一対の略直線（ここでは本体部１１１がなす略長方形の４の辺のうちまち部１１７、１１９、２１７、２１９に連なる一対の対辺）に挟まれた筒本体（本体部１１１、１１３、まち部１１７、１１９又はまち部２１７、２１９）の部分である第２本体部（本体部１１１）と、を有してなり、第１本体部（本体部１１３）と底部１１５とが第１線分縁（底部１１５がなす略長方形の一対の長辺のうち本体部１１３に連なる辺）の周りになす第１角度と、第２本体部（本体部１１１）と底部１１５とが第２線分縁（底部１１５がなす略長方形の一対の長辺のうち本体部１１１に連なる辺）の周りになす第２角度と、が変化し得るよう両本体部（本体部１１１、１１３）と底部１１５とが連結されており、第１線分縁（底部１１５がなす略長方形の一対の長辺のうち本体部１１３に連なる辺）に略平行な第１本体部（本体部１１３）上に存する第１折り線（折り線１１３ｂ）に沿って第１本体部（本体部１１３）を筒本体（本体部１１１、１１３、まち部１１７、１１９又はまち部２１７、２１９）内部から見て山折りすると共に第２線分縁（底部１１５がなす略長方形の一対の長辺のうち本体部１１１に連なる辺）に略平行な第２本体部（本体部１１１）上に存する第２折り線に沿って第２本体部（本体部１１１）を筒本体（本体部１１１、１１３、まち部１１７、１１９又はまち部２１７、２１９）内部１０１ｎから見て山折りする本体折りが可能であり、本体折り可能な場合に、第１線分縁（底部１１５がなす略長方形の一対の長辺のうち本体部１１３に連なる辺）又はその近傍の底部の部分である線分縁近傍部分を引き上げることで線分縁近傍部分の筒本体（本体部１１１、１１３、まち部１１７、１１９又はまち部２１７、２１９）に対する筒本体（本体部１１１、１１３、まち部１１７、１１９又はまち部２１７、２１９）の一端（底部１１５が取り付けられる端。ここでは下端）方向への変位を制限することで第１折り線（折り線１１３ｂ）に沿った第１本体部（本体部１１３）の該山折り状態（図４１）を保持する引き上げ手段（ここでは吊り下げ紐１３１）を有するものである、収納具である。
【０１１０】
図４０及び図４１に示す第９袋９１及び第１０袋９２の第３変形例においては、底部１１５が略長方形であり、第１線分縁（本体部１１３に連なる辺）及び第２線分縁（本体部１１１に連なる辺）が該略長方形の対辺（ここでは一対の長辺）に形成されるものである。
図４０及び図４１に示す第９袋９１及び第１０袋９２の第３変形例においては、第１本体部（本体部１１３）と第２本体部（本体部１１１）との間を連結する一対のまち部（まち部１１７、１１９又はまち部２１７、２１９）であって、筒本体（本体部１１１、１１３と、まち部１１７、１１９又はまち部２１７、２１９）の他端（底部１１５が取り付けられる一端とは反対の上端（持ち手１２１側の端））側の縁に存する点である他縁点１１７ｂ１、１１９ｂ１、２１７ｂ１、２１９ｂ１と、筒本体（本体部１１１、１１３と、まち部１１７、１１９又はまち部２１７、２１９）の一端（底部１１５が取り付けられる一端である下端）側の縁に存する点である一縁点１１７ｂ２、１１９ｂ２、２１７ｂ２、２１９ｂ２と他縁点１１７ｂ１、１１９ｂ１、２１７ｂ１、２１９ｂ１とを結ぶ線分上に存する折り基準点（所定位置１１７ｐ、１１９ｐ、２１７ｐ、２１９ｐ）と、を結ぶ線分であるまち部折り線（他縁点１１７ｂ１、１１９ｂ１、２１７ｂ１、２１９ｂ１と所定位置１１７ｐ、１１９ｐ、２１７ｐ、２１９ｐとの間の線分）に沿って筒本体（本体部１１１、１１３と、まち部１１７、１１９又はまち部２１７、２１９）内部（内部１０１ｎ）から見て山折り（第９袋９１（第１の袋本体１００）に適用された場合）又は谷折り（第１０袋９２（第２の袋本体２００）に適用された場合）が可能な一対のまち部（まち部１１７、１１９又はまち部２１７、２１９）を筒本体（本体部１１１、１１３と、まち部１１７、１１９又はまち部２１７、２１９）が備えるものである。
【０１１１】
図４０及び図４１に示す第９袋９１及び第１０袋９２の第３変形例においては、引き上げ手段（吊り下げ紐１３１）が、線分縁近傍部分に両端が直接に取り付けられた線材又は帯材（ここでは紐）を含んでなり、線材又は帯材（吊り下げ紐１３１）が、線分縁近傍部分に両端が直接に取り付けられる。
図４０及び図４１に示す第９袋９１及び第１０袋９２の第３変形例においては、線材又は帯材（吊り下げ紐１３１）の少なくとも一部を、線分縁近傍部分よりも筒本体（本体部１１１、１１３と、まち部１１７、１１９又はまち部２１７、２１９）の他端（底部１１５が取り付けられる一端とは反対の上端（持ち手１２１側の端））側に保持する引き上げ材保持手段（ここでは一対の紐通し穴１１３ｈ１、１１３ｈ２が形成された本体部１１３を含んで構成される）を有するものである。
図４０及び図４１に示す第９袋９１及び第１０袋９２の第３変形例においては、貫通穴（ここでは一対の紐通し穴１１３ｈ１、１１３ｈ２）が筒本体（本体部１１１、１１３と、まち部１１７、１１９又はまち部２１７、２１９）の内部（内部１０１ｎ）と外部とを連通させるよう線分縁近傍部分よりも筒本体（本体部１１１、１１３と、まち部１１７、１１９又はまち部２１７、２１９）の他端（底部１１５が取り付けられる一端とは反対の上端（持ち手１２１側の端））側に一対形成され、線材又は帯材（吊り下げ紐１３１）が、筒本体（本体部１１１、１１３と、まち部１１７、１１９又はまち部２１７、２１９）の内部１０１ｎ及び外部のうち線材又は帯材（吊り下げ紐１３１）の両端１３１ａ、１３１ｂが存する一方（ここでは外部）とは反対の他方（ここでは内部１０１ｎ）の側において一対の貫通穴（一対の紐通し穴１１３ｈ１、１１３ｈ２）の間に架け渡されることで、該一対の貫通穴（一対の紐通し穴１１３ｈ１、１１３ｈ２）が形成された筒本体（本体部１１１、１１３と、まち部１１７、１１９又はまち部２１７、２１９）が引き上げ材保持手段として機能する。
図４０及び図４１に示す第９袋９１及び第１０袋９２の第３変形例においては、線分縁近傍部分が引き上げられた状態（図４１）で線材又は帯材（吊り下げ紐１３１）を係止する係止手段（ここではフック部材１４１）を有するものである。
図４０及び図４１に示す第９袋９１及び第１０袋９２の第３変形例においては、係止手段（フック部材１４１）は、線材又は帯材（吊り下げ紐１３１）を係止するフック部分（ここではフック形状部分１４１ａ、１４１ｂ）が形成された筒本体（本体部１１１、１１３と、まち部１１７、１１９又はまち部２１７、２１９）とは別体の筒本体（本体部１１１、１１３と、まち部１１７、１１９又はまち部２１７、２１９）に取り付けられたフック部材（フック部材１４１）を含んでなる。
【０１１２】
図４２は、上述した紐係止板１５１に替え、吊り下げ紐１３１を保持するため用いることができる紐係止具３５１を示す図であり、具体的には、図４２（ａ）は紐係止具３５１の正面図であり、図４２（ｂ）は紐係止具３５１の平面図（図４２（ａ）中の矢印Ｄ方向から見たところを示している）であり、そして図４２（ｃ）は紐係止具３５１の左側面図（図４２（ａ）中の矢印Ｅ方向から見たところを示している）である。
紐係止具３５１は、細長い略長方形状の両主表面３５３ａ、３５３ｂを有する短冊状をした基板部３５３と、基板部３５３の長手方向Ｌに対して略垂直かつ主表面３５３ａに略平行方向に形成された一対の紐貫通穴３５５ａ、３５５ｂを形成する一対の筒部３５７ａ、３５７ｂと、を有してなり、ここでは樹脂材料（合成、天然）又は金属材料によって一体に形成される。
かかる紐係止具３５１は、紐係止板１５１の代わりに、本体部１１３の表面（外面）又は裏面（内面）に取り付けることで（主表面３５３ｂ側を本体部１１３に接着したり、基板部３５３に設けられた両主表面３５３ａ、３５３ｂを貫通する取付穴３５９ａ、３５９ｂ、３５９ｃを用いて基板部３５３を本体部１１３にネジ止めしたり縫いつけてもよい）、紐係止板１５１の紐通し穴１５１ｈ１、１５１ｈ２の代わりとして紐貫通穴３５５ａ、３５５ｂを用いることができる。
【０１１３】
図４３は、上述した紐係止板１５１に替え、吊り下げ紐１３１を保持するための紐係止具４５１を示す図であり、具体的には、図４３（ａ）は紐係止具４５１の正面図であり、図４３（ｂ）は紐係止具４５１の背面図であり、そして図４３（ｃ）は紐係止具４５１の右側面図（図４３（ａ）中の矢印Ｆ方向から見たところを示している）である。
紐係止具４５１は、長方形状の紐嵌入部分４５６を取り囲むように金属製の線材によって形成したリング部材４５５と、一端にリング部材４５５が取り付けられた短冊状の帯材４５３と、を有してなり、帯材４５３は紙、布、皮（合成、天然）等又は本体部１１３を形成している材料（紙、布、皮（合成、天然）等）によって形成されてよい。
かかる紐係止具４５１は、紐係止板１５１の代わりに、一対の紐係止具４５１を本体部１１３の表面（外面）又は裏面（内面）に取り付けることで（帯材４５３を本体部１１３に接着したり、縫いつけてもよい）、一対の紐係止板１５１の紐通し穴１５１ｈ１、１５１ｈ２の代わりとして一対の紐嵌入部分４５６を用いることができる。
【符号の説明】
【０１１４】
１１                  第１袋
２１                  第２袋
３１                  第３袋
４１                  第４袋
５１                  第５袋
６１                  第６袋
７１                  第７袋
８１                  第８袋
９１                  第９袋
９２                  第１０袋
７３                  底補強部材
７３ａ                横材
７３ｂ                縦材
７３ｆ１、７３ｆ２    外縁
７４ａ                一方側切り欠き部
７４ｂ                他方側切り欠き部
７６                  固定位置
１００                  第１の袋本体
１０１                  収容部
１０１ｎ                内部
１０３                  開口
１１１、１１３          本体部
１１３ｂ                折り線
１１３ｈ１、１１３ｈ２  紐通し穴
１１３ｈ１ａ、１１３ｈ２ａ  ハトメ部材
１１５                  底部
１１５ｂ                折り線
１１７、１１９          まち部
１１７ｂ、１１９ｂ      折り線
１１７ｂ１、１１９ｂ１  他縁点
１１７ｂ２、１１９ｂ２  一縁点
１１７ｃ１、１１７ｃ２  折り線
１１７ｐ、１１９ｐ      所定位置（折り基準点）
１１９ｃ１、１１９ｃ２  折り線
１２１                  持ち手
１３１                  吊り下げ紐
１３１ａ、１３１ｂ      端
１４１                  フック部材
１４１ａ、１４１ｂ      フック形状部分
１５１                  紐係止板
１５１ｈ１、１５１ｈ２  紐通し穴
１５１ｈ１ａ、１５１ｈ２ａ  ハトメ部材
１５４                  固定板
１５５                  フック部材
１５５ａ、１５５ｂ      フック形状部分
２００                  第２の袋本体
２０１                  収容部
２１７、２１９          まち部
２１７ｂ、２１９ｂ      折り線
２１７ｂ１、２１９ｂ１  他縁点
２１７ｂ２、２１９ｂ２  一縁点
２１７ｃ１、２１７ｃ２  折り線
２１７ｐ、２１９ｐ      所定位置
２１９ｃ１、２１９ｃ２  折り線
３５１                  紐係止具
３５３                  基板部
３５３ａ、３５３ｂ      主表面
３５５ａ、３５５ｂ      紐貫通穴
３５７ａ、３５７ｂ      筒部
３５９ａ、３５９ｂ、３５９ｃ  取付穴
４５１                  紐係止具
４５３                  帯材
４５５                  リング部材
４５６                  紐嵌入部分
【図１】
0005243564.tif 000004
【図２】
0005243564.tif 000005
【図３】
0005243564.tif 000006
【図４】
0005243564.tif 000007
【図５】
0005243564.tif 000008
【図６】
0005243564.tif 000009
【図７】
0005243564.tif 000010
【図８】
0005243564.tif 000011
【図９】
0005243564.tif 000012
【図１０】
0005243564.tif 000013
【図１１】
0005243564.tif 000014
【図１２】
0005243564.tif 000015
【図１３】
0005243564.tif 000016
【図１４】
0005243564.tif 000017
【図１５】
0005243564.tif 000018
【図１６】
0005243564.tif 000019
【図１７】
0005243564.tif 000020
【図１８】
0005243564.tif 000021
【図１９】
0005243564.tif 000022
【図２０】
0005243564.tif 000023
【図２１】
0005243564.tif 000024
【図２２】
0005243564.tif 000025
【図２３】
0005243564.tif 000026
【図２４】
0005243564.tif 000027
【図２５】
0005243564.tif 000028
【図２６】
0005243564.tif 000029
【図２７】
0005243564.tif 000030
【図２８】
0005243564.tif 000031
【図２９】
0005243564.tif 000032
【図３０】
0005243564.tif 000033
【図３１】
0005243564.tif 000034
【図３２】
0005243564.tif 000035
【図３３】
0005243564.tif 000036
【図３４】
0005243564.tif 000037
【図３５】
0005243564.tif 000038
【図３６】
0005243564.tif 000039
【図３７】
0005243564.tif 000040
【図３８】
0005243564.tif 000041
【図３９】
0005243564.tif 000042
【図４０】
0005243564.tif 000043
【図４１】
0005243564.tif 000044
【図４２】
0005243564.tif 000045
【図４３】
0005243564.tif 000046